(57)【特許請求の範囲】
【請求項１】
無線中継局と、前記無線中継局と通信を行う端末装置を含む通信システムであって、
前記無線中継局は、
前記端末装置から前記無線中継局への送信１回ごとの通信パラメータを制御する制御信号であって、前記端末装置から前記無線中継局への通信チャネルの設定を示す設定情報を含む第１制御信号を、前記端末装置に送信し、
前記第１制御信号を送信した後、前記端末装置から前記無線中継局への送信１回ごとの通信パラメータを制御する制御信号であって、前記設定情報の一部を含まない第２制御信号を、前記端末装置に送信し、
前記端末装置は、
前記第１制御信号の受信に応答して、前記第１制御信号に含まれる前記設定情報に基づいて第１データ信号を、前記無線中継局に送信し、
前記第２制御信号の受信に応答して、前記第２制御信号に含まれない前記設定情報の一部および第２制御信号に基づいて第２データ信号を、前記無線中継局に送信する
ことを特徴とする通信システム。
【請求項２】
前記無線中継局は、
前記通信チャネルの設定が変更されるとき、前記通信チャネルの状態を評価するための状態参照信号の送信を要求する要求信号を、前記端末装置に送信し、
前記要求信号を送信した後、前記設定情報を含む前記第１制御信号を、前記端末装置に送信することを特徴とする請求項１記載の通信システム。
【請求項３】
前記端末装置は、前記要求信号の受信に応答して、前記状態参照信号を前記無線中継局に送信し、
前記無線中継局は、前記要求信号に対応する前記状態参照信号を前記端末装置から受信した後、前記設定情報を含む前記第１制御信号を、前記端末装置に送信することを特徴とする請求項２記載の通信システム。
【請求項４】
前記無線中継局は、前記第１制御信号に対応する前記第１データ信号を前記端末装置から受信した後、前記設定情報の一部を含まない前記第２制御信号を前記端末装置に送信することを特徴とする請求項１記載の通信システム。
【請求項５】
前記第２制御信号に含まれない前記設定情報の一部は、周波数帯域の割り当て情報であることを特徴とする請求項１記載の通信システム。
【請求項６】
無線中継局と端末装置との間の通信を制御する通信制御方法であって、
前記端末装置から前記無線中継局への送信１回ごとの通信パラメータを制御する制御信号であって、前記端末装置から前記無線中継局への通信チャネルの設定を示す設定情報を含む第１制御信号を、前記端末装置に、前記無線中継局により送信し、
前記第１制御信号の受信に応答して、前記第１制御信号に含まれる前記設定情報に基づいて、前記無線中継局から第１データ信号を、前記端末装置により受信し、
前記第１制御信号を送信した後、前記無線中継局から前記端末装置への送信１回ごとの通信パラメータを制御する制御信号であって、前記設定情報の一部を含まない第２制御信号を、前記端末装置に、前記無線中継局により送信し、
前記第２制御信号の受信に応答して、前記第２制御信号に含まれない前記設定情報の一部および第２制御信号に基づいて、前記無線中継局から第２データ信号を、前記端末装置により受信することを特徴とする通信制御方法。
【請求項７】
前記通信チャネルの設定が変更されるとき、前記通信チャネルの状態の評価結果を示すチャネル状態情報信号の送信を要求する要求信号を、前記端末装置に、前記無線中継局により送信し、
前記要求信号を送信した後、前記設定情報を含む前記第１制御信号を、前記端末装置に、前記無線中継局により送信することを特徴とする請求項６記載の通信制御方法。
【請求項８】
前記要求信号の受信に応答して、前記チャネル状態情報信号を、前記無線中継局に前記端末装置により送信し、
前記要求信号に対応する前記チャネル状態情報信号を前記端末装置から受信した後、前記設定情報を含む前記第１制御信号を、前記端末装置に前記無線中継局により送信することを特徴とする請求項７記載の通信制御方法。
【請求項９】
前記第１データ信号の受信に応答して、前記第１データ信号の応答信号を、前記無線中継局に前記端末装置により送信し、
前記第１制御信号に対応する前記第１データ信号の前記応答信号を前記端末装置から受信した後、前記設定情報の一部を含まない前記第２制御信号を、前記端末装置に前記無線中継局により送信することを特徴とする請求項６記載の通信制御方法。
【請求項１０】
前記第２制御信号に含まれない前記設定情報の一部は、周波数帯域の割り当て情報であることを特徴とする請求項６記載の通信制御方法。
【請求項１１】
移動端末と通信を行う無線中継局であって、
前記移動端末から自局への通信を管理する管理部と、
前記管理部からの指示に基づいて、前記移動端末から自局への送信１回ごとの通信パラメータを制御する制御信号であって、前記移動端末から自局への通信チャネルの設定を示す設定情報を含む第１制御信号を生成する制御信号生成部と、
前記第１制御信号を前記移動端末に送信する無線送信部と、
を有し、
前記制御信号生成部は、前記無線送信部が前記第１制御信号を送信した後、前記制御信号として、前記設定情報の一部を含まない第２制御信号を生成し、
前記無線送信部は、前記第２制御信号を前記移動端末に送信する
ことを特徴とする無線中継局。
【請求項１２】
無線中継局と通信を行う端末装置であって、
前記端末装置から前記無線中継局への送信１回ごとの通信パラメータを制御する制御信号であって、前記端末装置から前記無線中継局への通信チャネルの設定を示す第１設定情報を含む第１制御信号を、前記無線中継局から受信する無線受信部と、
前記第１制御信号を処理し、前記第１制御信号に含まれる前記設定情報を検出する制御信号処理部と、
前記第１制御信号の受信に応答して、前記無線中継局に送信される第１データ信号を生成するデータ信号生成部と、
前記検出された前記設定情報に基づいて、前記第１データ信号を前記無線中継局に送信する無線送信部と、
を有し、
前記無線受信部は、前記第１制御信号を受信した後、前記端末装置から前記無線中継局への送信１回ごとの通信パラメータを制御する制御信号であって、前記設定情報の一部を含まない第２制御信号を、前記無線中継局から受信し、
前記データ信号生成部は、前記第２制御信号の受信に応答して、前記無線中継局に送信される第２データ信号を生成し、
前記無線送信部は、前記第２制御信号に含まれない前記設定情報の一部および第２制御信号に基づいて、前記第２データ信号を前記無線中継局に送信する
ことを特徴とする端末装置。
【発明の詳細な説明】
【技術分野】
【０００１】
本発明の実施例の一側面において開示する技術は、無線局及び通信制御方法に関する。
【背景技術】
【０００２】
無線通信において、無線中継局と無線端末の間のデータ通信を制御する方式として、ダイナミックスケジューリングと呼ばれる方式が知られている。ダイナミックスケジューリングでは、データ通信の際、通信毎に、無線中継局から無線端末に制御信号が送信されることにより、データ通信に用いられる通信パラメータが指定される。例えば、ＬＴＥ（Long Time Evolution）の場合、制御信号はＰＤＣＣＨ（Physical Downlink Control Channel）と呼ばれる下りチャネルにより送信される。無線中継局は、無線端末に各通信用の制御信号を送信することにより、通信毎に周波数帯域割当てや変調符号化方式などの通信パラメータを指定する。【０００３】
尚、以下、本明細書においては、無線端末から無線中継局への方向を「上り」と称し、無線中継局から無線端末への方向を「下り」と称する。【０００４】
また、本明細書において、無線中継局とは、例えば無線基地局やリレー局などの装置であり、ネットワークと無線端末の間で情報を中継する装置を意味するものである。【０００５】
図１は、ＬＴＥにおける上りデータ通信のダイナミックスケジューリングを説明するための図である。【０００６】
図１に示したように、無線中継局はＰＤＣＣＨ（下りチャネル）により、通信対象の無線端末に、上りデータ通信をスケジューリングするための制御信号を送信する。制御信号は例えば、リソースブロック割り当てや変調符号化方式などの上りデータ通信のスケジューリング用の通信パラメータを含む。無線端末には、予め決められたシステム帯域の中から、上りチャネルのための周波数帯域が割り当てられる。【０００７】
無線端末はＰＤＣＣＨにより、無線中継局から制御信号を受信し、受信された制御信号に含まれる通信パラメータに基づいて、上りデータ通信に用いる上りチャネルに割り当てられた周波数帯域を設定する。無線端末に割り当てられる上りチャネルは例えば、ＰＵＳＣＨ（Physical Uplink Shared Channel）である。無線端末は、制御信号を受信したサブフレームから、予め決められた数のサブフレームの後に、設定された周波数帯域を有するＰＵＳＣＨ（上りチャネル）により、無線中継局にデータ信号を送信する。【０００８】
図２は、ＬＴＥにおける下りデータ通信のダイナミックスケジューリングを説明するための図である。【０００９】
図２に示したように、無線中継局はＰＤＣＣＨ（下りチャネル）により、通信対象の無線端末に、下りデータ通信をスケジューリングするための制御信号を送信する。制御信号は例えば、リソースブロック割当てや変調符号化方式などの下りデータ通信のスケジューリング用の通信パラメータを含み、１つのサブフレームの中の前半の部分を用いて送信される。無線端末には、予め決められたシステム帯域の中から、下りチャネルのための周波数帯域が割り当てられる。【００１０】
無線端末はＰＤＣＣＨにより、無線中継局から制御信号を受信し、受信された制御信号に含まれる通信パラメータに基づいて、下りデータ通信に用いる下りチャネルに割り当てられた周波数帯域を設定する。無線端末に割り当てられる下りチャネルは例えば、ＰＤＳＣＨ（Physical Downlink Shared Channel）である。無線端末は、制御信号を受信したサブフレームと同一のサブフレームの後半部分において、設定された周波数帯域を有するＰＤＳＣＨ（下りチャネル）により、無線中継局からデータ信号を受信する。【００１１】
尚、下記特許文献1には、制御信号に含まれる複数の通信パラメータのうちの一部を送信しないようにすることにより、制御信号のオーバーヘッド（データサイズ）を低減する方法が開示されている。
【先行技術文献】
【特許文献】
【００１２】
【特許文献１】特表２０１０−５２６４５３号公報
【発明の概要】
【発明が解決しようとする課題】
【００１３】
ところで、ダイナミックスケジューリングには、以下のようなメリットとデメリットがある。【００１４】
メリットは、通信チャネルの状態やトラフィックの混み具合等に応じて、いつでも柔軟に通信パラメータの設定が可能である点である。これは、無線端末の移動速度が大きく、無線端末周辺の通信環境の変化が激しい場合等であっても、常に最適な通信チャネルを設定することができ、通信チャネルの状態の変化が激しい場合にメリットとなる。【００１５】
一方、デメリットは、繰り返しデータ通信を行う場合に、通信パラメータに変更の必要がない場合でも、通信毎に制御信号を送信する必要があるので、制御信号のオーバーヘッド（データサイズ）が大きくなる点である。これは、端末の移動速度が小さく、無線端末周辺の通信環境の変化も小さい場合等、通信チャネルの設定を変更する必要がない場合であっても、通信毎に制御信号を送信することになり、通信チャネルの状態の変化が小さい場合にデメリットとなる。【００１６】
ここで、上述のデメリットを克服するために、上記特許文献１に示されるように、制御信号に含まれる複数の通信パラメータのうちの一部を送信しないようにすることが考えられるが、この場合、制御信号のオーバーヘッド（データサイズ）を低減できる反面、ダイナミックスケジューリングのメリットである、データ通信のスケジューリングの柔軟性が制限されてしまうという問題点がある。【００１７】
従って、本実施例の一側面においては、制御信号のオーバーヘッド（データサイズ）の低減と、データのスケジューリングの柔軟性を両立させることが可能な、無線通信のダイナミックスケジューリングを提供することを目的とする。
【課題を解決するための手段】
【００１８】
１つの態様では、無線中継局と、前記無線中継局と通信を行う端末装置を含む通信システムであって、前記無線中継局は、前記端末装置から前記無線中継局への送信１回ごとの通信パラメータを制御する制御信号であって、前記端末装置から前記無線中継局への通信チャネルの設定を示す設定情報を含む第１制御信号を、前記端末装置に送信し、前記第１制御信号を送信した後、前記端末装置から前記無線中継局への送信１回ごとの通信パラメータを制御する制御信号であって、前記設定情報の一部を含まない第２制御信号を、前記端末装置に送信し、前記端末装置は、前記第１制御信号の受信に応答して、前記第１制御信号に含まれる前記設定情報に基づいて第１データ信号を、前記無線中継局に送信し、前記第２制御信号の受信に応答して、前記第２制御信号に含まれない前記設定情報の一部および第２制御信号に基づいて第２データ信号を、前記無線中継局に送信する。
【発明の効果】
【００１９】
本実施例の一側面における通信制御方法においては、データ通信のスケジューリングにおいて、制御信号のオーバーヘッド（データサイズ）の低減と、スケジューリングの柔軟性を両立させることができる。
【図面の簡単な説明】
【００２０】
【図１】ＬＴＥにおける上りデータ通信のダイナミックスケジューリングを説明するための図である。
【図２】ＬＴＥにおける下りデータ通信のダイナミックスケジューリングを説明するための図である。
【図３】第１実施例に係る無線通信システムの構成を示す図である。
【図４】第１実施例に係る制御信号の第１フォーマットを示す図である。
【図５】第１実施例に係る制御信号の第２フォーマットを示す図である。
【図６】第１実施例に係る無線通信システム３００において、無線中継局３０２と無線端末３０４の間で行われるデータ通信の制御方法を説明するための図である。
【図７】無線中継局３０２の構成を示す機能ブロック図である。
【図８】無線中継局３０２の構成を示すハードウェア構成図である。
【図９】無線中継局３０２で行われるデータ通信の制御方法を説明するための図である。
【図１０】無線端末３０４の構成を示す機能ブロック図である。
【図１１】無線端末３０４の構成を示すハードウェア構成図である。
【図１２】無線端末３０４で行われるデータ通信制御方法を説明するための図である。
【図１３】第２実施例に係る無線通信システム１３００において、制御信号のフォーマットを第１フォーマットから第２フォーマットに切り替える場合のデータ通信の制御方法を説明するための図である。
【図１４】第２実施例に係る無線通信システム１３００において、制御信号のフォーマットを第２フォーマットから第１フォーマットに切り替える場合のデータ通信の制御方法を説明するための図である。
【図１５】第２実施例に係る無線通信システム１３００において、無線中継局１３０２と無線端末１３０４の間で行われるデータ通信全体の制御方法を説明するための図である。
【図１６】無線中継局１３０２の構成を示す機能ブロック図である。
【図１７】無線中継局１３０２で行われるデータ通信制御方法を説明するための図である。
【図１８】無線端末１３０４の構成を示す機能ブロック図である。
【図１９】無線端末１３０４で行われるデータ通信制御方法を説明するための図（その１）である。
【図２０】無線端末１３０４で行われるデータ通信制御方法を説明するための図（その２）である。
【図２１】第３実施例に係る制御信号の第３フォーマットを示す図である。
【図２２】第３実施例に係る制御信号の第４フォーマットを示す図である。
【図２３】無線通信システム２１００において、無線中継局２１０２と無線端末２１０４の間で行われるデータ通信の制御方法を説明するための図である。
【図２４】無線中継局２１０２の構成を示す機能ブロック図である。
【図２５】無線中継局２１０２で行われるデータ通信制御方法を説明するための図である。
【図２６】無線端末２１０４の構成を示す機能ブロック図である。
【図２７】無線端末２１０４で行われるデータ通信制御方法を説明するための図である。
【図２８】第４実施例に係る無線通信システム２８００において、制御信号のフォーマットを第３フォーマットから第４フォーマットに切り替える場合のデータ通信の制御方法を説明するための図である。
【図２９】第４実施例に係る無線通信システム２８００において、制御信号のフォーマットを第４フォーマットから第３フォーマットに切り替える場合のデータ通信の制御方法を説明するための図である。
【図３０】第４実施例に係る無線通信システム２８００において、無線中継局２８０２と無線端末２８０４の間で行われるデータ通信全体の制御方法を説明するための図である。
【図３１】無線中継局２８０２の構成を示す機能ブロック図である。
【図３２】無線中継局２８０２で行われるデータ通信制御方法を説明するための図である。
【図３３】無線端末２８０４の構成を示す機能ブロック図である。
【図３４】無線端末２８０４で行われるデータ通信制御方法を説明するための図（その１）である。
【図３５】無線端末２８０４で行われるデータ通信制御方法を説明するための図（その２）である。
【発明を実施するための形態】
【００２１】
以下、本発明の実施例について説明する。
【００２２】
以下の各実施例においては、通信方式としてＬＴＥを例にとって説明するが、本発明が適用される通信方式はＬＴＥに限定されることはない。本発明は他の通信方式にも適用可能なものであり、例えば、ＬＴＥ−Ａｄｖａｎｃｅｄに適用することが可能である。
【実施例】
【００２３】
［１．第１実施例］
以下、第１実施例に係る無線局及び通信制御方法について説明する。第１実施例は、ＬＴＥにおける上りデータ通信のダイナミックスケジューリングに関するものである。【００２４】
［１−１．無線通信システム］
図３は、第１実施例に係る無線通信システムの構成を示す図である。【００２５】
図３に示したように、無線通信システム３００は、無線中継局（第１無線局）３０２と無線端末（第２無線局）３０４を含む。無線中継局３０２は、無線端末３０４に制御信号を送信することにより、無線端末３０４との間に通信チャネル（上りチャネル、下りチャネル）を設定し、設定された通信チャネルにより、無線端末３０４とデータ通信を行う。【００２６】
尚、図３では、１つの無線端末３０４しか示されていないが、これには限定されず、１つの無線中継局３０２に対して、複数の無線端末３０４が存在してもよい。また、複数の無線中継局３０２が存在してもよく、あるいは、複数の無線中継局３０２に対して、複数の無線端末３０４が存在してもよい。【００２７】
また、本明細書においては、実施例として、無線中継局及び無線端末を含む無線通信システムを説明するが、無線中継局及び無線端末はいずれも、無線通信システムを構成する無線局の一例にすぎないものである。【００２８】
［１−２．制御信号のフォーマット］
第１実施例に係る無線通信システム３００のダイナミックスケジューリングにおいては、後述するように、上りデータ通信をスケジューリングするための制御信号として、２つのフォーマットの制御信号を切り替えながら用いる。そこで、まず、第１実施例に係る制御信号の２つのフォーマット（第１フォーマット及び第２フォーマット）を説明する。【００２９】
図４は、ＬＴＥにおける上りデータ通信のダイナミックスケジューリングのための制御信号のフォーマットを示す図であり、第１実施例に係る制御信号の第１フォーマットを示す図である。【００３０】
図４に示したように、制御信号の第１フォーマットは、ＬＴＥにおけるＤＣＩ（Downlink Control Information）  ｆｏｒｍａｔ  ０に相当するものであり、複数のフィールドを有する。第１フォーマットは、例えば、リソースブロック割り当て（Resource Block Assignment、ＲＢＡ）、変調符号化方式（Modulation and Coding Scheme、ＭＣＳ）、ＣＳＩ（Channel State Information）報告要求（CSI request）、ＳＲＳ（Sounding Reference Signal）送信要求（SRS request）等の複数の通信パラメータを含むものであり、各々の通信パラメータが対応するフィールドに格納されている。【００３１】
リソースブロックとは、システム帯域に含まれる周波数帯域の単位であり、各無線端末にはリソースブロック単位で周波数帯域が割り当てられる。図４に示した第１フォーマットにおける、リソースブロック割り当て（ＲＢＡ）は、上りデータ通信に対して、通信対象の無線端末に割り当られる周波数帯域を指定するためパラメータである。【００３２】
制御信号の第１フォーマットは後述するように、データ通信を開始する際の上りチャネルのスケジューリング時、及びリソースブロック割り当て（ＲＢＡ）の変更が行われる時に用いられる。【００３３】
図５は、ＬＴＥにおける上りデータ通信のダイナミックスケジューリングのための制御信号のフォーマットを示す図であり、第１実施例に係る制御信号の第２フォーマットを示す図である。【００３４】
図５に示したように、制御信号の第２フォーマットは、図４に示した第１フォーマットから、リソースブロック割り当て（ＲＢＡ）に関するパラメータ（Resource block assignment and hopping resource allocation）が格納されたフィールドを省略したものである。すなわち、制御信号の第２フォーマットには、上りデータ通信に対して、通信対象の無線端末に割り当られる周波数帯域を指定するためパラメータであるソースブロック割り当て（ＲＢＡ）が含まれない。【００３５】
制御信号の第２フォーマットは後述するように、いったんリソースブロック割り当てが完了した後、次にリソースブロック割り当ての変更が行われるまでの期間に用いられる。【００３６】
ここで、図４及び図５から明らかなように、制御信号の第１フォーマットの全体のデータサイズが４３〜４９ビットであるのに対し、第２フォーマットの全体のデータサイズは一部のフィールドを省略したことにより、３０〜３６ビットである。よって、制御信号のフォーマットを、第１フォーマットから第２フォーマットに切り替えることにより、制御信号について、約３０%のオーバーヘッドを削減することができる。【００３７】
尚、図４及び図５に示した例では、省略するパラメータを“Resource block assignment and hopping resource allocation”としたが、代わりに他の通信パラメータを選択することも可能である。例えば、無線中継局３０２と無線端末３０４の間で繰り返しデータ通信が行われる場合に、変更される頻度が小さい通信パラメータであれば、代わりに選択することが可能である。【００３８】
また、図４及び図５では、制御信号のフォーマットとしてＤＣＩ  ｆｏｒｍａｔ  ０を用いたが、これに限定されない。制御信号のフォーマットとしては、他の上りデータ通信をスケジューリングするためのＤＣＩ  ｆｏｒｍａｔを用いることが可能であり、例えば、ＤＣＩ  ｆｏｒｍａｔ  ４を用いることが可能である。【００３９】
［１−３．無線通信システム３００における通信制御］
次に、第１実施例に係る無線通信システム３００において、無線中継局３０２と無線端末３０４の間で行われるデータ通信の制御方法を説明する。【００４０】
尚、以下、説明に際して、例えば、図６中に示されたステップ（１）をステップ６−１と表記する場合がある。図６中に示された他のステップについても同様であり、他の図中に示されたステップについても同様である。【００４１】
図６は、無線通信システム３００において、無線中継局３０２と無線端末３０４の間で行われるデータ通信の制御方法を説明するための図である。【００４２】
図６に示したように、ステップ６−１において、無線中継局３０２は、無線端末３０４との間で上りデータ通信を開始するに当たり、通信対象の無線端末３０４に対して、リソースブロック割り当て等の各種の通信パラメータを決定し、上りデータ通信に用いられる上りチャネルのための周波数帯域を割り当てる。無線中継局３０２は、決定された通信パラメータに基づいて、ＰＤＣＣＨ（下りチャネル）により、通信対象の無線端末３０４に、図４に示した第１フォーマットを有する第１制御信号を送信する。第１制御信号は、上りデータ通信をスケジューリングするための制御信号であり、リソースブロック割り当て（ＲＢＡ）等の通信パラメータを含む。無線端末３０４には、予め決められたシステム帯域の中から、上りチャネルのための周波数帯域が割り当てられる。【００４３】
無線端末３０４はＰＤＣＣＨにより、無線中継局３０２から、第１フォーマットを有する第１制御信号を受信する。無線端末３０４は、受信された第１制御信号に含まれる通信パラメータに基づいて、上りデータ通信に用いられる上りチャネルに割り当てられた周波数帯域を設定する。無線端末３０４に割り当てられる上りチャネルは例えば、ＰＵＳＣＨである。【００４４】
無線端末３０４は、制御信号を受信したサブフレームから、予め決められた数のサブフレームの後に、設定された周波数帯域を有するＰＵＳＣＨ（上りチャネル）により、無線中継局３０２にデータ信号を送信する。【００４５】
次に、ステップ６−２において、無線中継局３０２は例えば、図示しない、上りチャネルの品質などの状態を評価するための参照信号ＳＲＳ（Sounding Reference Signal）を無線端末３０４から一定のサブフレーム間隔で定期的に受信することにより、ステップ６−１において割り当てた上りチャネルの状態を監視する。無線中継局３０２は、受信された参照信号ＳＲＳに基づいて、リソースブロック割り当てについて変更の必要が有るか否かを判定する。【００４６】
そして、無線中継局３０２は、リソースブロック割り当てについて変更の必要が無いと判定すると、上りチャネルに割り当てられた周波数帯域を変更せず、通信対象の無線端末３０４に、図５に示した第２フォーマットを有する第２制御信号を送信する。すなわち、無線中継局３０２は制御信号のフォーマットを第１フォーマットから第２フォーマットに切り替える。第２制御信号は、上りデータ通信をスケジューリングするための制御信号であるが、リソースブロック割り当て（ＲＢＡ）を通信パラメータとして含まない。第２制御信号において、リソースブロック割り当て（ＲＢＡ）を除く通信パラメータについては、上りチャネルの状態の監視結果に応じて、適宜最適な値が決定される。【００４７】
無線端末３０４はＰＤＣＣＨにより、無線中継局３０２から、第２フォーマットを有する第２制御信号を受信する。無線端末３０４は、第２フォーマットを有する第２制御信号を受信すると、上りチャネルに割り当てられた周波数帯域は、ステップ６−１で割り当てられた周波数帯域と同一であると認識する。無線端末３０４は、受信された第２制御信号に含まれる通信パラメータに基づいて、第２制御信号を受信したサブフレームから、予め決められた数のサブフレームの後に、すでに設定されている周波数帯域を有するＰＵＳＣＨ（上りチャネル）により、無線中継局３０２にデータ信号を送信する。【００４８】
次に、ステップ６−３において、無線中継局３０２は、上りチャネルの状態監視を継続し、リソースブロック割り当て、すなわち、第２フォーマットの制御信号で省略した通信パラメータについて変更の必要が有るか否かを判定する。【００４９】
そして、無線中継局３０２は、リソースブロック割り当て、すなわち、第２フォーマットの制御信号で省略した通信パラメータについて変更の必要が有ると判定すると、第２フォーマットの中のＳＲＳ送信要求（SRS request）フィールドを、参照信号ＳＲＳの送信を要求することを示す特定の値（例えば、２進数のデータ“１”）に設定した上で、第２フォーマットを有する第２制御信号を、通信対象の無線端末３０４に送信する。【００５０】
ここで、第２フォーマットを有する第２制御信号において、ＳＲＳ送信要求（SRS request）フィールドが参照信号ＳＲＳの送信要求を示す特定の値であることは、次のデータ通信から、上りチャネルに割り当てられたリソースブロック（周波数帯域）、すなわち、第２フォーマットの制御信号で省略した通信パラメータが変更されることを意味するということを、無線中継局３０２と無線端末３０４の間で事前に取り決めておく。これにより、無線中継局３０２は、ＳＲＳ送信要求（SRS request）フィールドを参照信号ＳＲＳの送信要求を示す特定の値に設定することにより、第２フォーマットを有する第２制御信号を介して、無線端末３０４に、次のデータ通信から、上りチャネルに割り当てられたリソースブロック（周波数帯域）が変更されることを通知することができる。【００５１】
無線端末３０４はＰＤＣＣＨにより、無線中継局３０２から、ＳＲＳ送信要求（SRS request）フィールドが参照信号ＳＲＳの送信要求を示す特定の値に設定された、第２フォーマットを有する第２制御信号を受信する。無線端末３０４は、受信された第２制御信号に含まれる、ＳＲＳ送信要求（SRS request）フィールドの値に基づいて、次のデータ通信から、上りチャネルに割り当てられたリソースブロック（周波数帯域）が変更されることを認識する。また、無線端末３０４は、第２フォーマットを有する第２制御信号を受信することにより、現在のデータ通信では、上りチャネルに割り当てられた周波数帯域は、ステップ６−１で割り当てられた周波数帯域と同一のままであると認識する。【００５２】
無線端末３０４は、第２制御信号を受信したサブフレームから、予め決められた数のサブフレームの後に、すでに設定されている周波数帯域を有するＰＵＳＣＨ（上りチャネル）により、無線中継局３０２にデータ信号を送信する。また、無線端末３０４は、第２制御信号において、ＳＲＳ送信要求（SRS request）フィールドが参照信号ＳＲＳの送信要求を示す特定の値に設定されていることから、参照信号ＳＲＳを生成し、生成された参照信号ＳＲＳを無線中継局３０２に送信する。【００５３】
ここで、生成される参照信号ＳＲＳは、システム帯域の全帯域あるいは一部の帯域における上りチャネルの状態を評価することが可能なものである。また、図６に示した例では、参照信号ＳＲＳは複数のサブフレームに分割して送信されているが、１つのサブフレームにより送信するようにしてもよい。【００５４】
次に、ステップ６−４において、無線中継局３０２は、ステップ６−３において無線端末３０４から送信された参照信号ＳＲＳを受信するとともに、上りリンクの通信チャネルの状態監視を継続する。無線中継局３０２は、その状態監視結果に応じて、通信対象の無線端末３０４に対して、リソースブロック割り当て等の各種の通信パラメータを新たに決定し、上りデータ通信に用いられる上りチャネルのための周波数帯域を新たに割り当てる。無線中継局３０２は、決定された通信パラメータに基づいて、ＰＤＣＣＨ（下りチャネル）により、通信対象の無線端末３０４に、第１フォーマットを有する第１制御信号を送信する。すなわち、無線中継局３０２は制御信号のフォーマットを第２フォーマットから第１フォーマットに切り替える。【００５５】
無線端末３０４はＰＤＣＣＨにより、無線中継局３０２から、第１フォーマットを有する第１制御信号を受信する。無線端末３０４は、受信された第１制御信号に含まれる通信パラメータに基づいて、上りデータ通信に用いられる上りチャネルに対して新たに割り当てられた周波数帯域を設定する。【００５６】
無線端末３０４は、第１制御信号を受信したサブフレームから、予め決められた数のサブフレームの後に、新たに設定された周波数帯域を有するＰＵＳＣＨ（上りチャネル）により、無線中継局３０２にデータ信号を送信する。【００５７】
ステップ６−５において、無線中継局３０２は、ステップ６−２の場合と同様に、上りチャネルに新たに割り当てられた周波数帯域を変更せず、通信対象の無線端末３０４に、第２フォーマットを有する第２制御信号を送信する。【００５８】
無線端末３０４は、ステップ６−２の場合と同様に、無線中継局３０２から、第２フォーマットを有する第２制御信号を受信すると、上りチャネルに割り当てられた周波数帯域は、ステップ６−４で割り当てられた周波数帯域と同一であると認識し、すでに設定されている周波数帯域を有するＰＵＳＣＨ（上りチャネル）により、無線中継局３０２にデータ信号を送信する。【００５９】
以上説明したように、第１実施例に係る無線通信システム３００においては、無線中継局３０２が無線端末３０４に、リソースブロック割り当て（ＲＢＡ）を含む、第１フォーマットを有する第１制御信号を送信した後、制御信号のフォーマットを、リソースブロック割り当て（ＲＢＡ）を含まない、第２フォーマットに切り替え、無線中継局３０２がリソースブロック割り当てについて変更の必要が有ると判定したときに、再度、制御信号のフォーマットを第１フォーマットに切り替えるようにしたので、データ通信のスケジューリングにおいて、制御信号のオーバーヘッド（データサイズ）の低減と、スケジューリングの柔軟性を両立させることができる。【００６０】
また、無線中継局３０２は、制御信号のフォーマットを第２フォーマットから第１フォーマットを切り替える際に、第２フォーマットの中のＳＲＳ送信要求（SRS request）フィールドを、参照信号ＳＲＳの送信を要求することを示す特定の値に設定した上で、第２フォーマットを有する第２制御信号を無線端末３０４に送信するので、無線端末３０４に対して、制御信号のフォーマットが切り替わることを適切に通知することができ、制御信号のフォーマットの切り替えを確実に実行することができる。【００６１】
［１−４．無線中継局３０２］
次に、無線中継局３０２の構成、及び、無線中継局３０２で行われるデータ通信制御方法を説明する。【００６２】
［１−４−１．無線中継局３０２の構成］
図７は、無線中継局３０２の構成を示す機能ブロック図である。図７に示したように、無線中継局３０２は、スケジューラ７０２、制御信号フォーマット制御部７０４、制御信号生成部７０６、ＭＡＣ制御情報生成部７０８、ＲＲＣ制御情報生成部７１０、データ生成部７１２、制御チャネル生成部７１４、共有チャネル生成部７１６、多重部７１８、無線送信部７２０、無線受信部７２２、分離部７２４、上りデータ処理部７２６、及びチャネル状態監視部７２８を含む。【００６３】
スケジューラ７０２は、チャネル状態監視部７２８から、上りチャネルの状態の監視結果を受けとり、受けとった状態監視結果に基づいて、無線端末３０４に送信される制御信号に含まれる各種の通信パラメータを決定する。また、スケジューラ７０２は、下り共有チャネル（ＰＤＳＣＨ）により無線端末３０４に送信する信号の内容を、後述するＭＡＣ制御情報生成部７０８、ＲＲＣ制御情報生成部７１０、及びデータ生成部７１２の出力信号の中から決定する。【００６４】
制御信号フォーマット制御部７０４は、ＰＤＣＣＨにより送信される制御信号のフォーマットの種別を制御する。すなわち、制御信号フォーマット制御部７０４は、スケジューラ７０２の制御の下で、後述する制御信号生成部７０６に対して、制御信号のフォーマットとして、図４に示した第１フォーマットと図５に示した第２フォーマットのどちらを用いるかを指定する。第１フォーマット及び第２フォーマットの詳細については上述したとおりである。【００６５】
制御信号生成部７０６は、スケジューラ７０２によって決定された各種の通信パラメータを含む制御信号を、制御信号フォーマット制御部７０４によって指定されたフォーマットで生成する。【００６６】
制御チャネル生成部７１４は、制御信号生成部７０６によって生成された制御信号を受けとり、受けとった制御信号をＰＤＣＣＨのデータフォーマットに適合した形式の信号に変換し、ＰＤＣＣＨにより送信可能な状態にする。【００６７】
ＭＡＣ（Media Access Control）制御情報生成部７０８は、データリンク層（レイヤ２）におけるメディアアクセス制御に関連する制御情報を生成する。【００６８】
ＲＲＣ（Radio Resource Control）制御情報生成部７１０は、データリンク層（レイヤ２）における無線リソース制御に関連する制御情報を生成する。【００６９】
データ生成部７１２は、無線端末３０４に送信されるデータ信号を生成する。【００７０】
共有チャネル生成部７１６は、ＭＡＣ制御情報生成部７０８、ＲＲＣ制御情報生成部７１０、及びデータ生成部７１２からの信号を受けとり、受けとった信号をＰＤＳＣＨのデータフォーマットに適合した形式の信号に変換し、ＰＤＳＣＨにより送信可能な状態にする。【００７１】
多重部７１８は、制御チャネル生成部７１４及び共有チャネル生成部７１６からの出力信号を受けとり、受けとった出力信号を無線送信部７２０に出力する。【００７２】
無線送信部７２０は、多重部７１８からの出力信号を受けとり、受けとった出力信号を、無線端末３０４に割り当てられたＰＤＣＣＨ又はＰＤＳＣＨに対応する周波数帯域の無線信号に変換して、アンテナを介して無線端末３０４に送信する。【００７３】
無線受信部７２２は、アンテナを介して、無線端末３０４に割り当てられたＰＵＣＣＨ又はＰＵＳＣＨに対応する周波数帯域の無線信号を、無線端末３０４から受信し、受信した無線信号を無線中継局３０２の内部で処理可能な周波数の信号に変換して、分離部７２４に出力する。【００７４】
分離部７２４は、無線受信部７２２の出力信号を受けとり、無線受信部７２２の出力信号がデータ信号である場合、受けとったデータ信号を上りデータ処理部７２６に出力する。分離部７２４は、無線受信部７２２の出力信号が、上りチャネルの状態を評価するための参照信号ＳＲＳである場合、受けとった参照信号ＳＲＳをチャネル状態監視部７２８に出力する。【００７５】
上りデータ処理部７２６は、分離部７２４からデータ信号を受けとり、受けとったデータ信号に対して復調処理を行うことにより、データを取得する。【００７６】
チャネル状態監視部７２８は、分離部７２４から参照信号ＳＲＳを受けとり、受けとった参照信号ＳＲＳに基づいて、上りチャネルの状態を監視する。チャネル状態監視部７２８は、上りチャネルの状態の監視結果を示す情報をスケジューラ７０２に供給する。【００７７】
図８は、無線中継局３０２の構成を示すハードウェア構成図である。無線中継局３０２は、プロセッサ８０２、メモリ８０４、記憶装置８０６、無線通信インターフェース８０８、バス８１０を含む。プロセッサ８０２、メモリ８０４、記憶装置８０６及び無線通信インターフェース８０８はそれぞれバス８１０に接続されている。図７に示した無線中継局３０２の各機能ブロックの機能は、図８に示した無線中継局３０２のハードウェア構成によって実現することができる。ここで、メモリ８０４は例えば、ＲＡＭである。記憶装置８０６は例えば、ＲＯＭやフラッシュメモリ等の不揮発性メモリ、あるいは、ＨＤＤ（Hard Disk Drive）等の磁気ディスク装置である。【００７８】
図７に示したスケジューラ７０２、制御信号フォーマット制御部７０４、制御信号生成部７０６、ＭＡＣ制御情報生成部７０８、ＲＲＣ制御情報生成部７１０、データ生成部７１２、制御チャネル生成部７１４、共有チャネル生成部７１６、多重部７１８、分離部７２４、上りデータ処理部７２６、及びチャネル状態監視部７２８の各機能ブロックの機能及び処理は、対応する機能及び処理を記述した処理プログラムを、プロセッサ８０２が実行することにより実現することができる。処理プログラムは記憶装置８０６に格納されており、プロセッサ８０２が、記憶装置８０６に格納された処理プログラムをメモリ８０４に展開し、処理プログラムに記述された各処理を実行することにより、図７に示した上述の各機能ブロックが実現される。【００７９】
尚、図７に示した上述の各機能ブロックは、図８に示したハードウェア構成のほかに、ＡＳＩＣ（Application Specified Integrated Circuit）やＦＰＧＡ（Field Programmable Gate Array）等のＬＳＩによって実現するようにしてもよい。【００８０】
図７に示した無線送信部７２０及び無線受信部７２２は、無線通信インターフェース８０８によって実現することができる。無線通信インターフェース８０８は例えば、ＲＦ  ＩＣ（Radio Frequency Integrated Circuit）等のＬＳＩである。【００８１】
無線通信インターフェース８０８はバス８１０からデジタル信号を受けとり、受けとったデジタル信号をアナログ信号に変換する。無線通信インターフェース８０８はさらに、変換後のアナログ信号を、無線通信において使用される周波数帯域の無線信号に変換し、図示しないアンテナを介して、無線端末３０４に送信する。また、無線通信インターフェース８０８は、図示しないアンテナを介して、無線通信において使用される周波数帯域の無線信号を無線端末３０４から受信し、受信した無線信号を、プロセッサ８０２が処理可能な周波数のアナログ信号に変換する。無線通信インターフェース８０８はさらに、変換後のアナログ信号をデジタル信号に変換し、変換後のデジタル信号をバス８１０に出力する。【００８２】
［１−４−２．無線中継局３０２におけるデータ通信制御方法］
図９は、無線中継局３０２で行われるデータ通信制御方法を説明するための図である。以下、図９に加えて、図７を用いて、無線中継局３０２で行われるデータ通信制御方法を説明する。【００８３】
ステップＳ９０２において、無線中継局３０２は、一連のデータ通信制御処理を開始する。【００８４】
次に、ステップＳ９０４において、チャネル状態監視部７２８は、無線受信部７２２及び分離部７２４を介して、無線端末３０４から参照信号ＳＲＳを受けとり、受けとった参照信号ＳＲＳに基づいて、上りチャネルの状態監視を開始する。チャネル状態監視部７２８は同様の方法で、上りチャネルの状態監視を継続する。【００８５】
次に、ステップＳ９０６において、スケジューラ７０２は、チャネル状態監視部７２８から、ステップＳ９０４における上りチャネルの状態の監視結果を受けとり、受けとった状態監視結果に基づいて、上りデータ通信をスケジューリングする必要が有るか否かを判定する。その結果、スケジューリングが必要と判定された場合は、処理はステップＳ９０８に進む。例えば、無線端末３０４から無線中継局３０２に、上りデータ通信の開始に伴い、上りチャネル（ＰＵＳＣＨ）の割り当ての要求があった場合や、無線端末３０４から無線中継局３０２へ送信すべきデータがある場合等に、スケジューリングが必要であると判定される。一方、スケジューリングが不要であると判定された場合は、処理は再度ステップＳ９０６に戻る。【００８６】
ステップＳ９０８において、スケジューラ７０２は、ステップＳ９０６で受けとった状態監視結果に基づいて、無線端末３０４に送信される制御信号に含まれる、リソースブロック割り当て（ＲＢＡ）のフィールドの値を決定する。【００８７】
次に、ステップＳ９１０において、スケジューラ７０２は、ステップＳ９０６で受けとった状態監視結果に基づいて、無線端末３０４に送信される制御信号に含まれる、リソースブロック割り当て（ＲＢＡ）を除く各種の通信パラメータを決定する。制御信号生成部７０６は、スケジューラ７０２の制御の下、リソースブロック割り当て（ＲＢＡ）を含む、決定された各種の通信パラメータに基づいて、図４に示した第１フォーマットを有する第１制御信号を生成する。尚、このとき、制御信号フォーマット制御部７０４は、制御信号生成部７０６に対して、制御信号のフォーマットとして、図４に示した第１フォーマットを用いるように指定する。【００８８】
次に、ステップＳ９１２において、制御チャネル生成部７１４は、ステップＳ９１０において生成された制御信号を、ＰＤＣＣＨのデータフォーマットに適合した形式の信号に変換し、ＰＤＣＣＨにより送信可能な状態にする。無線送信部７２０は、多重部７１８を介して、制御チャネル生成部７１４の出力信号を受けとり、受けとった出力信号を、ＰＤＣＣＨに対応する周波数帯域の無線信号に変換して、アンテナを介して無線端末３０４に送信する。【００８９】
次に、ステップ９１４において、スケジューラ７０２は制御信号フォーマット制御部７０４に対して、制御信号のフォーマットを第１フォーマットから、図５に示した第２フォーマットに切り替えるように指示する。制御信号フォーマット制御部７０４は、制御信号生成部７０６に対して、制御信号のフォーマットとして、第２フォーマットを用いるように指定する。【００９０】
次に、ステップＳ９１６において、スケジューラ７０２は、チャネル状態監視部７２８から、上りチャネルの状態の監視結果を受けとり、受けとった状態監視結果に基づいて、上りデータ通信のための上りチャネルに対するリソースブロック割り当てを変更する必要が有るか否かを判定する。その結果、リソースブロック割り当ての変更の必要がないと判定された場合、処理はステップＳ９１８に進む。リソースブロック割り当ての変更の必要があると判定された場合、処理はステップＳ９２４に進む。【００９１】
ステップＳ９１８において、スケジューラ７０２は、ステップＳ９１６において受けとった状態監視結果に基づいて、上りデータ通信をスケジューリングする必要が有るか否かを判定する。その結果、スケジューリングが必要と判定された場合は、処理はステップＳ９２０進む。一方、スケジューリングが不要と判定された場合は、処理は再度ステップＳ９１８に戻る。【００９２】
次に、ステップＳ９２０において、スケジューラ７０２は、ステップＳ９１６で受けとった状態監視結果に基づいて、無線端末３０４に送信される制御信号に含まれる、リソースブロック割り当て（ＲＢＡ）を除く各種の通信パラメータを決定する。制御信号生成部７０６は、スケジューラ７０２の制御の下、決定された各種の通信パラメータに基づいて、第２フォーマットを有する制御信号を生成する。【００９３】
尚、このとき、制御信号フォーマット制御部７０４は、制御信号生成部７０６に対して、制御信号のフォーマットとして、第２フォーマットを用いるように指定する。また、上述のとおり、第２フォーマットにはリソースブロック割り当て（ＲＢＡ）のフィールドは含まれないが、リソースブロック割り当て（ＲＢＡ）の値（割り当てられた周波数帯域の値）は、ステップＳ９０８において決定された値と同一の値が保持される。【００９４】
次に、ステップＳ９２２において、制御チャネル生成部７１４は、ステップＳ９２０において生成された制御信号を、ＰＤＣＣＨのデータフォーマットに適合した形式の信号に変換し、ＰＤＣＣＨにより送信可能な状態にする。無線送信部７２０は、多重部７１８を介して、制御チャネル生成部７１４の出力信号を受けとり、受けとった出力信号を、ＰＤＣＣＨに対応する周波数帯域の無線信号に変換して、アンテナを介して無線端末３０４に送信する。【００９５】
一方、ステップＳ９２４において、スケジューラ７０２は、第２フォーマットの中のＳＲＳ送信要求（SRS request）フィールドを、参照信号ＳＲＳの送信要求を示す特定の値に設定するように、制御信号生成部７０６に指示する。【００９６】
次に、ステップＳ９２６において、スケジューラ７０２は、ステップＳ９１６で受けとった状態監視結果に基づいて、無線端末３０４に送信される制御信号に含まれる、リソースブロック割り当て（ＲＢＡ）を除く各種の通信パラメータを決定する。制御信号生成部７０６は、スケジューラ７０２の制御の下、決定された各種の通信パラメータに基づいて、ＳＲＳ送信要求（SRS request）フィールドが参照信号ＳＲＳの送信要求を示す特定の値に設定された、第２フォーマットを有する第２制御信号を生成する。【００９７】
ここで、第２フォーマットを有する第２制御信号において、ＳＲＳ送信要求（SRS request）フィールドが参照信号ＳＲＳの送信要求を示す特定の値であることは、次のデータ通信から、上りチャネルに割り当てられたリソースブロック（周波数帯域）、すなわち、第２フォーマットの制御信号で省略した通信パラメータが変更されることを意味するということを、無線中継局３０２と無線端末３０４の間で事前に取り決めておく。【００９８】
次に、ステップＳ９２８において、制御チャネル生成部７１４は、ステップＳ９２６において生成された制御信号を、ＰＤＣＣＨのデータフォーマットに適合した形式の信号に変換し、ＰＤＣＣＨにより送信可能な状態にする。無線送信部７２０は、多重部７１８を介して、制御チャネル生成部７１４の出力信号を受けとり、受けとった出力信号を、ＰＤＣＣＨに対応する周波数帯域の無線信号に変換して、アンテナを介して無線端末３０４に送信する。【００９９】
次に、ステップＳ９３０において、スケジューラ７０２は制御信号フォーマット制御部７０４に対して、制御信号のフォーマットを第２フォーマットから第１フォーマットに切り替えるように指示する。制御信号フォーマット制御部７０４は、制御信号生成部７０６に対して、制御信号のフォーマットとして、第１フォーマットを用いるように指定する。その後、処理はステップＳ９０６に戻る。【０１００】
以上説明したように、第１実施例に係る無線中継局３０２は無線端末３０４に、リソースブロック割り当て（ＲＢＡ）を含む、第１フォーマットを有する第１制御信号を送信した後、制御信号のフォーマットを、リソースブロック割り当て（ＲＢＡ）を含まない、第２フォーマットに切り替え、無線中継局３０２がリソースブロック割り当てについて変更の必要が有ると判定したときに、再度、制御信号のフォーマットを第１フォーマットに切り替えるようにしたので、データ通信のスケジューリングにおいて、制御信号のオーバーヘッド（データサイズ）の低減と、スケジューリングの柔軟性を両立させることができる。【０１０１】
また、無線中継局３０２は、制御信号のフォーマットを第２フォーマットから第１フォーマットを切り替える際に、第２フォーマットの中のＳＲＳ送信要求（SRS request）フィールドを、参照信号ＳＲＳの送信を要求することを示す特定の値に設定した上で、第２フォーマットを有する第２制御信号を無線端末３０４に送信するので、無線端末３０４に対して、制御信号のフォーマットが切り替わることを適切に通知することができ、制御信号のフォーマットの切り替えを確実に実行することができる。【０１０２】
［１−５．無線端末３０４］
次に、無線端末３０４の構成、及び、無線端末３０４で行われるデータ通信制御方法を説明する。【０１０３】
［１−５−１．無線端末３０４の構成］
図１０は、無線端末３０４の構成を示す機能ブロック図である。図１０に示したように、無線端末３０４は、無線受信部１００２、分離部１００４、制御チャネル処理部１００６、制御信号フォーマット制御部１００８、共有チャネル処理部１０１０、データ生成部１０１２、ＳＲＳ生成部１０１４、共有チャネル生成部１０１６、多重部１０２０、及び無線送信部１０２２を含む。【０１０４】
無線受信部１００２は、アンテナを介して、無線端末３０４に割り当てられたＰＤＣＣＨ又はＰＤＳＣＨに対応する周波数帯域の無線信号を、無線中継局３０２から受信し、受信した無線信号を無線端末３０４の内部で処理可能な周波数の信号に変換して、分離部１００４に出力する。【０１０５】
分離部１００４は、無線受信部１００２の出力信号を受けとり、無線受信部１００２の出力信号が、下り制御チャネル（ＰＤＣＣＨ）により受信された信号（例えば、上りデータ通信をスケジューリングする制御信号）である場合、受けとった受信信号を制御チャネル処理部１００６に出力する。分離部１００４は、無線受信部１００２の出力信号が、下り共有チャネル（ＰＤＳＣＨ）により受信された信号（例えば、データ信号）である場合、受けとった受信信号を共有チャネル処理部１０１０に出力する。【０１０６】
制御信号フォーマット制御部１００８は、制御チャネル処理部１００６が上りデータ通信をスケジューリングする制御信号を処理する際に用いるべき制御信号のフォーマットを選択する。制御信号フォーマット制御部１００８は、制御チャネル処理部１００６に対して、制御信号のフォーマットとして、図４に示した第１フォーマットと図５に示した第２フォーマットのどちらを用いるかを指定する。【０１０７】
制御チャネル処理部１００６は、分離部１００４からの受信信号が上りデータ通信をスケジューリングする制御信号であるとき、制御信号フォーマット制御部１００８によって指定されたフォーマットにより、受信された制御信号を処理し、制御信号に含まれる各種の通信パラメータを取得する。【０１０８】
制御チャネル処理部１００６は、指定された制御信号のフォーマットが第１フォーマットであり、取得した通信パラメータに、リソースブロック割り当て（ＲＢＡ）が含まれている場合、無線端末３０４に割り当てられた周波数帯域（リソースブロック）の情報を取得する。制御チャネル処理部１００６は、制御信号フォーマット制御部１００８に対して、次のデータ通信から、制御信号のフォーマットとして、リソースブロック割り当て（ＲＢＡ）フィールドを含まない、第２フォーマットを選択するように指示する。【０１０９】
また、制御チャネル処理部１００６は、指定された制御信号のフォーマットが第２フォーマットであり、取得したパラメータの中のＳＲＳ送信要求（SRS request）のフィールドが、参照信号ＳＲＳの送信要求を示す特定の値であることを検出した場合、制御信号フォーマット制御部１００８に対して、次のデータ通信から、制御信号のフォーマットとして、リソースブロック割り当て（ＲＢＡ）フィールドを含む、第１フォーマットを選択するように指示する。【０１１０】
共有チャネル処理部１０１０は、分離部１００４からの受信信号がデータ信号であるとき、受けとったデータ信号に対して復調処理を行うことにより、データを取得する。【０１１１】
データ生成部１０１２は、制御チャネル処理部１００６において上りデータ通信のための通信パラメータが取得されると、無線中継局３０２に送信するデータ信号を生成する。【０１１２】
ＳＲＳ生成部１０１４は、制御チャネル処理部１００６において、ＳＲＳ送信要求（SRS request）のフィールドが参照信号ＳＲＳの送信要求を示す特定の値であることが検出された場合、上りチャネルの状態を評価するための参照信号ＳＲＳを生成する。また、ＳＲＳ生成部１０１４は、上記の場合以外にも、一定のサブフレーム間隔で定期的に、参照信号ＳＲＳを生成する。【０１１３】
共有チャネル生成部１０１６は、データ生成部１０１２によって生成されたデータ信号を受けとり、受けとったデータ信号をＰＵＳＣＨのデータフォーマットに適合した形式の信号に変換し、ＰＵＳＣＨにより送信可能な状態にする。【０１１４】
多重部１０２０は、共有チャネル生成部１０１６及びＳＲＳ生成部１０１４からの出力信号を受けとり、受けとった出力信号を無線送信部１０２２に出力する。【０１１５】
無線送信部１０２２は、多重部１０２０からの出力信号を受けとり、受けとった出力信号を、無線端末３０４に割り当てられたＳＲＳ、ＰＵＣＣＨ又はＰＵＳＣＨに対応する周波数帯域の無線信号に変換して、アンテナを介して無線中継局３０２に送信する。【０１１６】
図１１は、無線端末３０４の構成を示すハードウェア構成図である。無線中継局３０２は、プロセッサ１１０２、メモリ１１０４、記憶装置１１０６、無線通信インターフェース１１０８、バス１１１０を含む。プロセッサ１１０２、メモリ１１０４、記憶装置１１０６及び無線通信インターフェース１１０８はそれぞれバス１１１０に接続されている。図１０に示した無線端末３０４の各機能ブロックの機能は、図１１に示した無線端末３０４のハードウェア構成によって実現することができる。【０１１７】
図１０に示した分離部１００４、制御チャネル処理部１００６、制御信号フォーマット制御部１００８、及び共有チャネル処理部１０１０、データ生成部１０１２、ＳＲＳ生成部１０１４、共有チャネル生成部１０１６、制御チャネル生成部１０１８、多重部１０２０の各機能ブロックの機能及び処理は、対応する機能及び処理を記述した処理プログラムを、プロセッサ１１０２が実行することにより実現することができる。処理プログラムは記憶装置１１０６に格納されており、プロセッサ１１０２が、記憶装置１１０６に格納された処理プログラムをメモリ１１０４に展開し、処理プログラムに記述された各処理を実行することにより、図１０に示した上述の各機能ブロックが実現される。ここで、メモリ１１０４は例えば、ＲＡＭである。記憶装置１１０６は例えば、ＲＯＭやフラッシュメモリ等の不揮発性メモリ、あるいは、ＨＤＤ（Hard Disk Drive）等の磁気ディスク装置である。【０１１８】
尚、図１０に示した上述の各機能ブロックは、図１１に示したハードウェア構成のほかに、ＡＳＩＣやＦＰＧＡといったＬＳＩによって実現するようにしてもよい。【０１１９】
図１０に示した無線受信部１００２及び無線送信部１０２２は、無線通信インターフェース１１０８によって実現することができる。無線通信インターフェース１１０８は例えば、ＲＦ  ＩＣ（Radio Frequency Integrated Circuit）等のＬＳＩである。【０１２０】
無線通信インターフェース１１０８はバス１１１０からデジタル信号を受けとり、受けとったデジタル信号をアナログ信号に変換する。無線通信インターフェース１１０８はさらに、変換後のアナログ信号を、無線通信において使用される周波数帯域の無線信号に変換し、図示しないアンテナを介して、無線中継局３０２に送信する。また、無線通信インターフェース１１０８は、図示しないアンテナを介して、無線通信において使用される周波数帯域の無線信号を無線中継局３０２から受信し、受信した無線信号を、プロセッサ１１０２が処理可能な周波数のアナログ信号に変換する。無線通信インターフェース１１０８はさらに、変換後のアナログ信号をデジタル信号に変換し、変換後のデジタル信号をバス１１１０に出力する。【０１２１】
［１−５−２．無線端末３０４におけるデータ通信制御方法］
図１２は、無線端末３０４で行われるデータ通信制御方法を説明するための図である。以下、図１２に加えて、図１０を用いて、無線端末３０４で行われるデータ通信制御方法を説明する。【０１２２】
ステップＳ１２０２において、無線端末３０４は、一連のデータ通信制御処理を開始する。【０１２３】
次に、ステップＳ１２０４において、制御信号フォーマット制御部１００８は、制御チャネル処理部１００６が上りデータ通信をスケジューリングする制御信号を処理する際に用いるべき制御信号のフォーマットとして、リソースブロック割り当て（ＲＢＡ）フィールドを含む、図４に示した第１フォーマットを選択する。制御信号フォーマット制御部１００８は、制御チャネル処理部１００６に対して、制御信号のフォーマットとして第１フォーマットを指定する。【０１２４】
次に、ステップＳ１２０６において、ＳＲＳ生成部１０１４は、上りチャネルの状態を評価するための参照信号ＳＲＳを生成する。この参照信号ＳＲＳの生成は、以降の各ステップにおける処理とは関係なく、一定のサブフレーム間隔で定期的に行われるものである。【０１２５】
制御チャネル生成部１０１８は、ＳＲＳ生成部１０１４によって生成された参照信号ＳＲＳをＳＲＳに割り当てられた周波数帯域の無線信号に変換し、アンテナを介して送信可能な状態にする。無線送信部１０２２は、多重部１０２０を介して受けとった、共有チャネル生成部１０１６の出力信号を、ＰＵＳＣＨに対応する周波数帯域の無線信号に変換して、アンテナを介して無線中継局３０２に送信する。【０１２６】
次に、ステップＳ１２０８において、無線受信部１００２は、無線中継局３０２から、ＰＤＣＣＨにより、上りデータ通信をスケジューリングする制御信号を受信した否かを監視する。【０１２７】
次に、ステップＳ１２１０において、制御チャネル処理部１００６は、無線受信部１００２が上りデータ通信をスケジューリングする制御信号を受信したとき、分離部１００４を介して、無線受信部１００２から、受信された制御信号を受けとる。制御チャネル処理部１００６は、受信された制御信号が、制御信号フォーマット制御部１００８によって指定された第１フォーマットを有する制御信号であるか否かを判定する。その結果、第１フォーマットを有する制御信号が検出された場合、処理はステップＳ１２１２に進む。一方、第１フォーマットを有する制御信号が検出されなかった場合、処理はステップＳ１２０８に戻る。【０１２８】
次に、ステップＳ１２１２において、制御チャネル処理部１００６は、制御信号フォーマット制御部１００８によって指定された第１フォーマットにより、受信された制御信号を処理し、制御信号に含まれる各種の通信パラメータを取得する。制御チャネル処理部１００６は、取得されたリソースブロック割り当て（ＲＢＡ）のフィールドの値から、無線端末３０４に割り当てられた周波数帯域（リソースブロック）の情報を取得する。制御チャネル処理部１００６は、制御信号フォーマット制御部１００８に対して、制御信号のフォーマットとして、リソースブロック割り当て（ＲＢＡ）フィールドを含まない、第２フォーマットを選択するように指示する。【０１２９】
一方、データ生成部１０１２は、無線中継局３０２に送信するデータ信号を生成する。共有チャネル生成部１０１６は、データ生成部１０１２によって生成されたデータ信号をＰＵＳＣＨのデータフォーマットに適合した形式の信号に変換し、ＰＵＳＣＨにより送信可能な状態にする。無線送信部１０２２は、多重部１０２０を介して受けとった、共有チャネル生成部１０１６の出力信号を、無線端末３０４に割り当てられたＰＵＳＣＨに対応する周波数帯域の無線信号に変換して、アンテナを介して無線中継局３０２に送信する。【０１３０】
次に、ステップＳ１２１４において、制御信号フォーマット制御部１００８は、制御チャネル処理部１００６からの指示に基づいて、制御信号のフォーマットとして、リソースブロック割り当て（ＲＢＡ）フィールドを含まない、図５に示した第２フォーマットを選択する。制御信号フォーマット制御部１００８は、制御チャネル処理部１００６に対して、制御信号のフォーマットとして第２フォーマットを指定する。【０１３１】
次に、ステップＳ１２１６において、無線受信部１００２は、無線中継局３０２から、ＰＤＣＣＨにより、上りデータ通信をスケジューリングする制御信号を受信した否かを監視する。【０１３２】
次に、ステップＳ１２１８において、制御チャネル処理部１００６は、無線受信部１００２が上りデータ通信をスケジューリングする制御信号を受信したとき、分離部１００４を介して、無線受信部１００２から、受信された制御信号を受けとる。制御チャネル処理部１００６は、受信された制御信号が、制御信号フォーマット制御部１００８によって指定された第２フォーマットを有する制御信号であり、かつ、第２フォーマットにおけるＳＲＳ送信要求（SRS request）のフィールドが、参照信号ＳＲＳの送信要求を示す特定の値であるか否かを判定する。その結果、ＳＲＳ送信要求フィールドが特定の値に設定された制御信号が検出された場合、処理はステップＳ１２２０に進む。一方、ＳＲＳ送信要求フィールドが特定の値に設定された制御信号が検出されなかった場合、処理はステップＳ１２１６に戻る。【０１３３】
また、制御チャネル処理部１００６は、ＳＲＳ送信要求フィールドが特定の値に設定された制御信号が検出された場合、制御信号フォーマット制御部１００８に対して、制御信号のフォーマットとして、リソースブロック割り当て（ＲＢＡ）フィールドを含む、第１フォーマットを選択するように指示する。【０１３４】
次に、ステップＳ１２２０において、ＳＲＳ生成部１０１４は、ステップＳ１２１８において、ＳＲＳ送信要求フィールドが上述の特定の値に設定されていることに応答して、上りチャネルの状態を評価するための参照信号ＳＲＳを生成する。【０１３５】
制御チャネル生成部１０１８は、ＳＲＳ生成部１０１４によって生成された参照信号ＳＲＳをＳＲＳに割り当てられた周波数帯域の無線信号に変換し、アンテナを介して送信可能な状態にする。無線送信部１０２２は、多重部１０２０を介して受けとった、共有チャネル生成部１０１６の出力信号を、ＰＵＳＣＨに対応する周波数帯域の無線信号に変換して、アンテナを介して無線中継局３０２に送信する。【０１３６】
次に、ステップＳ１２２２において、制御信号フォーマット制御部１００８は、制御チャネル処理部１００６からの指示に基づいて、制御信号のフォーマットとして、リソースブロック割り当て（ＲＢＡ）フィールドを含む第１フォーマットを選択する。制御信号フォーマット制御部１００８は、制御チャネル処理部１００６に対して、制御信号のフォーマットとして第１フォーマットを指定する。その後、処理はステップＳ１２０８に戻る。【０１３７】
以上説明したように、第１実施例に係る無線端末３０４は、無線中継局３０２から、リソースブロック割り当て（ＲＢＡ）を含む、第１フォーマットを有する第１制御信号を受信した後、制御信号のフォーマットを、リソースブロック割り当て（ＲＢＡ）を含まない、第２フォーマットに切り替え、無線中継局３０２から、リソースブロック割り当てについて変更の必要が有ることが通知されたしたときに、再度、制御信号のフォーマットを第１フォーマットに切り替えるようにしたので、データ通信のスケジューリングにおいて、制御信号のオーバーヘッド（データサイズ）の低減と、スケジューリングの柔軟性を両立させることができる。【０１３８】
また、無線端末３０４は、制御信号のフォーマットを第２フォーマットから第１フォーマットを切り替える際に、第２フォーマットの中のＳＲＳ送信要求（SRS request）フィールドを、参照信号ＳＲＳの送信を要求することを示す特定の値に設定した上で、第２フォーマットを有する第２制御信号を無線中継局３０２から受信するので、制御信号のフォーマットが切り替わることを適切に認識することができ、制御信号のフォーマットの切り替えを確実に実行することができる。【０１３９】
［２．第２実施例］
以下、第２実施例に係る無線局及び通信制御方法について説明する。第２実施例は、第１実施例と同様に、ＬＴＥにおける上りデータ通信のダイナミックスケジューリングに関するものである。【０１４０】
第２実施例に係る無線通信システム構成１３００は、図３に示した、第１実施例に係る無線通信システム３００の構成と同様であり、無線中継局（第１無線局）１３０２と無線端末（第２無線局）１３０４を含む。よって、詳細な説明は省略する。【０１４１】
また、第２実施例に係る無線通信システム１３００のダイナミックスケジューリングにおける、上りデータ通信をスケジューリングするための制御信号のフォーマットは、図４及び図５に示した、第１実施例に係る制御信号のフォーマットと同様である。よって、詳細な説明は省略する。【０１４２】
［２−１．無線通信システム１３００における通信制御］
次に、第２実施例に係る無線通信システム１３００において、無線中継局１３０２と無線端末１３０４の間で行われるデータ通信の制御方法を説明する。【０１４３】
第２実施例に係るデータ通信制御方法は、図６に示した、第１実施例に係るデータ通信制御方法を以下に説明する点において改良したものである。【０１４４】
［２−１−１．第１フォーマットから第２フォーマットへの制御信号フォーマットの切り替え］
第２実施例に係るデータ通信制御方法は、図６に示した、第１実施例に係るステップ６−１及び６−２の場合と異なり、無線中継局１３０２が無線端末１３０４に第１フォーマットを有する第１制御信号を送信した後、さらに、無線端末１３０４より、送信された第１制御信号に対応するデータ信号を受信したとき、無線中継局１３０２は制御信号のフォーマットを、第１フォーマットから、第２フォーマットに切り替える点で異なる
図１３は、第２実施例に係る無線通信システム１３００において、無線中継局１３０２と無線端末１３０４の間で行われるデータ通信の制御方法を説明するための図であり、制御信号のフォーマットを第１フォーマットから第２フォーマットに切り替える場合のデータ通信の制御方法を説明するための図である。【０１４５】
図１３に示したように、ステップ１３−１において、無線中継局１３０２は、ステップ６−１の場合と同様に、通信対象の無線端末１３０４に対して、リソースブロック割り当て等の各種の通信パラメータを決定し、上りデータ通信に用いられる上りチャネルのための周波数帯域を割り当てる。無線中継局１３０２は、決定された通信パラメータに基づいて、ＰＤＣＣＨ（下りチャネル）により、無線端末１３０４に、図４に示した第１フォーマットを有する第１制御信号を送信する。第１制御信号は、上りデータ通信をスケジューリングするための制御信号であり、リソースブロック割り当て（ＲＢＡ）等の通信パラメータを含む。【０１４６】
ステップ１３−２において、無線端末１３０４は、下り通信チャネル（ＰＤＣＣＨ）の状態が悪い等の何らかの理由により、無線中継局１３０２から、第１フォーマットを有する第１制御信号を受信することに失敗する。【０１４７】
ステップ１３−３において、無線端末１３０４は、ステップ１３−２において第１フォーマットを有する第１制御信号の受信に失敗したため、第１制御信号に含まれる通信パラメータを取得することができず、上りデータ通信に用いられる上りチャネルに割り当てられた周波数帯域を設定することができない。そのため、無線端末１３０４は無線中継局１３０２に、対応するデータ信号を送信することができない。【０１４８】
ステップ１３−４において、無線中継局１３０２は、無線端末１３０４が対応するデータ信号を送信しないため、無線端末１３０４から、送信した第１制御信号に対応するデータ信号を受信することに失敗する。【０１４９】
無線中継局１３０２は、送信した第１制御信号に対応するデータ信号を受信することに失敗した場合、送信した第１制御信号が無線端末１３０４において正常に受信されず、リソースブロック割り当て等の各種の通信パラメータが無線端末１３０４に正常に通知されていないと判断する。そして、無線中継局１３０２は、制御信号のフォーマットを第１フォーマットから第２フォーマットに切り替えず、次のデータ通信においても、第１フォーマットを有する第１制御信号を無線端末１３０２に送信することを決定する。【０１５０】
ステップ１３−５において、無線中継局１３０２は、ステップ１３−４において第１制御信号に対応するデータ信号を受信することに失敗したことに応答して、再度、無線端末１３０４に対して、リソースブロック割り当て等の各種の通信パラメータを決定し、上りデータ通信に用いられる上りチャネルのための周波数帯域を割り当てる。無線中継局１３０２は再度、決定された通信パラメータに基づいて、ＰＤＣＣＨ（下りチャネル）により、通信対象の無線端末１３０４に、第１フォーマットを有する第１制御信号を送信する。【０１５１】
ステップ１３−６において、無線端末１３０４は、ＰＤＣＣＨにより、無線中継局１３０２から、ステップ１３−５において送信された、第１フォーマットを有する第１制御信号を正常に受信する。【０１５２】
ステップ１３−７において、無線端末１３０４は、受信された第１制御信号に含まれる通信パラメータに基づいて、上りデータ通信に用いられる上りチャネルに割り当てられた周波数帯域を設定する。無線端末１３０４は、制御信号を受信したサブフレームから、予め決められた数のサブフレームの後に、設定された周波数帯域を有するＰＵＳＣＨ（上りチャネル）により、無線中継局１３０２にデータ信号を送信する。【０１５３】
ステップ１３−８において、無線中継局１３０２は、上り通信チャネル（ＰＵＳＣＨ）の状態が悪い等の何らかの理由により、無線端末１３０４から、送信した第１制御信号に対応するデータ信号を受信することに失敗する。【０１５４】
無線中継局１３０２は、送信した第１制御信号に対応するデータ信号を受信することに失敗した場合、送信した第１制御信号が無線端末１３０４において正常に受信されず、リソースブロック割り当て等の各種の通信パラメータが無線端末１３０４に正常に通知されていないと判断する。そして、無線中継局１３０２は、制御信号のフォーマットを第１フォーマットから第２フォーマットに切り替えず、次のデータ通信においても、第１フォーマットを有する第１制御信号を無線端末１３０２に送信することを決定する。【０１５５】
ステップ１３−９において、無線中継局１３０２は、送信した第１制御信号に対応するデータ信号を受信することに失敗したことに応答して、再度、無線端末１３０４に対して、リソースブロック割り当て等の各種の通信パラメータを決定し、上りデータ通信に用いられる上りチャネルのための周波数帯域を割り当てる。無線中継局１３０２は再度、決定された通信パラメータに基づいて、ＰＤＣＣＨ（下りチャネル）により、通信対象の無線端末１３０４に、第１フォーマットを有する第１制御信号を送信する。【０１５６】
ステップ１３−１０において、無線端末１３０４は、ＰＤＣＣＨにより、無線中継局１３０２から、ステップ１３−９において送信された、第１フォーマットを有する第１制御信号を受信する。【０１５７】
ステップ１３−１１において、無線端末１３０４は、受信された第１制御信号に含まれる通信パラメータに基づいて、上りデータ通信に用いられる上りチャネルに割り当てられた周波数帯域を設定する。無線端末１３０４は、制御信号を受信したサブフレームから、予め決められた数のサブフレームの後に、設定された周波数帯域を有するＰＵＳＣＨ（上りチャネル）により、無線中継局１３０２にデータ信号を送信する。【０１５８】
ステップ１３−１２において、無線中継局１３０２は、ＰＵＳＣＨにより、無線端末１３０４から、送信した第１制御信号に対応するデータ信号を正常に受信する。【０１５９】
無線中継局１３０２は、送信した第１制御信号に対応するデータ信号を正常に受信した場合、送信した第１制御信号が無線端末１３０４において正常に受信され、リソースブロック割り当て等の各種の通信パラメータが無線端末１３０４に正常に通知されたと判断する。そして、無線中継局１３０２は制御信号のフォーマットを第１フォーマットから第２フォーマットに切り替える。【０１６０】
ステップ１３−１３において、無線中継局１３０２は、ステップ６−２の場合と同様に、リソースブロック割り当てについて変更の必要が無いと判定すると、上りチャネルに割り当てられた周波数帯域を変更せず、無線端末１３０４に、第２フォーマットを有する第２制御信号を送信する。すなわち、無線中継局１３０２は制御信号のフォーマットを第１フォーマットから第２フォーマットに切り替える。【０１６１】
無線端末１３０４は、ＰＤＣＣＨにより、無線中継局１３０２から、第２フォーマットを有する第２制御信号を受信する。無線端末１３０４は、ステップ６−２の場合と同様に、受信された第２制御信号に含まれる通信パラメータに基づいて、第２制御信号を受信したサブフレームから、予め決められた数のサブフレームの後に、すでに設定されている周波数帯域を有するＰＵＳＣＨ（上りチャネル）により、無線中継局１３０２にデータ信号を送信する。【０１６２】
ここで、以上の説明から分かるように、図１３において、期間Ａは、無線中継局１３０２が制御信号のフォーマットとして第１フォーマットを採用する期間である。期間Ｂは、無線中継局１３０２が制御信号のフォーマットとして第２フォーマットを採用する期間である。【０１６３】
また、期間Ｃは、無線端末１３０４が制御信号のフォーマットとして第１フォーマットを採用する期間である。期間Ｅは、無線端末１３０４が制御信号のフォーマットとして第２フォーマットを採用する期間である。【０１６４】
これに対し、期間Ｄは、無線端末１３０４が制御信号のフォーマットとして第１フォーマットと第２フォーマットの両方を採用する期間である。【０１６５】
無線端末１３０４は、第１フォーマットを有する第１制御信号を受信してから、実際に第２フォーマットを有する第２制御信号を受信するまでの期間は、制御信号のフォーマットとして第１フォーマットと第２フォーマットの両方を採用し、第１制御信号と第２制御信号の両方を受信することを可能とする。これは、例えばステップ１３−８のように、無線端末１３０４が第１制御信号を正常に受信しても、無線中継局１３０２がその第１制御信号に対応するデータ信号を正常に受信することができなかった場合、無線中継局１３０２は、リソースブロック割り当て等の各種の通信パラメータが無線端末１３０４に正常に通知されなかったと判断するため、再度、第１制御信号を送信することになるためである。【０１６６】
以上説明したように、第２実施例に係る無線通信システム１３００においては、無線中継局１３０２が無線端末１３０４に、リソースブロック割り当て（ＲＢＡ）を含む、第１フォーマットを有する第１制御信号を送信した後、さらに、無線端末１３０４より、送信された第１制御信号に対応するデータ信号を受信したとき、無線中継局１３０２は制御信号のフォーマットを、第１フォーマットから、第２フォーマットに切り替えるようにしたので、第１フォーマットから第２フォーマットへの制御信号のフォーマットの切り替えに際して、送信した第１制御信号が無線端末１３０４において正常に受信され、リソースブロック割り当て等の各種の通信パラメータが無線端末１３０４に正常に通知されたことを確認することができ、制御信号のフォーマットの切り替えをより確実に実行することができる。【０１６７】
［２−１−２．第２フォーマットから第１フォーマットへの制御信号フォーマットの切り替え］
また、第２実施例に係るデータ通信制御方法は、図６に示した、第１実施例に係るステップ６−３及び６−４の場合と異なり、無線中継局１３０２が無線端末１３０４に、第２フォーマットの中のＳＲＳ送信要求（SRS request）フィールドを、参照信号ＳＲＳの送信要求を示す特定の値に設定した上で、第２フォーマットを有する第２制御信号を送信した後、さらに、無線端末１３０４より、送信された第２制御信号に対応する参照信号ＳＲＳを受信したとき、無線中継局１３０２は制御信号のフォーマットを第２フォーマットから第１フォーマットに切り替える点で異なる。【０１６８】
図１４は、第２実施例に係る無線通信システム１３００において、無線中継局１３０２と無線端末１３０４の間で行われるデータ通信の制御方法を説明するための図であり、制御信号のフォーマットを第２フォーマットから第１フォーマットに切り替える場合のデータ通信の制御方法を説明するための図である。【０１６９】
図１４に示したように、ステップ１４−１において、無線中継局１３０２は、ステップ６−３の場合と同様に、上りチャネルの状態監視を継続し、リソースブロック割り当て、すなわち、第２フォーマットの制御信号で省略した通信パラメータについて変更の必要が有るか否かを判定する。【０１７０】
そして、無線中継局１３０２は、リソースブロック割り当て、すなわち、第２フォーマットの制御信号で省略した通信パラメータについて変更の必要が有ると判定すると、第２フォーマットの中のＳＲＳ送信要求（SRS request）フィールドを、参照信号ＳＲＳの送信要求を示す特定の値に設定した上で、第２フォーマットを有する第２制御信号を、無線端末１３０４に送信する。【０１７１】
ステップ１４−２において、無線端末１３０４は、下り通信チャネル（ＰＤＣＣＨ）の状態が悪い等の何らかの理由により、無線中継局１３０２から、第２フォーマットを有する第２制御信号を受信することに失敗する。【０１７２】
ステップ１４−３において、無線端末１３０４は、ステップ１４−２において第２フォーマットを有する第２制御信号の受信に失敗したため、第２制御信号に含まれるＳＲＳ送信要求（SRS request）のパラメータを取得することができない。そのため、無線端末１３０４は無線中継局１３０２に、対応する参照信号ＳＲＳを送信することができない。【０１７３】
ステップ１４−４において、無線中継局１３０２は、無線端末１３０４が対応する参照信号ＳＲＳを送信しないため、無線端末１３０４から、送信した第２制御信号に対応する参照信号ＳＲＳを受信することに失敗する。【０１７４】
無線中継局１３０２は、送信した第２制御信号に対応する参照信号ＳＲＳを受信することに失敗した場合、送信した第２制御信号が無線端末１３０４において正常に受信されず、リソースブロック割り当てについて変更の必要が有ることが正常に通知されていないと判断する。そして、無線中継局１３０２は、制御信号のフォーマットを第２フォーマットから第１フォーマットに切り替えず、次のデータ通信においても、第２フォーマットを有する第２制御信号を、ＳＲＳ送信要求（SRS request）フィールドを、参照信号ＳＲＳの送信要求を示す特定の値に設定した上で、無線端末１３０２に送信することを決定する。【０１７５】
ステップ１４−５において、無線中継局１３０２は、ステップ１４−４において第２制御信号に対応する参照信号ＳＲＳを受信することに失敗したことに応答して、リソースブロック割り当てについて変更の必要が有ると判定すると、再度、第２フォーマットの中のＳＲＳ送信要求（SRS request）フィールドを、参照信号ＳＲＳの送信要求を示す特定の値に設定した上で、ＰＤＣＣＨ（下りチャネル）により、無線端末１３０４に、第２フォーマットを有する第２制御信号を送信する。【０１７６】
ステップ１４−６において、無線端末１３０４は、ＰＤＣＣＨにより、無線中継局１３０２から、ステップ１４−５において送信された、第２フォーマットを有する第２制御信号を正常に受信する。【０１７７】
ステップ１４−７において、無線端末１３０４は、受信された第２制御信号に含まれる、ＳＲＳ送信要求（SRS request）フィールドの値に基づいて、次のデータ通信から、上りチャネル（ＰＵＳＣＨ）に割り当てられたリソースブロック（周波数帯域）が変更されることを認識する。また、無線端末１３０４は、第２フォーマットを有する第２制御信号を受信することにより、現在のデータ通信では、上りチャネル（ＰＵＳＣＨ）に割り当てられた周波数帯域は、すでに割り当てられた周波数帯域と同一のままであると認識する。【０１７８】
無線端末１３０４は、受信した第２制御信号に対応する参照信号ＳＲＳを生成し、制御信号を受信したサブフレームから、予め決められた数のサブフレームの後に、生成された参照信号ＳＲＳを、無線中継局１３０２に送信する。ここで、生成される参照信号ＳＲＳは、システム帯域の全帯域あるいは一部の帯域における上りチャネルの状態を評価することが可能なものである。また、図１４に示した例では、参照信号ＳＲＳは１つのサブフレームにより送信されているが、複数のサブフレームに分割して送信するようにしてもよい。【０１７９】
ステップ１４−８において、無線中継局１３０２は、上り通信チャネルの状態が悪い等の何らかの理由により、無線端末１３０４から、送信した第２制御信号に対応する参照信号ＳＲＳを受信することに失敗する。【０１８０】
無線中継局１３０２は、送信した第２制御信号に対応する参照信号ＳＲＳを受信することに失敗した場合、送信した第２制御信号が無線端末１３０４において正常に受信されず、リソースブロック割り当てについて変更の必要が有ることが無線端末１３０４に正常に通知されていないと判断する。そして、無線中継局１３０２は、制御信号のフォーマットを第２フォーマットから第１フォーマットに切り替えず、次のデータ通信においても、第２フォーマットを有する第２制御信号を、ＳＲＳ送信要求（SRS request）フィールドを、参照信号ＳＲＳの送信要求を示す特定の値に設定した上で、無線端末１３０２に送信することを決定する。【０１８１】
ステップ１４−９において、無線中継局１３０２は、ステップ１４−８において第２制御信号に対応する参照信号ＳＲＳを受信することに失敗したことに応答して、リソースブロック割り当てについて変更の必要が有ると判定すると、再度、第２フォーマットの中のＳＲＳ送信要求（SRS request）フィールドを、参照信号ＳＲＳの送信要求を示す特定の値に設定した上で、ＰＤＣＣＨ（下りチャネル）により、無線端末１３０４に、第２フォーマットを有する第２制御信号を送信する。【０１８２】
ステップ１４−１０において、無線端末１３０４は、ＰＤＣＣＨにより、無線中継局１３０２から、ステップ１４−９において送信された、第２フォーマットを有する第２制御信号を正常に受信する。【０１８３】
ステップ１４−１１において、無線端末１３０４は、受信された第２制御信号に含まれる、ＳＲＳ送信要求（SRS request）フィールドの値に基づいて、次のデータ通信から、上りチャネル（ＰＵＳＣＨ）に割り当てられたリソースブロック（周波数帯域）が変更されることを認識する。また、無線端末１３０４は、第２フォーマットを有する第２制御信号を受信することにより、現在のデータ通信では、上りチャネル（ＰＵＳＣＨ）に割り当てられた周波数帯域は、すでに割り当てられた周波数帯域と同一のままであると認識する。【０１８４】
無線端末１３０４は、受信した第２制御信号に対応する参照信号ＳＲＳを生成し、制御信号を受信したサブフレームから、予め決められた数のサブフレームの後に、生成された参照信号ＳＲＳを、無線中継局１３０２に送信する。【０１８５】
ステップ１４−１２において、無線中継局１３０２は、無線端末１３０４から、送信した第２制御信号に対応する参照信号ＳＲＳを正常に受信する。【０１８６】
無線中継局１３０２は、送信した第２制御信号に対応する参照信号ＳＲＳを正常に受信した場合、送信した第２制御信号が無線端末１３０４において正常に受信され、リソースブロック割り当てについて変更の必要が有ることが無線端末１３０４に正常に通知されたと判断する。そして、無線中継局１３０２は制御信号のフォーマットを第２フォーマットから第１フォーマットに切り替える。【０１８７】
ステップ１４−１３において、無線中継局１３０２は、ステップ６−４の場合と同様に、通信対象の無線端末１３０４に対して、リソースブロック割り当て等の各種の通信パラメータを新たに決定し、上りデータ通信に用いられる上りチャネルのための周波数帯域を新たに割り当てる。無線中継局１３０２は、決定された通信パラメータに基づいて、ＰＤＣＣＨ（下りチャネル）により、通信対象の無線端末１３０４に、第１フォーマットを有する第１制御信号を送信する。すなわち、無線中継局１３０２は制御信号のフォーマットを第２フォーマットから第１フォーマットに切り替える。【０１８８】
ステップ１４−１４において、無線端末１３０４は、ＰＤＣＣＨにより、無線中継局１３０２から、第１フォーマットを有する第１制御信号を正常に受信する。【０１８９】
ステップ１４−１５において、無線端末１３０４は、受信された第１制御信号に含まれる通信パラメータに基づいて、上りデータ通信に用いられる上りチャネルに対して新たに割り当てられた周波数帯域を設定する。【０１９０】
無線端末１３０４は、制御信号を受信したサブフレームから、予め決められた数のサブフレームの後に、新たに設定された周波数帯域を有するＰＵＳＣＨ（上りチャネル）により、無線中継局１３０２にデータ信号を送信する。【０１９１】
ステップ１４−１６において、無線中継局１３０２は、ＰＵＳＣＨにより、無線端末１３０４から、送信した第１制御信号に対応するデータ信号を正常に受信する。【０１９２】
無線中継局１３０２は、送信した第１制御信号に対応するデータ信号を正常に受信した場合、送信した第１制御信号が無線端末１３０４において正常に受信され、リソースブロック割り当て等の各種の通信パラメータが無線端末１３０４に正常に通知されたと判断する。そして、無線中継局１３０２は制御信号のフォーマットを第１フォーマットから第２フォーマットに切り替える。【０１９３】
ステップ１４−１７において、無線中継局１３０２は、リソースブロック割り当てについて変更の必要が無いと判定すると、上りチャネルに割り当てられた周波数帯域を変更せず、無線端末１３０４に、第２フォーマットを有する第２制御信号を送信する。すなわち、無線中継局１３０２は制御信号のフォーマットを第１フォーマットから第２フォーマットに切り替える。【０１９４】
ここで、以上の説明から分かるように、図１４において、期間Ａ及びＣは、無線中継局１３０２が制御信号のフォーマットとして第２フォーマットを採用する期間である。期間Ｂは、無線中継局１３０２が制御信号のフォーマットとして第１フォーマットを採用する期間である。【０１９５】
また、期間Ｄ及びＧは、無線端末１３０４が制御信号のフォーマットとして第２フォーマットを採用する期間である。【０１９６】
これに対し、期間Ｅ及びＦは無線端末１３０４が制御信号のフォーマットとして第１フォーマットと第２フォーマットの両方を採用する期間である。【０１９７】
無線端末１３０４は、ＳＲＳ送信要求（SRS request）フィールドが、参照信号ＳＲＳの送信要求を示す特定の値に設定された第２フォーマットを有する第２制御信号を受信してから、実際に第１フォーマットを有する第１制御信号を受信するまでの期間は、制御信号のフォーマットとして第１フォーマットと第２フォーマットの両方を採用し、第１制御信号と第２制御信号の両方を受信することを可能とする。これは、例えばステップ１４−８のように、無線端末１３０４がＳＲＳ送信要求フィールドが上記の特定の値に設定された第２制御信号を正常に受信しても、無線中継局１３０２がその第２制御信号に対応する参照信号ＳＲＳを正常に受信することができなかった場合、無線中継局１３０２は、リソースブロック割り当てについて変更の必要があることが無線端末１３０４に正常に通知されなかったと判断するため、再度、ＳＲＳ送信要求フィールドが上記の特定の値に設定された第２制御信号を送信することになるためである。【０１９８】
また、無線端末１３０４は、第１フォーマットを有する第１制御信号を受信してから、実際に第２フォーマットを有する第２制御信号を受信するまでの期間は、制御信号のフォーマットとして第１フォーマットと第２フォーマットの両方を採用し、第１制御信号と第２制御信号の両方を受信することを可能とする。これは、図１３の期間Ｄの場合と同様に、無線端末１３０４が第１制御信号を正常に受信しても、無線中継局１３０２がその第１制御信号に対応するデータ信号を正常に受信することができなかった場合、無線中継局１３０２は、リソースブロック割り当て等の各種の通信パラメータが無線端末１３０４に正常に通知されなかったと判断するため、再度、第１制御信号を送信することになるためである。【０１９９】
以上説明したように、第２実施例に係る無線通信システム１３００においては、無線中継局１３０２が無線端末１３０４に、第２フォーマットの中のＳＲＳ送信要求（SRS request）フィールドを、参照信号ＳＲＳの送信要求を示す特定の値に設定した上で、第２フォーマットを有する第２制御信号を送信した後、さらに、無線端末１３０４より、送信された第２制御信号に対応する参照信号ＳＲＳを受信したとき、無線中継局１３０２は制御信号のフォーマットを第２フォーマットから第１フォーマットに切り替えるようにしたので、第２フォーマットから第１フォーマットへの制御信号のフォーマットの切り替えに際して、送信した第２制御信号が無線端末１３０４において正常に受信され、リソースブロック割り当てについて変更の必要が有ることが無線端末１３０４に正常に通知されたことを確認することができ、制御信号のフォーマットの切り替えをより確実に実行することができる。【０２００】
［２−１−３．無線通信システム１３００における通信制御］
次に、第２実施例に係る無線通信システム１３００において、無線中継局１３０２と無線端末１３０４の間で行われるデータ通信全体の制御方法を説明する。【０２０１】
図１５は、第２実施例に係る無線通信システム１３００において、無線中継局１３０２と無線端末１３０４の間で行われるデータ通信全体の制御方法を説明するための図である。図１５は、図１３及び図１４において説明したデータ通信の制御を、一連のデータ通信全体の中で改めて説明したものである。【０２０２】
図１５に示したように、ステップ１５−１、１５−２において、無線中継局１３０２は、図１３に示したステップ１３−１〜１３−１２の場合と同様に、無線端末１３０４との間で上りデータ通信を開始するに当たり、通信対象の無線端末１３０４に対して、リソースブロック割り当て等の各種の通信パラメータを決定し、上りデータ通信に用いられる上りチャネルのための周波数帯域を割り当てる。無線中継局１３０２は、決定された通信パラメータに基づいて、ＰＤＣＣＨ（下りチャネル）により、無線端末１３０４に、図４に示した第１フォーマットを有する第１制御信号を送信する。【０２０３】
無線中継局１３０２は、ＰＵＳＣＨにより、送信した第１制御信号に対応するデータ信号を無線端末１３０４から正常に受信した場合、送信した第１制御信号が無線端末１３０４において正常に受信され、リソースブロック割り当て等の各種の通信パラメータが無線端末１３０４に正常に通知されたと判断する。そして、無線中継局１３０２は制御信号のフォーマットを第１フォーマットから、図５に示した第２フォーマットに切り替える。【０２０４】
ステップ１５−３において、無線中継局１３０２は、ステップ１３−１３の場合と同様に、リソースブロック割り当てについて変更の必要が無いと判定すると、上りチャネルに割り当てられた周波数帯域を変更せず、無線端末１３０４に、第２フォーマットを有する第２制御信号を送信する。すなわち、無線中継局１３０２は制御信号のフォーマットを第１フォーマットから第２フォーマットに切り替える。【０２０５】
無線端末１３０４は、ＰＤＣＣＨにより、無線中継局１３０２から、第２フォーマットを有する第２制御信号を受信する。無線端末１３０４は、受信された第２制御信号に含まれる通信パラメータに基づいて、第２制御信号を受信したサブフレームから、予め決められた数のサブフレームの後に、すでに設定されている周波数帯域を有するＰＵＳＣＨ（上りチャネル）により、無線中継局１３０２にデータ信号を送信する。【０２０６】
ステップ１５−４において、無線中継局１３０２は、図１４に示したステップ１４−１〜１４−１２の場合と同様に、リソースブロック割り当てについて変更の必要が有ると判定すると、第２フォーマットの中のＳＲＳ送信要求（SRS request）フィールドを、参照信号ＳＲＳの送信要求を示す特定の値に設定した上で、第２フォーマットを有する第２制御信号を、通信対象の無線端末１３０４に送信する。【０２０７】
無線中継局１３０２は、ＰＵＳＣＨにより、送信した第２制御信号に対応する参照信号ＳＲＳを無線端末１３０４から正常に受信した場合、送信した第２制御信号が無線端末１３０４において正常に受信され、リソースブロック割り当てについて変更の必要があることが無線端末１３０４に正常に通知されたと判断する。そして、無線中継局１３０２は制御信号のフォーマットを第２フォーマットから第１フォーマットに切り替える。【０２０８】
ステップ１５−５において、無線中継局１３０２は、ステップ１４−１３〜１４−１７の場合と同様に、無線端末１３０４に対して、リソースブロック割り当て等の各種の通信パラメータを新たに決定し、上りデータ通信に用いられる上りチャネルのための周波数帯域を新たに割り当てる。無線中継局１３０２は、決定された通信パラメータに基づいて、ＰＤＣＣＨ（下りチャネル）により、通信対象の無線端末１３０４に、第１フォーマットを有する第１制御信号を送信する。すなわち、無線中継局１３０２は制御信号のフォーマットを第２フォーマットから第１フォーマットに切り替える。【０２０９】
無線中継局１３０２は、ＰＵＳＣＨにより、送信した第１制御信号に対応するデータ信号を正常に受信した場合、送信した第１制御信号が無線端末１３０４において正常に受信され、リソースブロック割り当て等の各種の通信パラメータが無線端末１３０４に正常に通知されたと判断する。そして、無線中継局１３０２は制御信号のフォーマットを第１フォーマットから第２フォーマットに切り替える。【０２１０】
［２−２．無線中継局１３０２］
次に、無線中継局１３０２の構成、及び、無線中継局１３０２で行われるデータ通信制御方法を説明する。【０２１１】
［２−２−１．無線中継局１３０２の構成］
図１６は、無線中継局１３０２の構成を示す機能ブロック図である。図１６に示したように、無線中継局１３０２は、スケジューラ１６０２、制御信号フォーマット制御部１６０４、制御信号生成部１６０６、ＭＡＣ制御情報生成部１６０８、ＲＲＣ制御情報生成部１６１０、ユーザデータ生成部１６１２、制御チャネル生成部１６１４、共有チャネル生成部１６１６、多重部１６１８、無線送信部１６２０、無線受信部１６２２、分離部１６２４、上りデータ処理部１６２６、及びチャネル状態監視部１６２８を含む。【０２１２】
第２実施例に係る無線中継局１３０２の機能ブロック構成は、図７に示した無線中継局３０２の機能ブロック構成と同様である。図１６に示した無線中継局１３０２の各々の機能ブロックは、図７に示した無線中継局３０２の機能ブロックのうちで、参照符号の下二桁の数字が同一の参照符号を有するものと同様の機能を有するものである。よって、詳細な説明は省略する。【０２１３】
また、無線中継局１３０２のハードウェア構成は、図８に示した無線中継局３０２のハードウェア構成と同様である。無線中継局１３０２の各機能ブロックの機能は、図８に示した無線中継局３０２のハードウェア構成と同様のハードウェア構成によって実現することができる。よって、詳細な説明は省略する。【０２１４】
［２−２−２．無線中継局１３０２におけるデータ通信制御方法］
図１７は、無線中継局１３０２で行われるデータ通信制御方法を説明するための図である。以下、図１７を用いて、無線中継局１３０２で行われるデータ通信制御方法を説明する。【０２１５】
ステップＳ１７０２からＳ１７１２までの処理は、図９に示したステップＳ９０２からＳ９１２までの処理と同様である。よって、詳細な説明は省略する。【０２１６】
次に、ステップＳ１７１４において、上りデータ処理部１６２６は、無線受信部１７２２において受信した上りデータ信号に対して復調処理を行うことにより、データを取得する。スケジューラ１６０２は、取得されたデータに基づいて、ステップＳ１７１２において無線端末１３０４に送信した、第１フォーマットを有する制御信号に対応する上りデータ信号を、無線端末１３０４から受信したか否かを判定する。【０２１７】
その結果、対応する上りデータ信号が受信された場合は、処理はステップＳ１７１８に進む。対応する上りデータ信号が受信されない場合は、処理はステップＳ１７１６に進む
ステップＳ１７１６において、スケジューラ１６０２は、チャネル状態監視部１４２８から、上りチャネルの状態の監視結果を受けとり、受けとった状態監視結果に基づいて、上りデータ通信をスケジューリングする必要が有るか否かを判定する。その結果、スケジューリングが必要であると判定された場合は、処理はステップＳ１７１０に戻り、スケジューリングが不要であると判定された場合は、処理はステップＳ１７１６に戻る。【０２１８】
ステップＳ１７１８からステップＳ１７３２までの処理は、ステップＳ９１４からステップＳ９２８までの処理と同様である。よって、詳細な説明は省略する。【０２１９】
ステップＳ１７３４において、チャネル状態監視部１６２８は、無線受信部１６２２において受信した参照信号ＳＲＳを受けとる。チャネル状態監視部１６２８は、受けとった参照信号ＳＲＳに基づいて、上りチャネルの状態を監視し、上りチャネルの状態の監視結果を示す情報をスケジューラ１６０２に供給する。【０２２０】
スケジューラ１６０２は、供給された、上りチャネルの状態監視結果を示す情報に基づいて、ステップＳ１７３２において無線端末１３０４に送信した制御信号に対応する参照信号ＳＲＳを、無線端末１３０４から受信したか否かを判定する。ここで、ステップＳ１７３２において無線端末１３０４に送信した制御信号は、第２フォーマットを有し、ＳＲＳ送信要求（SRS request）フィールドが参照信号ＳＲＳの送信要求を示す特定の値に設定されたものである。判定の結果、対応する参照信号ＳＲＳが受信された場合、処理はステップＳ１７３６に進む。対応する参照信号ＳＲＳが受信されない場合、処理はステップＳ１７２８に戻る。【０２２１】
ステップＳ１７３６の処理は、ステップＳ９３０の処理と同様である。よって、詳細な説明は省略する。【０２２２】
以上説明したように、第２実施例に係る無線中継局１３０２は無線端末１３０４に、リソースブロック割り当て（ＲＢＡ）を含む、第１フォーマットを有する第１制御信号を送信した後、さらに、無線端末１３０４より、送信された第１制御信号に対応するデータ信号を受信したとき、無線中継局１３０２は制御信号のフォーマットを、第１フォーマットから、第２フォーマットに切り替えるようにしたので、第１フォーマットから第２フォーマットへの制御信号のフォーマットの切り替えに際して、送信した第１制御信号が無線端末１３０４において正常に受信され、リソースブロック割り当て等の各種の通信パラメータが無線端末１３０４に正常に通知されたことを確認することができ、制御信号のフォーマットの切り替えをより確実に実行することができる。【０２２３】
また、無線中継局１３０２は無線端末１３０４に、第２フォーマットの中のＳＲＳ送信要求（SRS request）フィールドを、参照信号ＳＲＳの送信要求を示す特定の値に設定した上で、第２フォーマットを有する第２制御信号を送信した後、さらに、無線端末１３０４より、送信された第２制御信号に対応する参照信号ＳＲＳを受信したとき、制御信号のフォーマットを第２フォーマットから第１フォーマットに切り替えるようにしたので、第２フォーマットから第１フォーマットへの制御信号のフォーマットの切り替えに際して、送信した第２制御信号が無線端末１３０４において正常に受信され、リソースブロック割り当てについて変更の必要が有ることが無線端末１３０４に正常に通知されたことを確認することができ、制御信号のフォーマットの切り替えをより確実に実行することができる。【０２２４】
［２−３．無線端末１３０４］
次に、無線端末１３０４の構成、及び、無線端末１３０４で行われるデータ通信制御方法を説明する。【０２２５】
［２−３−１．無線端末３０４の構成］
図１８は、無線端末１３０４の構成を示す機能ブロック図である。図１８に示したように、無線端末１３０４は、無線受信部１８０２、分離部１８０４、制御チャネル処理部１８０６、制御信号フォーマット制御部１８０８、及び共有チャネル処理部１８１０、データ生成部１８１２、ＳＲＳ生成部１８１４、共有チャネル生成部１８１６、多重部１８２０、無線送信部１８２２を含む。【０２２６】
第２実施例に係る無線端末１３０４の機能ブロック構成は、図１０に示した無線端末３０４の機能ブロック構成と同様である。図１８に示した無線端末１３０４の各々の機能ブロックは、図１０に示した無線端末３０４の機能ブロックのうちで、参照符号の下二桁の数字が同一の参照符号を有するものと同様の機能を有するものである。よって、詳細な説明は省略する。【０２２７】
また、無線端末１３０４のハードウェア構成は、図１１に示した無線端末３０４のハードウェア構成と同様である。無線端末１３０４の各機能ブロックの機能は、図１１に示した無線端末３０４のハードウェア構成と同様のハードウェア構成によって実現することができる。よって、詳細な説明は省略する。【０２２８】
［２−３−２．無線端末１３０４におけるデータ通信制御方法］
図１９及び図２０は、無線端末１３０４で行われるデータ通信制御方法を説明するための図である。以下、図１９及び図２０を用いて、無線端末１３０４で行われるデータ通信制御方法を説明する。【０２２９】
ステップＳ１９０２からＳ１９１２までの処理は、図１２に示したステップＳ１２０２からＳ１２１２までの処理と同様である。よって、詳細な説明は省略する。【０２３０】
ステップＳ１９１４において、制御信号フォーマット制御部１８０８は、制御チャネル処理部１８０６が上りデータ通信をスケジューリングする制御信号を処理する際に用いるべき制御信号のフォーマットとして、リソースブロック割り当て（ＲＢＡ）フィールドを含む、図４に示した第１フォーマットと、リソースブロック割り当て（ＲＢＡ）フィールドを含まない、図５に示した第２フォーマットの両方を選択する。制御信号フォーマット制御部１８０８は、制御チャネル処理部１８０６に対して、制御信号のフォーマットとして第１フォーマットと第２フォーマットの両方を指定する。【０２３１】
次に、ステップＳ１９１６において、無線受信部１８０２は、無線中継局１３０２から、ＰＤＣＣＨにより、上りデータ通信をスケジューリングする制御信号を受信したか否かを監視する。【０２３２】
次に、ステップＳ１９１８において、制御チャネル処理部１８０６は、無線受信部１８０２が上りデータ通信をスケジューリングする制御信号を受信したとき、分離部１８０４を介して、無線受信部１８０２から、受信された制御信号を受けとる。制御チャネル処理部１８０６は、受信された制御信号が、制御信号フォーマット制御部１８０８によって指定された第２フォーマットを有する制御信号であるか否かを判定する。その結果、第２フォーマットを有する制御信号が検出された場合、処理はステップＳ１９２０に進む。一方、第２フォーマットを有する制御信号が検出されなかった場合、処理はステップＳ１９１６に戻る。【０２３３】
尚、ステップＳ１９１４からＳ１９１８までの処理は、図１３の期間Ｄにおける無線端末１３０４の処理に対応する。【０２３４】
ステップＳ１９２０からＳ１９２６までの処理は、ステップＳ１２１４からＳ１２２０までの処理と同様である。よって、詳細な説明は省略する。尚、ステップＳ１９２０において、制御フォーマット制御部１８０８は、制御チャネル処理部１８０６が第２フォーマットを有する制御信号を検出したことにより、無線中継局１３０２が、ステップＳ１９１２において無線送信部１８０２から送信されたデータ信号を正常に受信したことを認識する。【０２３５】
ステップＳ１９２８において、制御信号フォーマット制御部１８０８は、制御チャネル処理部１８０６が上りデータ通信をスケジューリングする制御信号を処理する際に用いるべき制御信号のフォーマットとして、リソースブロック割り当て（ＲＢＡ）フィールドを含む第１フォーマットと、リソースブロック割り当て（ＲＢＡ）フィールドを含まない第２フォーマットの両方を選択する。制御信号フォーマット制御部１８０８は、制御チャネル処理部１８０６に対して、制御信号のフォーマットとして第１フォーマットと第２フォーマットの両方を指定する。【０２３６】
次に、ステップＳ１９３０において、無線受信部１８０２は、無線中継局１３０２から、ＰＤＣＣＨにより、上りデータ通信をスケジューリングする制御信号を受信したか否かを監視する。【０２３７】
次に、ステップＳ１９３２において、制御チャネル処理部１８０６は、無線受信部１８０２が上りデータ通信をスケジューリングする制御信号を受信したとき、分離部１８０４を介して、無線受信部１８０２から、受信された制御信号を受けとる。制御チャネル処理部１８０６は、受信された制御信号が、制御信号フォーマット制御部１８０８によって指定された第１フォーマットを有する制御信号であるか否かを判定する。その結果、第１フォーマットを有する制御信号が検出された場合、処理はステップＳ１９３４に進む。一方、第１フォーマットを有する制御信号が検出されなかった場合、処理はステップＳ１９３６に進む。【０２３８】
ステップＳ１９３４において、制御チャネル処理部１８０６は、制御信号フォーマット制御部１８０８によって指定された第１フォーマットにより、受信された制御信号を処理し、制御信号に含まれる各種の通信パラメータを取得する。制御チャネル処理部１８０６は、取得されたリソースブロック割り当て（ＲＢＡ）のフィールドの値から、無線端末１３０４に割り当てられた周波数帯域（リソースブロック）の情報を取得する。【０２３９】
データ生成部１８１２は、無線中継局１３０２に送信するデータ信号を生成する。共有チャネル生成部１８１６は、データ生成部１８１２によって生成されたデータ信号をＰＵＳＣＨのデータフォーマットに適合した形式の信号に変換し、ＰＵＳＣＨにより送信可能な状態にする。無線送信部１８２２は、多重部１８２０を介して受けとった、共有チャネル生成部１８１６の出力信号を、無線端末１３０４に割り当てられたＰＵＳＣＨに対応する周波数帯域の無線信号に変換して、アンテナを介して無線中継局１３０２に送信する。その後、処理はステップＳ１９１６に進む。【０２４０】
一方、ステップＳ１９３６において、無線受信部１８０２は、無線中継局１３０２から、ＰＤＣＣＨにより、上りデータ通信をスケジューリングする制御信号を受信したか否かを監視する。【０２４１】
次に、ステップＳ１９３８において、制御チャネル処理部１８０６は、無線受信部１８０２が上りデータ通信をスケジューリングする制御信号を受信したとき、分離部１８０４を介して、無線受信部１８０２から、受信された制御信号を受けとる。制御チャネル処理部１８０６は、受信された制御信号が、制御信号フォーマット制御部１８０８によって指定された第２フォーマットを有する制御信号であり、かつ、第２フォーマットにおけるＳＲＳ送信要求（SRS request）のフィールドが、参照信号ＳＲＳの送信要求を示す特定の値であるか否かを判定する。その結果、ＳＲＳ送信要求フィールドが特定の値に設定された制御信号が検出された場合、処理はステップＳ１９４０に進む。一方、ＳＲＳ送信要求フィールドが特定の値に設定された制御信号が検出されなかった場合、処理はステップＳ１９３０に戻る。【０２４２】
次に、ステップＳ１９４０において、ＳＲＳ生成部１８１４は、ステップＳ１９３８において、ＳＲＳ送信要求フィールドが上述の特定の値に設定されていることに応答して、上りチャネルの状態を評価するための参照信号ＳＲＳを生成する。【０２４３】
無線送信部１８２２は、多重部１８２０を介して受けとった、共有チャネル生成部１８１６の出力信号を、ＰＵＳＣＨに対応する周波数帯域の無線信号に変換して、アンテナを介して無線中継局１３０２に送信する。その後、処理はステップＳ１９３０に戻る。【０２４４】
尚、ステップＳ１９２８からＳ１９３２及びＳ１９３６からＳ１９４０までの処理は、図１４の期間Ｅにおける無線端末１３０４の処理に対応する。また、Ｓ１９３４、Ｓ１９１６、及びＳ１９１８の処理は、図１４の期間Ｆにおける無線端末１３０４の処理に対応する。【０２４５】
以上説明したように、第２実施例に係る無線端末１３０４は、無線中継局１３０２から、リソースブロック割り当て（ＲＢＡ）を含む、第１フォーマットを有する第１制御信号を受信した後、制御信号のフォーマットを第２フォーマットに切り替えず、制御信号のフォーマットとして第１フォーマットと第２フォーマットの両方を選択するようにしたので、第１フォーマットから第２フォーマットへの制御信号のフォーマットの切り替えに際して、第１制御信号に対応して送信したデータ信号が無線中継局１３０２において正常に受信されず、無線中継局１３０２が再度、第１フォーマットを有する第１制御信号を送信した場合であっても、その第１制御信号を適切に受信することができ、制御信号のフォーマットの切り替えをより確実に実行することができる。【０２４６】
また、無線端末１３０４は無線中継局１３０２から、第２フォーマットの中のＳＲＳ送信要求（SRS request）フィールドを、参照信号ＳＲＳの送信要求を示す特定の値に設定した上で、第２フォーマットを有する第２制御信号を受信した後、制御信号のフォーマットを第１フォーマットに切り替えず、制御信号のフォーマットとして第１フォーマットと第２フォーマットの両方を選択するようにしたので、第２フォーマットから第１フォーマットへの制御信号のフォーマットの切り替えに際して、第２制御信号に対応して送信した参照信号ＳＲＳが無線中継局１３０２において正常に受信されず、無線中継局１３０２が再度、第２フォーマットを有する第２制御信号を送信した場合であっても、その第２制御信号を適切に受信することができ、制御信号のフォーマットの切り替えをより確実に実行することができる。【０２４７】
［３．第３実施例］
以下、第３実施例に係る無線局及び通信制御方法について説明する。第３実施例は、ＬＴＥにおける下りデータ通信のダイナミックスケジューリングに関するものである。【０２４８】
［３−１．無線通信システム］
第３実施例に係る無線通信システム構成２１００は、図３に示した、第１実施例に係る無線通信システム３００の構成と同様であり、図示は省略する。【０２４９】
無線通信システム２１００は、無線中継局（第１無線局）２１０２と無線端末（第２無線局）２１０４を含む。無線中継局２１０２は、無線端末２１０４に制御信号を送信することにより、無線端末２１０４との間に通信チャネル（上りチャネル、下りチャネル）を設定し、設定された通信チャネルにより、無線端末２１０４とデータ通信を行う。【０２５０】
尚、第１実施例の場合と同様に、１つの無線中継局２１０２に対して１つの無線端末２１０４が存在する例に限定されず、１つの無線中継局２１０２に対して、複数の無線端末２１０４が存在してもよい。また、複数の無線中継局２１０２が存在してもよく、あるいは、複数の無線中継局２１０２に対して、複数の無線端末２１０４が存在してもよい。【０２５１】
また、本明細書においては、実施例として、無線中継局及び無線端末を含む無線通信システムを説明するが、無線中継局及び無線端末はいずれも、無線通信システムを構成する無線局の一例にすぎないものである。【０２５２】
［３−２．制御信号のフォーマット］
第３実施例に係る無線通信システム２１００のダイナミックスケジューリングにおいては、後述するように、下りデータ通信をスケジューリングするための制御信号として、２つのフォーマットの制御信号を切り替えながら用いる。そこで、まず、第３実施例に係る制御信号の２つのフォーマット（第３フォーマット及び第４フォーマット）を説明する。【０２５３】
図２１は、ＬＴＥにおける下りデータ通信のダイナミックスケジューリングのための制御信号のフォーマットを示す図であり、第３実施例に係る制御信号の第３フォーマットを示す図である。【０２５４】
図２１に示したように、制御信号の第３フォーマットは、ＬＴＥにおけるＤＣＩ（Downlink Control Information）  ｆｏｒｍａｔ  １に相当するものであり、複数のフィールドを有する。第３フォーマットは、例えば、リソースブロック割り当て（Resource Block Assignment、ＲＢＡ）、変調符号化方式（Modulation and Coding Scheme、ＭＣＳ）、再送処理情報（HARQ process number）等の複数の通信パラメータを含むものであり、各々の通信パラメータが対応するフィールドに格納されている。【０２５５】
リソースブロックとは、システム帯域に含まれる周波数帯域の単位であり、各無線端末にはリソースブロック単位で周波数帯域が割り当てられる。図２１に示した第３フォーマットにおける、リソースブロック割り当て（ＲＢＡ）は、下りデータ通信に対して、通信対象の無線端末に割り当られる周波数帯域を指定するためパラメータである。【０２５６】
制御信号の第３フォーマットは後述するように、データ通信を開始する際の下りチャネルのスケジューリング時、及びリソースブロック割り当て（ＲＢＡ）の変更が行われる時に用いられる。【０２５７】
図２２は、ＬＴＥにおける下りデータ通信のダイナミックスケジューリングのための制御信号のフォーマットを示す図であり、第３実施例に係る制御信号の第４フォーマットを示す図である。【０２５８】
図２２に示したように、制御信号の第４フォーマットは、図２１に示した第３フォーマットから、リソースブロック割り当て（ＲＢＡ）に関するパラメータ（Resource block assignment）が格納されたフィールドを省略したものである。すなわち、制御信号の第４フォーマットには、下りデータ通信に対して、通信対象の無線端末に割り当られる周波数帯域を指定するためパラメータであるソースブロック割り当て（ＲＢＡ）が含まれない。【０２５９】
制御信号の第４フォーマットは後述するように、いったんリソースブロック割り当てが完了した後、次にリソースブロック割り当ての変更が行われるまでの期間に用いられる。【０２６０】
ここで、図２１及び図２２から明らかなように、制御信号の第３フォーマットの全体のデータサイズが５５〜５８ビットであるのに対し、第４フォーマットの全体のデータサイズは一部のフィールドを省略したことにより、３０〜３３ビットである。よって、制御信号のフォーマットを、第３フォーマットから第４フォーマットに切り替えることにより、制御信号について、約４５%のオーバーヘッドを削減することができる。【０２６１】
尚、図２１及び図２２に示した例では、省略するパラメータを“Resource block assignment”としたが、代わりに他の通信パラメータを選択することも可能である。例えば、無線中継局２１０２と無線端末２１０４の間で繰り返しデータ通信が行われる場合に、変更される頻度が小さい通信パラメータであれば、代わりに選択することが可能である。【０２６２】
また、図２１及び図２２では、制御信号のフォーマットとしてＤＣＩ  ｆｏｒｍａｔ  １を用いたが、これに限定されない。制御信号のフォーマットとしては、他の下りデータ通信をスケジューリングするためのＤＣＩ  ｆｏｒｍａｔを用いることが可能であり、例えば、ＤＣＩ  ｆｏｒｍａｔ  １Ａ、１Ｂ、１Ｃ、１Ｄ、２、２Ａ、２Ｂ、２Ｃを用いることが可能である。【０２６３】
［３−３．無線通信システム２１００における通信制御］
次に、第３実施例に係る無線通信システム２１００において、無線中継局２１０２と無線端末２１０４の間で行われるデータ通信の制御方法を説明する。【０２６４】
尚、以下、説明に際して、例えば、図２３中に示されたステップ（１）をステップ２３−１と表記する場合がある。図２３中に示された他のステップについても同様であり、他の図中に示されたステップについても同様である。【０２６５】
図２３は、無線通信システム２１００において、無線中継局２１０２と無線端末２１０４の間で行われるデータ通信の制御方法を説明するための図である。【０２６６】
図２３に示したように、ステップ２３−１において、無線中継局２１０２は、無線端末２１０４との間で下りデータ通信を開始するに当たり、通信対象の無線端末２１０４に対して、リソースブロック割り当て等の各種の通信パラメータを決定し、下りデータ通信に用いられる下りチャネルのための周波数帯域を割り当てる。無線中継局２１０２は、決定された通信パラメータに基づいて、ＰＤＣＣＨ（下りチャネル）により、通信対象の無線端末２１０４に、図２１に示した第３フォーマットを有する第３制御信号を送信する。第３制御信号は、下りデータ通信をスケジューリングするための制御信号であり、リソースブロック割り当て（ＲＢＡ）等の通信パラメータを含む。無線端末２１０４には、予め決められたシステム帯域の中から、下りチャネルのための周波数帯域が割り当てられる。【０２６７】
無線端末２１０４はＰＤＣＣＨにより、無線中継局２１０２から、第３フォーマットを有する第３制御信号を受信する。無線端末２１０４は、受信された第３制御信号に含まれる通信パラメータに基づいて、下りデータ通信に用いられる下りチャネルに割り当てられた周波数帯域を設定する。無線端末２１０４に割り当てられる下りチャネルは例えば、ＰＤＳＣＨである。【０２６８】
無線端末２１０４は、制御信号を受信したサブフレームと同一のサブフレームにおいて、設定された周波数帯域を有するＰＤＳＣＨ（下りチャネル）により、無線中継局２１０２からデータ信号を受信する。【０２６９】
次に、ステップ２３−２において、無線中継局２１０２は、ＰＵＣＣＨにより、無線端末２１０４における下りチャネルの状態評価結果を報告するための報告信号ＣＳＩ（Channel State Signal）を無線端末２１０４から一定のサブフレーム間隔で定期的に受信することにより、ステップ２３−２において割り当てた下りチャネルの状態を監視する。無線中継局２１０２は、受信された報告信号ＣＳＩに基づいて、リソースブロック割り当てについて変更の必要が有るか否かを判定する。【０２７０】
そして、無線中継局２１０２は、リソースブロック割り当てについて変更の必要が無いと判定すると、下りチャネルに割り当てられた周波数帯域を変更せず、通信対象の無線端末２１０４に、図２２に示した第４フォーマットを有する第４制御信号を送信する。すなわち、無線中継局２１０２は制御信号のフォーマットを第３フォーマットから第４フォーマットに切り替える。第４制御信号は、下りデータ通信をスケジューリングするための制御信号であるが、リソースブロック割り当て（ＲＢＡ）を通信パラメータとして含まない。第４制御信号において、リソースブロック割り当て（ＲＢＡ）を除く通信パラメータについては、下りチャネルの状態の監視結果に応じて、適宜最適な値が決定される。【０２７１】
無線端末２１０４はＰＤＣＣＨにより、無線中継局２１０２から、第４フォーマットを有する第４制御信号を受信する。無線端末２１０４は、第４フォーマットを有する第４制御信号を受信すると、下りチャネルに割り当てられた周波数帯域は、ステップ２３−１で割り当てられた周波数帯域と同一であると認識する。無線端末２１０４は、受信された第４制御信号に含まれる通信パラメータに基づいて、第４制御信号を受信したサブフレームと同一のサブフレームにおいて、すでに設定されている周波数帯域を有するＰＤＳＣＨ（下りチャネル）により、無線中継局２１０２からデータ信号を受信する。【０２７２】
次に、ステップ２３−３において、無線中継局２１０２は、下りチャネルの状態監視を継続し、リソースブロック割り当て、すなわち、第４フォーマットの制御信号で省略した通信パラメータについて変更の必要が有るか否かを判定する。【０２７３】
そして、無線中継局２１０２は、リソースブロック割り当て、すなわち、第４フォーマットの制御信号で省略した通信パラメータについて変更の必要が有ると判定すると、第４フォーマットを有する第４制御信号を通信対象の無線端末２１０４に送信するとともに、図４に示した第１フォーマット又は図５に示した第２フォーマットの中のＣＳＩ報告要求（CSI request）フィールドを、報告信号ＣＳＩの送信を要求することを示す特定の値（例えば、２進数のデータ“１１”）に設定した上で、第１フォーマットを有する第１制御信号又は第２フォーマットを有する第２制御信号を、無線端末２１０４に送信する。【０２７４】
ここで、第１フォーマットを有する第１制御信号及び第２フォーマットを有する第２制御信号において、ＣＳＩ報告要求（CSI request）フィールドが報告信号ＣＳＩの送信要求を示す特定の値であることは、次のデータ通信から、下りチャネルに割り当てられたリソースブロック（周波数帯域）、すなわち、第４フォーマットの制御信号で省略した通信パラメータが変更されることを意味するということを、無線中継局２１０２と無線端末２１０４の間で事前に取り決めておく。これにより、第１制御信号及び第２制御信号は上述のように、上りデータ通信をスケジューリングするための制御信号であるが、無線中継局２１０２は、ＣＳＩ報告要求（CSI request）フィールドを報告信号ＣＳＩの送信要求を示す特定の値に設定することにより、第１フォーマットを有する第１制御信号又は第２フォーマットを有する第２制御信号を介して、無線端末２１０４に、次のデータ通信から、下りチャネルに割り当てられたリソースブロック（周波数帯域）が変更されることを通知することができる。【０２７５】
無線端末２１０４はＰＤＣＣＨにより、無線中継局２１０２から、第４フォーマットを有する第４制御信号を受信するとともに、ＣＳＩ報告要求（CSI request）フィールドが報告信号ＣＳＩの送信要求を示す特定の値に設定された、第１フォーマットを有する第１制御信号又は第２フォーマットを有する第２制御信号を受信する。無線端末２１０４は、受信された第１制御信号又は第２制御信号に含まれる、ＣＳＩ送信要求（CSI request）フィールドの値に基づいて、次のデータ通信から、下りチャネルに割り当てられたリソースブロック（周波数帯域）が変更されることを認識する。また、無線端末２１０４は、第４フォーマットを有する第４制御信号を受信することにより、現在のデータ通信では、下りチャネルに割り当てられた周波数帯域は、ステップ２３−１で割り当てられた周波数帯域と同一のままであると認識する。【０２７６】
無線端末２１０４は、第４制御信号を受信したサブフレームと同一のサブフレームにおいて、すでに設定されている周波数帯域を有するＰＤＳＣＨ（下りチャネル）により、無線中継局２１０２からデータ信号を受信する。【０２７７】
また、無線端末２１０４は、第１制御信号又は第２制御信号において、ＣＳＩ報告要求（CSI request）フィールドが報告信号ＣＳＩの送信要求を示す特定の値に設定されていることから、報告信号ＣＳＩを生成する。無線端末２１０４は、第１制御信号又は第２制御信号を受信したサブフレームから、予め決められた数のサブフレームの後に、ＰＵＳＣＨ（上りチャネル）により、生成された報告信号ＣＳＩを、ＰＵＳＣＨ（上りチャネル）により無線中継局２１０２に送信する。ここで、生成される報告信号ＣＳＩは、システム帯域の全帯域あるいは一部の帯域における下りチャネルの状態の評価を報告するものである。【０２７８】
次に、ステップ２３−４において、無線中継局２１０２は、ステップ２３−３において無線端末２１０４から送信された報告信号ＣＳＩを受信するとともに、下りチャネルの状態監視を継続する。無線中継局２１０２は、その状態監視結果に応じて、通信対象の無線端末２１０４に対して、リソースブロック割り当て等の各種の通信パラメータを新たに決定し、下りデータ通信に用いられる下りチャネルのための周波数帯域を新たに割り当てる。無線中継局２１０２は、決定された通信パラメータに基づいて、ＰＤＣＣＨ（下りチャネル）により、通信対象の無線端末２１０４に、第３フォーマットを有する第３制御信号を送信する。すなわち、無線中継局２１０２は制御信号のフォーマットを第４フォーマットから第３フォーマットに切り替える。【０２７９】
無線端末２１０４はＰＤＣＣＨにより、無線中継局２１０２から、第３フォーマットを有する第３制御信号を受信する。無線端末２１０４は、受信された第３制御信号に含まれる通信パラメータに基づいて、下りデータ通信に用いられる下りチャネルに対して新たに割り当てられた周波数帯域を設定する。【０２８０】
無線端末２１０４は、第３制御信号を受信したサブフレームと同一のサブフレームにおいて、新たに設定された周波数帯域を有するＰＤＳＣＨ（下りチャネル）により、無線中継局２１０２からデータ信号を受信する。【０２８１】
ステップ２３−５において、無線中継局２１０２は、ステップ２３−２の場合と同様に、下りチャネルに新たに割り当てられた周波数帯域を変更せず、通信対象の無線端末２１０４に、第４フォーマットを有する第４制御信号を送信する。【０２８２】
無線端末２１０４は、ステップ２３−２の場合と同様に、無線中継局２１０２から、第４フォーマットを有する第４制御信号を受信すると、下りチャネルに割り当てられた周波数帯域は、ステップ２３−４で割り当てられた周波数帯域と同一であると認識し、すでに設定されている周波数帯域を有するＰＤＳＣＨ（下りチャネル）により、無線中継局２１０２からデータ信号を受信する。【０２８３】
以上説明したように、第３実施例に係る無線通信システム２１００においては、無線中継局２１０２が無線端末２１０４に、リソースブロック割り当て（ＲＢＡ）を含む、第３フォーマットを有する第３制御信号を送信した後、制御信号のフォーマットを、リソースブロック割り当て（ＲＢＡ）を含まない、第４フォーマットに切り替え、無線中継局２１０２がリソースブロック割り当てについて変更の必要が有ると判定したときに、再度、制御信号のフォーマットを第３フォーマットに切り替えるようにしたので、データ通信のスケジューリングにおいて、制御信号のオーバーヘッド（データサイズ）の低減と、スケジューリングの柔軟性を両立させることができる。【０２８４】
また、無線中継局２１０２は、制御信号のフォーマットを第４フォーマットから第３フォーマットに切り替える際に、第１フォーマット又は第２フォーマットの中のＣＳＩ報告要求（CSI request）フィールドを、報告信号ＣＳＩの送信を要求することを示す特定の値に設定した上で、第１フォーマット又は第２フォーマットを有する制御信号を無線端末２１０４に送信するので、無線端末２１０４に対して、制御信号のフォーマットが切り替わることを適切に通知することができ、制御信号のフォーマットの切り替えを確実に実行することができる。【０２８５】
［３−４．無線中継局２１０２］
次に、無線中継局２１０２の構成、及び、無線中継局２１０２で行われるデータ通信制御方法を説明する。【０２８６】
［３−４−１．無線中継局２１０２の構成］
図２４は、無線中継局２１０２の構成を示す機能ブロック図である。図２４に示したように、無線中継局２１０２は、スケジューラ２４０２、制御信号フォーマット制御部２４０４、制御信号生成部２４０６、ＭＡＣ制御情報生成部２４０８、ＲＲＣ制御情報生成部２４１０、データ生成部２４１２、制御チャネル生成部２４１４、共有チャネル生成部２４１６、多重部２４１８、無線送信部２４２０、無線受信部２４２２、分離部２４２４、上りデータ＆ＣＳＩ処理部２４２６、及び応答信号＆ＣＳＩ処理部２４２８を含む。【０２８７】
スケジューラ２４０２は、応答信号＆ＣＳＩ処理部２４２８から、無線端末２１０４における下りチャネルの状態の評価報告を示す情報を受けとり、受けとった下りチャネル状態評価報告に基づいて、無線端末２１０４に送信される制御信号に含まれる各種の通信パラメータを決定する。また、スケジューラ２４０２は、下り共有チャネル（ＰＤＳＣＨ）により無線端末２１０４に送信する信号の内容を、後述するＭＡＣ制御情報生成部２４０８、ＲＲＣ制御情報生成部２４１０、及びデータ生成部２４１２の出力信号の中から決定する。【０２８８】
制御信号フォーマット制御部２４０４は、ＰＤＣＣＨにより送信される制御信号のフォーマットの種別を制御する。すなわち、制御信号フォーマット制御部２４０４は、スケジューラ２４０２の制御の下で、後述する制御信号生成部２４０６に対して、制御信号のフォーマットとして、図４に示した第１フォーマット、図５に示した第２フォーマット、図２１に示した第３フォーマット、及び図２２に示した第４フォーマットのいずれを用いるかを指定する。第３フォーマット及び第４フォーマットの詳細については上述したとおりである。【０２８９】
制御信号生成部２４０６は、スケジューラ２４０２によって決定された各種の通信パラメータを含む制御信号を、制御信号フォーマット制御部２４０４によって指定されたフォーマットで生成する。【０２９０】
制御チャネル生成部２４１４は、制御信号生成部２４０６によって生成された制御信号を受けとり、受けとった制御信号をＰＤＣＣＨのデータフォーマットに適合した形式の信号に変換し、ＰＤＣＣＨにより送信可能な状態にする。【０２９１】
ＭＡＣ（Media Access Control）制御情報生成部２４０８は、データリンク層（レイヤ２）におけるメディアアクセス制御に関連する制御情報を生成する。【０２９２】
ＲＲＣ（Radio Resource Control）制御情報生成部２４１０は、データリンク層（レイヤ２）における無線リソース制御に関連する制御情報を生成する。【０２９３】
データ生成部２４１２は、無線端末２１０４に送信されるデータを生成する。【０２９４】
共有チャネル生成部２４１６は、ＭＡＣ制御情報生成部２４０８、ＲＲＣ制御情報生成部２４１０、及びデータ生成部２４１２からの信号を受けとり、受けとった信号をＰＤＳＣＨのデータフォーマットに適合した形式の信号に変換し、ＰＤＳＣＨにより送信可能な状態にする。【０２９５】
多重部２４１８は、制御チャネル生成部２４１４及び共有チャネル生成部２４１６からの出力信号を受けとり、受けとった出力信号を無線送信部２４２０に出力する。【０２９６】
無線送信部２４２０は、多重部２４１８からの出力信号を受けとり、受けとった出力信号を、無線端末２１０４に割り当てられたＰＤＣＣＨ又はＰＤＳＣＨに対応する周波数帯域の無線信号に変換して、アンテナを介して無線端末２１０４に送信する。【０２９７】
無線受信部２４２２は、アンテナを介して、無線端末２１０４に割り当てられたＰＵＣＣＨ又はＰＵＳＣＨに対応する周波数帯域の無線信号を、無線端末２１０４から受信し、受信した無線信号を無線中継局２１０２の内部で処理可能な周波数の信号に変換して、分離部２４２４に出力する。【０２９８】
分離部２４２４は、無線受信部２４２２の出力信号を受けとり、無線受信部２４２２の出力信号がＰＵＳＣＨにより受信された信号である場合、受けとった信号を上りデータ＆ＣＳＩ処理部２４２６に出力する。ＰＵＳＣＨにより受信される信号は例えば、データ信号や、無線中継局２１０２からのＣＳＩ送信要求（CSI request）に応答して無線端末２１０４から送信される報告信号ＣＳＩである。また、分離部２４２４は、無線受信部７２２の出力信号が、ＰＵＣＣＨにより受信された信号である場合、受けとった信号を応答信号＆ＣＳＩ処理部２４２８に出力する。ＰＵＣＣＨにより受信される信号は例えば、無線送信部２４２０から送信したデータ信号の応答信号（肯定応答（ＡＣＫ）又は否定応答（ＮＡＣＫ））や、無線端末２１０４から一定のサブフレーム間隔で周期的に送信される報告信号ＣＳＩである。【０２９９】
上りデータ＆ＣＳＩ処理部２４２６は、分離部２４２４からデータ信号を受けとった場合、受けとったデータ信号に対して復調処理を行うことにより、データを取得する。また、上りデータ＆ＣＳＩ処理部２４２６は、分離部２４２４から報告信号ＣＳＩを受けとった場合、受けとった報告信号ＣＳＩを処理することにより、下りチャネルの状態の評価報告（非周期報告）を示す情報を取得する。上りデータ＆ＣＳＩ処理部２４２６は、取得した下りチャネル状態評価報告（非周期報告）をスケジューラ２４０２に供給する。【０３００】
応答信号＆ＣＳＩ処理部２４２８は、分離部２４２４から報告信号ＣＳＩを一定のサブフレーム間隔で周期的に受けとり、受けとった報告信号ＣＳＩを処理することにより、下りチャネルの状態の評価報告（周期報告）を示す情報を取得する。応答信号＆ＣＳＩ処理部２４２８は、取得した下りチャネル状態評価報告（周期報告）をスケジューラ２４０２に供給する。また、応答信号＆ＣＳＩ処理部２４２８は、分離部２４２４から、無線送信部２４２０から送信したデータ信号の応答信号（肯定応答（ＡＣＫ）又は否定応答（ＮＡＣＫ）を受け取ったとき、応答信号が正常に受信されたか否かを示す情報をスケジューラ２４０２に供給する。【０３０１】
尚、無線中継局２１０２のハードウェア構成は、図８に示した無線中継局３０２のハードウェア構成と同様である。図２４に示した無線中継局２１０２の各機能ブロックの機能は、図８に示した無線中継局３０２のハードウェア構成と同様のハードウェア構成によって実現することができる。【０３０２】
図２４に示したスケジューラ２４０２、制御信号フォーマット制御部２４０４、制御信号生成部２４０６、ＭＡＣ制御情報生成部２４０８、ＲＲＣ制御情報生成部２４１０、データ生成部２４１２、制御チャネル生成部２４１４、共有チャネル生成部２４１６、多重部２４１８、分離部２４２４、上りデータ＆ＣＳＩ処理部２４２６、及び応答信号＆ＣＳＩ処理部２４２８の各機能ブロックの機能及び処理は、対応する機能及び処理を記述した処理プログラムを、プロセッサが実行することにより実現することができる。処理プログラムは記憶装置に格納されており、プロセッサが、記憶装置に格納された処理プログラムをメモリに展開し、処理プログラムに記述された各処理を実行することにより、図２４に示した上述の各機能ブロックが実現される。ここで、メモリは例えば、ＲＡＭである。記憶装置は例えば、ＲＯＭやフラッシュメモリ等の不揮発性メモリ、あるいは、ＨＤＤ（Hard Disk Drive）等の磁気ディスク装置である。【０３０３】
尚、図２４に示した上述の各機能ブロックは、図８に示したものと同様のハードウェア構成のほかに、ＡＳＩＣ（Application Specified Integrated Circuit）やＦＰＧＡ（Field Programmable Gate Array）等のＬＳＩによって実現するようにしてもよい。【０３０４】
図２４に示した無線送信部２４２０及び無線受信部２４２２は、無線通信インターフェースによって実現することができる。無線通信インターフェースは例えば、ＲＦ  ＩＣ（Radio Frequency Integrated Circuit）等のＬＳＩである。【０３０５】
無線通信インターフェースはバスからデジタル信号を受けとり、受けとったデジタル信号をアナログ信号に変換する。無線通信インターフェースはさらに、変換後のアナログ信号を、無線通信において使用される周波数帯域の無線信号に変換し、図示しないアンテナを介して、無線端末２１０４に送信する。また、無線通信インターフェースは、図示しないアンテナを介して、無線通信において使用される周波数帯域の無線信号を無線端末２１０４から受信し、受信した無線信号を、プロセッサが処理可能な周波数のアナログ信号に変換する。無線通信インターフェースはさらに、変換後のアナログ信号をデジタル信号に変換し、変換後のデジタル信号をバスに出力する。【０３０６】
［３−４−２．無線中継局２１０２におけるデータ通信制御方法］
図２５は、無線中継局２１０２で行われるデータ通信制御方法を説明するための図である。以下、図２５に加えて、図２４を用いて、無線中継局２１０２で行われるデータ通信制御方法を説明する。【０３０７】
ステップＳ２５０２において、無線中継局２１０２は、一連のデータ通信制御処理を開始する。【０３０８】
次に、ステップＳ２５０４において、応答信号＆ＣＳＩ処理部２４２８は、無線受信部２４２２及び分離部２４２４を介して、無線端末２４０４から報告信号ＣＳＩを一定のサブフレーム間隔で周期的に受けとり、受けとった報告信号ＣＳＩに基づいて、下りチャネルの状態評価報告を取得する。上りデータ＆ＣＳＩ処理部２４２６は同様の方法で、下りチャネルの状態評価報告の受信を継続する。【０３０９】
次に、ステップＳ２５０６において、スケジューラ２４０２は、応答信号＆ＣＳＩ処理部２４２８から、ステップＳ２５０４において受信した下りチャネルの状態評価報告を受けとり、受けとった状態評価報告に基づいて、下りデータ通信をスケジューリングする必要が有るか否かを判定する。その結果、スケジューリングが必要と判定された場合は、処理はステップＳ２５０８に進む。例えば、無線中継局２１０２が無線端末２１０４への下りデータ通信を開始する場合や、無線中継局２１０２から無線端末２１０４への下りデータが存在する場合等に、スケジューリングが必要であると判定される。一方、スケジューリングが不要であると判定された場合は、処理は再度ステップＳ２５０６に戻る。【０３１０】
ステップＳ２５０８において、スケジューラ２４０２は、ステップＳ２５０６で受けとったチャネル状態評価報告に基づいて、無線端末２１０４に送信される制御信号に含まれる、リソースブロック割り当て（ＲＢＡ）のフィールドの値を決定する。【０３１１】
次に、ステップＳ２５１０において、スケジューラ２４０２は、ステップＳ２４０６で受けとったチャネル状態評価報告に基づいて、無線端末２１０４に送信される制御信号に含まれる、リソースブロック割り当て（ＲＢＡ）を除く各種の通信パラメータを決定する。制御信号生成部２４０６は、スケジューラ２４０２の制御の下、リソースブロック割り当て（ＲＢＡ）を含む、決定された各種の通信パラメータに基づいて、図２１に示した第３フォーマットを有する第３制御信号を生成する。尚、このとき、制御信号フォーマット制御部２４０４は、制御信号生成部２４０６に対して、制御信号のフォーマットとして、図２１に示した第３フォーマットを用いるように指定する。【０３１２】
次に、ステップＳ２５１２において、制御チャネル生成部２４１４は、ステップＳ２５１０において生成された制御信号を、ＰＤＣＣＨのデータフォーマットに適合した形式の信号に変換し、ＰＤＣＣＨにより送信可能な状態にする。無線送信部２４２０は、多重部２４１８を介して、制御チャネル生成部２４１４の出力信号を受けとり、受けとった出力信号を、ＰＤＣＣＨに対応する周波数帯域の無線信号に変換して、アンテナを介して無線端末２１０４に送信する。【０３１３】
さらに、共有チャネル生成部２４１６は、データ生成部２４１２において生成されたデータ信号を、ＰＤＳＣＨのデータフォーマットに適合した形式の信号に変換し、ＰＤＳＣＨにより送信可能な状態にする。無線送信部２４２０は、多重部２４１８を介して、共有チャネル生成部２４１６の出力信号を受けとり、受けとった出力信号を、ＰＤＳＣＨに対応する周波数帯域の無線信号に変換して、アンテナを介して無線端末２１０４に送信する。【０３１４】
次に、ステップ２５１４において、スケジューラ２４０２は制御信号フォーマット制御部２４０４に対して、制御信号のフォーマットを第３フォーマットから、図２２に示した第４フォーマットに切り替えるように指示する。制御信号フォーマット制御部２４０４は、制御信号生成部２４０６に対して、制御信号のフォーマットとして、第４フォーマットを用いるように指定する。【０３１５】
次に、ステップＳ２４１６において、スケジューラ２４０２は、応答信号＆ＣＳＩ処理部２４２８から、下りチャネルの状態評価報告を受けとり、受けとった状態評価報告に基づいて、下りデータ通信のための下りチャネルに対するリソースブロック割り当てを変更する必要が有るか否かを判定する。その結果、リソースブロック割り当ての変更の必要がないと判定された場合、処理はステップＳ２５１８に進む。リソースブロック割り当ての変更の必要があると判定された場合、処理はステップＳ２５２４に進む。【０３１６】
ステップＳ２５１８において、スケジューラ２４０２は、ステップＳ２４１６において受けとったチャネル状態評価報告に基づいて、下りデータ通信をスケジューリングする必要が有るか否かを判定する。その結果、スケジューリングが必要と判定された場合は、処理はステップＳ２５２０進む。一方、スケジューリングが不要と判定された場合は、処理は再度ステップＳ２５１８に戻る。【０３１７】
次に、ステップＳ２５２０において、スケジューラ２４０２は、ステップＳ２４１６で受けとったチャネル状態評価報告に基づいて、無線端末２１０４に送信される制御信号に含まれる、リソースブロック割り当て（ＲＢＡ）を除く各種の通信パラメータを決定する。制御信号生成部２４０６は、スケジューラ２４０２の制御の下、決定された各種の通信パラメータに基づいて、第４フォーマットを有する制御信号を生成する。【０３１８】
尚、このとき、制御信号フォーマット制御部２４０４は、制御信号生成部２４０６に対して、制御信号のフォーマットとして、第４フォーマットを用いるように指定する。また、上述のとおり、第４フォーマットにはリソースブロック割り当て（ＲＢＡ）のフィールドは含まれないが、リソースブロック割り当て（ＲＢＡ）の値（割り当てられた周波数帯域の値）は、ステップＳ２５０８において決定された値と同一の値が保持される。【０３１９】
次に、ステップＳ２５２２において、制御チャネル生成部２４１４は、ステップＳ２５２０において生成された制御信号を、ＰＤＣＣＨのデータフォーマットに適合した形式の信号に変換し、ＰＤＣＣＨにより送信可能な状態にする。無線送信部２４２０は、多重部２４１８を介して、制御チャネル生成部２４１４の出力信号を受けとり、受けとった出力信号を、ＰＤＣＣＨに対応する周波数帯域の無線信号に変換して、アンテナを介して無線端末２１０４に送信する。【０３２０】
一方、ステップＳ２５２４において、スケジューラ２４０２は、第１フォーマット又は第２フォーマットの中のＣＳＩ報告要求（CSI request）フィールドを、報告信号ＣＳＩの送信要求を示す特定の値に設定するように、制御信号生成部２４０６に指示する。【０３２１】
次に、ステップＳ２５２６において、制御信号生成部２４０６は、スケジューラ２４０２の制御の下、ステップＳ２５２４において決定された通信パラメータに基づいて、ＣＳＩ報告要求（CSI request）フィールドが報告信号ＣＳＩの送信要求を示す特定の値に設定された、第１フォーマットを有する第１制御信号又は第２フォーマットを有する第２制御信号を生成する。【０３２２】
ここで、第１フォーマットを有する第１制御信号及び第２フォーマットを有する第２制御信号において、ＣＳＩ送信要求（CSI request）フィールドが報告信号ＣＳＩの送信要求を示す特定の値であることは、次のデータ通信から、下りチャネルに割り当てられたリソースブロック（周波数帯域）、すなわち、第４フォーマットで省略した通信パラメータが変更されることを意味するということを、無線中継局２１０２と無線端末２１０４の間で事前に取り決めておく。【０３２３】
次に、ステップＳ２５２８において、制御チャネル生成部２４１４は、ステップＳ２５２６において生成された制御信号を、ＰＤＣＣＨのデータフォーマットに適合した形式の信号に変換し、ＰＤＣＣＨにより送信可能な状態にする。無線送信部２４２０は、多重部２４１８を介して、制御チャネル生成部２４１４の出力信号を受けとり、受けとった出力信号を、ＰＤＣＣＨに対応する周波数帯域の無線信号に変換して、アンテナを介して無線端末２１０４に送信する。【０３２４】
次に、ステップＳ２５３０において、スケジューラ２４０２は制御信号フォーマット制御部２４０４に対して、制御信号のフォーマットを第４フォーマットから第３フォーマットに切り替えるように指示する。制御信号フォーマット制御部２４０４は、制御信号生成部２４０６に対して、制御信号のフォーマットとして、第３フォーマットを用いるように指定する。その後、処理はステップＳ２５０６に戻る。【０３２５】
以上説明したように、第３実施例に係る無線中継局２１０２は無線端末２１０４に、リソースブロック割り当て（ＲＢＡ）を含む、第３フォーマットを有する第３制御信号を送信した後、制御信号のフォーマットを、リソースブロック割り当て（ＲＢＡ）を含まない、第４フォーマットに切り替え、無線中継局２１０２がリソースブロック割り当てについて変更の必要が有ると判定したときに、再度、制御信号のフォーマットを第３フォーマットに切り替えるようにしたので、データ通信のスケジューリングにおいて、制御信号のオーバーヘッド（データサイズ）の低減と、スケジューリングの柔軟性を両立させることができる。【０３２６】
また、無線中継局２１０２は、制御信号のフォーマットを第４フォーマットから第３フォーマットに切り替える際に、第１フォーマット又は第２フォーマットの中のＣＳＩ報告要求（CSI request）フィールドを、報告信号ＣＳＩの送信を要求することを示す特定の値に設定した上で、第１フォーマット又は第２フォーマットを有する制御信号を無線端末２１０４に送信するので、無線端末２１０４に対して、制御信号のフォーマットが切り替わることを適切に通知することができ、制御信号のフォーマットの切り替えを確実に実行することができる。【０３２７】
［３−５．無線端末２１０４］
次に、無線端末２１０４の構成、及び、無線端末２１０４で行われるデータ通信制御方法を説明する。【０３２８】
［３−５−１．無線端末２１０４の構成］
図２６は、無線端末２１０４の構成を示す機能ブロック図である。図２６に示したように、無線端末２１０４は、無線受信部２６０２、分離部２６０４、制御チャネル処理部２６０６、制御信号フォーマット制御部２６０８、共有チャネル処理部２６１０、応答信号生成部２６１２、チャネル状態監視部２６１４、データ生成部２６１６、共有チャネル生成部２６１８、制御チャネル生成部２６２０、多重部２６２２、及び無線送信部２６２４を含む。【０３２９】
無線受信部２６０２は、アンテナを介して、無線端末２１０４に割り当てられたＰＤＣＣＨ又はＰＤＳＣＨに対応する周波数帯域の無線信号を、無線中継局２１０２から受信し、受信した無線信号を無線端末２１０４の内部で処理可能な周波数の信号に変換して、分離部２６０４に出力する。【０３３０】
分離部２６０４は、無線受信部２６０２の出力信号を受けとり、無線受信部２６０２の出力信号が、下り制御チャネル（ＰＤＣＣＨ）により受信された信号（例えば、上りデータ通信又は下りデータ通信をスケジューリングする制御信号）である場合、受けとった受信信号を制御チャネル処理部２６０６に出力する。分離部２６０４は、無線受信部２６０２の出力信号が、下り共有チャネル（ＰＤＳＣＨ）により受信された信号（例えば、データ信号）である場合、受けとった受信信号を共有チャネル処理部２６１０に出力する。また、分離部２６０４は、無線受信部２６０２の出力信号が、下りチャネルの状態を評価するための参照信号である場合、受けとった受信信号をチャネル状態監視部２６１２に出力する。【０３３１】
制御信号フォーマット制御部２６０８は、制御チャネル処理部２６０６が上りデータ通信をスケジューリングする制御信号を処理する際に用いるべき制御信号のフォーマット、及び下りデータ通信をスケジューリングする制御信号を処理する際に用いるべき制御信号のフォーマットを選択する。制御信号フォーマット制御部２６０８は、制御チャネル処理部２６０６に対して、上りデータ通信をスケジューリングする制御信号のフォーマットとして、図４に示した第１フォーマットと図５に示した第２フォーマットのどちらを用いるかを指定する。制御信号フォーマット制御部２６０８は、制御チャネル処理部２６０６に対して、下りデータ通信をスケジューリングする制御信号のフォーマットとして、図２１に示した第３フォーマットと図２２に示した第４フォーマットのどちらを用いるかを指定する。【０３３２】
制御チャネル処理部２６０６は、分離部２６０４からの受信信号が上りデータ通信又は下りデータ通信をスケジューリングする制御信号であるとき、制御信号フォーマット制御部２６０８によって指定されたフォーマットにより、受信された制御信号を処理し、制御信号に含まれる各種の通信パラメータを取得する。【０３３３】
制御チャネル処理部２６０６は、下りデータ通信をスケジューリングする制御信号のフォーマットとして第３フォーマットが指定されており、取得した通信パラメータに、リソースブロック割り当て（ＲＢＡ）が含まれている場合、無線端末２１０４に下りデータ通信のために割り当てられた周波数帯域（リソースブロック）の情報を取得する。制御チャネル処理部２６０６は、制御信号フォーマット制御部２６０８に対して、次のデータ通信から、下りデータ通信をスケジューリングする制御信号のフォーマットとして、リソースブロック割り当て（ＲＢＡ）フィールドを含まない、第４フォーマットを選択するように指示する。【０３３４】
また、制御チャネル処理部２６０６は、上りデータ通信をスケジューリングする制御信号のフォーマット（第１フォーマット又は第２フォーマット）においてＣＳＩ報告要求（CSI request）のフィールドが、報告信号ＣＳＩの送信要求を示す特定の値であることを検出した場合、制御信号フォーマット制御部２６０８に対して、次のデータ通信から、下りデータ通信をスケジューリングする制御信号のフォーマットとして、リソースブロック割り当て（ＲＢＡ）フィールドを含む、第３フォーマットを選択するように指示する。【０３３５】
共有チャネル処理部２６１０は、制御チャネル処理部２６０６から、制御信号に含まれる各種の通信パラメータを受けとり、分離部２６０４からの受信信号がデータ信号であるとき、受けとったデータ信号に対して復調処理を行うことにより、データを取得する。共有チャネル処理部２６１０は、データが正常に取得できたか否かを示す情報を応答信号生成部２６１２に供給する。【０３３６】
応答信号生成部２６１２は、共有チャネル処理部２６１０から供給される情報に基づいて、データが正常に取得されたか否かを判定し、データが正常に取得されたか否かを示す応答信号を生成する。応答信号生成部２６１２は、データが正常に取得されたとき、肯定応答（ＡＣＫ、Acknowledgement）信号を生成する。一方、応答信号生成部２６１２は、データが正常に取得されなかったとき、否定応答（ＮＡＣＫ、Negative Acknowledgement）信号を生成する。応答信号生成部２６１２は、生成された応答信号を制御チャネル生成部２６２０に出力する。【０３３７】
チャネル状態監視部２６１４は、分離部２６０４から、下りチャネルの状態を評価するための参照信号を受けとり、受けとった参照信号に基づいて、下りチャネルの状態を監視し、下りチャネルの状態の評価を実施する。チャネル状態監視部２６１４は下りチャネルの状態評価を、一定のサブフレーム間隔で周期的に実施し、下りチャネルの状態評価の報告（周期報告）を作成して、制御チャネル生成部２６２０に供給する。また、チャネル状態監視部２６１４は下りチャネルの状態評価を、制御信号の第１フォーマット又は第２フォーマットにおいてＣＳＩ報告要求（CSI request）のフィールドが、報告信号ＣＳＩの送信要求を示す特定の値であることを検出したときに実施し、下りチャネルの状態評価の報告（非周期報告）を作成して、共有チャネル生成部２６１８に供給する。【０３３８】
データ生成部２６１６は、制御チャネル処理部２６０６において上りデータ通信のための通信パラメータが取得されると、無線中継局２１０２に送信するデータ信号を生成する。【０３３９】
共有チャネル生成部２６１８は、チャネル状態監視部２６１４から、下りチャネルの状態評価報告（非周期報告）を示す信号を受けとる。また、共有チャネル生成部２６１８は、データ生成部２６１６によって生成されたデータ信号を受けとる。共有チャネル生成部２６１８は、受けとった信号をＰＵＳＣＨのデータフォーマットに適合した形式の信号に変換し、ＰＵＳＣＨにより送信可能な状態にする。【０３４０】
制御チャネル生成部２６２０は、チャネル状態監視部２６１４から、下りチャネルの状態評価報告（周期報告）を示す信号を受けとる。また、制御チャネル生成部２６２０は、応答信号生成部２６１２から、応答信号（肯定応答信号又は否定応答信号）を受けとる。制御チャネル生成部２６２０は、受けとった信号をＰＵＣＣＨのデータフォーマットに適合した形式の信号に変換し、ＰＵＣＣＨにより送信可能な状態にする。【０３４１】
多重部２６２２は、共有チャネル生成部２６１８及び制御チャネル生成部２６２０からの出力信号を受けとり、受けとった出力信号を無線送信部２６２４に出力する。【０３４２】
無線送信部２６２４は、多重部２６２２からの出力信号を受けとり、受けとった出力信号を、無線端末２１０４に割り当てられたＰＵＣＣＨ又はＰＵＳＣＨに対応する周波数帯域の無線信号に変換して、アンテナを介して無線中継局２１０２に送信する。【０３４３】
尚、無線端末２１０４のハードウェア構成は、図１１に示した無線端末３０４のハードウェア構成と同様である。図２６に示した無線端末２１０４の各機能ブロックの機能は、図１１に示した無線端末３０４のハードウェア構成と同様のハードウェア構成によって実現することができる。【０３４４】
図２６に示した分離部２６０４、制御チャネル処理部２６０６、制御信号フォーマット制御部２６０８、共有チャネル処理部２６１０、応答信号生成部２６１２、チャネル状態監視部２６１４、データ生成部２６１６、共有チャネル生成部２６１８、制御チャネル生成部２６２０、及び多重部２６２２の各機能ブロックの機能及び処理は、対応する機能及び処理を記述した処理プログラムを、プロセッサが実行することにより実現することができる。処理プログラムは記憶装置に格納されており、プロセッサが、記憶装置に格納された処理プログラムをメモリに展開し、処理プログラムに記述された各処理を実行することにより、図２６に示した上述の各機能ブロックが実現される。ここで、メモリは例えば、ＲＡＭである。記憶装置は例えば、ＲＯＭやフラッシュメモリ等の不揮発性メモリ、あるいは、ＨＤＤ（Hard Disk Drive）等の磁気ディスク装置である。【０３４５】
尚、図２６に示した上述の各機能ブロックは、図１１に示したものと同様のハードウェア構成のほかに、ＡＳＩＣやＦＰＧＡといったＬＳＩによって実現するようにしてもよい。【０３４６】
図２６に示した無線受信部２６０２及び無線送信部２６２２は、無線通信インターフェースによって実現することができる。無線通信インターフェースは例えば、ＲＦ  ＩＣ（Radio Frequency Integrated Circuit）等のＬＳＩである。【０３４７】
無線通信インターフェースはバスからデジタル信号を受けとり、受けとったデジタル信号をアナログ信号に変換する。無線通信インターフェースはさらに、変換後のアナログ信号を、無線通信において使用される周波数帯域の無線信号に変換し、図示しないアンテナを介して、無線中継局２１０２に送信する。また、無線通信インターフェースは、図示しないアンテナを介して、無線通信において使用される周波数帯域の無線信号を無線中継局２１０２から受信し、受信した無線信号を、プロセッサが処理可能な周波数のアナログ信号に変換する。無線通信インターフェースはさらに、変換後のアナログ信号をデジタル信号に変換し、変換後のデジタル信号をバスに出力する。【０３４８】
［３−５−２．無線端末２１０４におけるデータ通信制御方法］
図２７は、無線端末２１０４で行われるデータ通信制御方法を説明するための図である。以下、図２７に加えて、図２６を用いて、無線端末２１０４で行われるデータ通信制御方法を説明する。【０３４９】
ステップＳ２７０２において、無線端末２１０４は、一連のデータ通信制御処理を開始する。【０３５０】
次に、ステップＳ２７０４において、制御信号フォーマット制御部２６０８は、制御チャネル処理部２６０６が下りデータ通信をスケジューリングする制御信号を処理する際に用いるべき制御信号のフォーマットとして、リソースブロック割り当て（ＲＢＡ）フィールドを含む、図２１に示した第３フォーマットを選択する。制御信号フォーマット制御部２６０８は、制御チャネル処理部２６０６に対して、制御信号のフォーマットとして第３フォーマットを指定する。【０３５１】
次に、ステップＳ２７０６において、チャネル状態監視部２６１４は、下りチャネルの状態を評価するための参照信号に基づいて、下りチャネルの状態の評価を一定のサブフレーム間隔で周期的に実施し、下りチャネルの状態評価の報告（周期報告）を作成する。このＣＳＩ報告の作成は、以降の各ステップにおける処理とは関係なく、一定のサブフレーム間隔で周期的に行われるものである。【０３５２】
制御チャネル生成部２６２０は、チャネル状態監視部２６１４から供給された、下りチャネルの状態評価報告（周期報告）を示す信号をＰＵＣＣＨのデータフォーマットに適合した形式の信号に変換し、ＰＵＣＣＨにより送信可能な状態にする。無線送信部２６２４は、多重部２６２２を介して受けとった、制御チャネル生成部２６２０の出力信号を、ＰＵＣＣＨに対応する周波数帯域の無線信号に変換して、アンテナを介して無線中継局２１０２に送信する。【０３５３】
次に、ステップＳ２７０８において、無線受信部２６０２は、無線中継局２１０２から、ＰＤＣＣＨにより、下りデータ通信をスケジューリングする制御信号を受信した否かを監視する。【０３５４】
次に、ステップＳ２７１０において、制御チャネル処理部２６０６は、無線受信部２６０２が下りデータ通信をスケジューリングする制御信号を受信したとき、分離部２６０４を介して、無線受信部２６０２から、受信された制御信号を受けとる。制御チャネル処理部２６０６は、受信された制御信号が、制御信号フォーマット制御部２６０８によって指定された第３フォーマットを有する制御信号であるか否かを判定する。その結果、第３フォーマットを有する制御信号が検出された場合、処理はステップＳ２７１２に進む。一方、第３フォーマットを有する制御信号が検出されなかった場合、処理はステップＳ２７０８に戻る。【０３５５】
次に、ステップＳ２７１２において、制御チャネル処理部２６０６は、制御信号フォーマット制御部２６０８によって指定された第３フォーマットにより、受信された制御信号を処理し、制御信号に含まれる各種の通信パラメータを取得する。制御チャネル処理部２６０６は、取得されたリソースブロック割り当て（ＲＢＡ）のフィールドの値から、無線端末２１０４に割り当てられた周波数帯域（リソースブロック）の情報を取得する。制御チャネル処理部２６０６は、制御信号フォーマット制御部２６０８に対して、制御信号のフォーマットとして、リソースブロック割り当て（ＲＢＡ）フィールドを含まない、第４フォーマットを選択するように指示する。【０３５６】
一方、無線受信部２６０２は、無線中継局２１０２から、ＰＤＳＣＨにより、ステップＳ２７１０において受信された制御信号に対応するデータ信号を受信する。共有チャネル処理部２６１０は、分離部２６０４を介して、受信されたデータ信号を受けとり、受けとったデータ信号に対して復調処理を行うことにより、データを取得する。共有チャネル処理部２６１０は、データが正常に取得できたか否かを示す情報を応答信号生成部２６１４に供給する。【０３５７】
次に、ステップＳ２７１４において、応答信号生成部２６１２は、共有チャネル処理部２６１０から供給される情報に基づいて、データが正常に取得されたか否かを判定し、データが正常に取得されたか否かを示す応答信号を生成する。応答信号生成部２６１２は、データが正常に取得されたとき、肯定応答（ＡＣＫ、Acknowledgement）信号を生成する一方、データが正常に取得されなかったとき、否定応答（ＮＡＣＫ、Negative Acknowledgement）信号を生成する。【０３５８】
制御チャネル生成部２６２０は、応答信号生成部２６１２から、応答信号（肯定応答信号又は否定応答信号）を受けとる。制御チャネル生成部２６２０は、受けとった応答信号をＰＵＣＣＨのデータフォーマットに適合した形式の信号に変換し、ＰＵＣＣＨにより送信可能な状態にする。無線送信部２６２４は、多重部２６２２を介して受けとった、制御チャネル生成部２６２０の出力信号を、ＰＵＣＣＨに対応する周波数帯域の無線信号に変換して、アンテナを介して無線中継局２１０２に送信する。【０３５９】
次に、ステップＳ２７１６において、制御信号フォーマット制御部２６０８は、制御チャネル処理部２６０６からの指示に基づいて、下りデータ通信をスケジューリングする制御信号のフォーマットとして、リソースブロック割り当て（ＲＢＡ）フィールドを含まない、図２２に示した第４フォーマットを選択する。制御信号フォーマット制御部２６０８は、制御チャネル処理部２６０６に対して、制御信号のフォーマットとして第４フォーマットを指定する。【０３６０】
次に、ステップＳ２７１８において、無線受信部２６０２は、無線中継局２１０２から、ＰＤＣＣＨにより、上りデータ通信をスケジューリングする制御信号（第１フォーマット又は第２フォーマットを有する制御信号）を受信した否かを監視する。【０３６１】
次に、ステップＳ２７２０において、制御チャネル処理部２６０６は、無線受信部２６０２が上りデータ通信をスケジューリングする制御信号を受信したとき、分離部２６０４を介して、無線受信部２６０２から、受信された制御信号を受けとる。制御チャネル処理部２６０６は、受信された制御信号のフォーマット（第１フォーマット又は第２フォーマット）において、ＣＳＩ報告要求（CSI request）のフィールドが、報告信号ＣＳＩの送信要求を示す特定の値であるか否かを判定する。その結果、ＣＳＩ送信要求フィールドが特定の値に設定された制御信号が検出された場合、処理はステップＳ２７２２に進む。一方、ＣＳＩ送信要求フィールドが特定の値に設定された制御信号が検出されなかった場合、処理はステップＳ２７１８に戻る。【０３６２】
また、制御チャネル処理部２６０６は、ＣＳＩ送信要求フィールドが特定の値に設定された制御信号が検出された場合、制御信号フォーマット制御部２６０８に対して、下りデータ通信をスケジューリングする制御信号のフォーマットとして、リソースブロック割り当て（ＲＢＡ）フィールドを含む、第３フォーマットを選択するように指示する。【０３６３】
次に、ステップＳ２７２２において、チャネル状態監視部２６１４は、ステップＳ２６２０においてＣＳＩ送信要求フィールドが上述の特定の値に設定されていることに応答して、下りチャネルの状態を評価するための参照信号に基づいて、下りチャネルの状態の評価を実施し、下りチャネルの状態評価の報告（非周期報告）を作成する。【０３６４】
共有チャネル生成部２６１８は、チャネル状態監視部２６１４から供給された、下りチャネルの状態評価報告（非周期報告）を示す信号をＰＵＳＣＨのデータフォーマットに適合した形式の信号に変換し、ＰＵＳＣＨにより送信可能な状態にする。無線送信部２６２４は、多重部２６２２を介して受けとった、共有チャネル生成部２６１８の出力信号を、ＰＵＳＣＨに対応する周波数帯域の無線信号に変換して、アンテナを介して無線中継局２１０２に送信する。【０３６５】
次に、ステップＳ２７２４において、制御信号フォーマット制御部２６０８は、制御チャネル処理部２６０６からの指示に基づいて、下りデータ通信をスケジューリングする制御信号のフォーマットとして、リソースブロック割り当て（ＲＢＡ）フィールドを含む第３フォーマットを選択する。制御信号フォーマット制御部２６０８は、制御チャネル処理部２６０６に対して、制御信号のフォーマットとして第３フォーマットを指定する。その後、処理はステップＳ２７０８に戻る。【０３６６】
以上説明したように、第３実施例に係る無線端末２１０４においては、無線中継局２１０２から、リソースブロック割り当て（ＲＢＡ）を含む、第３フォーマットを有する第３制御信号を受信した後、制御信号のフォーマットを、リソースブロック割り当て（ＲＢＡ）を含まない、第４フォーマットに切り替え、無線中継局２１０２から、リソースブロック割り当てについて変更の必要が有ることが通知されたときに、再度、制御信号のフォーマットを第３フォーマットに切り替えるようにしたので、データ通信のスケジューリングにおいて、制御信号のオーバーヘッド（データサイズ）の低減と、スケジューリングの柔軟性を両立させることができる。【０３６７】
また、無線端末２１０４は、制御信号のフォーマットを第４フォーマットから第３フォーマットを切り替える際に、第１フォーマット又は第２フォーマットの中のＣＳＩ報告要求（CSI request）フィールドを、報告信号ＣＳＩの送信を要求することを示す特定の値に設定した上で、第１フォーマット又は第２フォーマットを有する制御信号を無線中継局２１０２から受信するので、制御信号のフォーマットが切り替わることを適切に通知することができ、制御信号のフォーマットの切り替えを確実に実行することができる。【０３６８】
［４．第４実施例］
以下、第４実施例に係る無線局及び通信制御方法について説明する。第４実施例は、第３実施例と同様に、ＬＴＥにおける下りデータ通信のダイナミックスケジューリングに関するものである。【０３６９】
第４実施例に係る無線通信システム構成２８００は、図３に示した、第１実施例に係る無線通信システム３００の構成と同様であり、無線中継局（第１無線局）２８０２と無線端末（第２無線局）２８０４を含む。よって、詳細な説明は省略する。【０３７０】
また、第４実施例に係る無線通信システム２８００のダイナミックスケジューリングにおける、下りデータ通信をスケジューリングするための制御信号のフォーマットは、図２１及び図２２に示した、第３実施例に係る制御信号のフォーマットと同様である。よって、詳細な説明は省略する。【０３７１】
［４−１．無線通信システム２８００における通信制御］
次に、第４実施例に係る無線通信システム２８００において、無線中継局２８０２と無線端末２８０４の間で行われるデータ通信の制御方法を説明する。【０３７２】
第４実施例に係るデータ通信制御方法は、図２３に示した、第３実施例に係るデータ通信制御方法を以下に説明する点において改良したものである。【０３７３】
［４−１−１．第３フォーマットから第４フォーマットへの制御信号フォーマットの切り替え］
第４実施例に係るデータ通信制御方法は、図２３に示した、第３実施例に係るステップ２３−１及び２３−２の場合と異なり、無線中継局２８０２が無線端末２８０４に第３フォーマットを有する第３制御信号を送信した後、さらに、無線端末２８０４より、送信された第３制御信号に対応するデータ信号に対する応答信号を受信したとき、無線中継局２８０２は制御信号のフォーマットを、第３フォーマットから、第４フォーマットに切り替える点で異なる
図２８は、第４実施例に係る無線通信システム２８００において、無線中継局２８０２と無線端末２８０４の間で行われるデータ通信の制御方法を説明するための図であり、制御信号のフォーマットを第３フォーマットから第４フォーマットに切り替える場合のデータ通信の制御方法を説明するための図である。【０３７４】
図２８に示したように、ステップ２８−１において、無線中継局２８０２は、ステップ２３−１の場合と同様に、通信対象の無線端末２８０４に対して、リソースブロック割り当て等の各種の通信パラメータを決定し、下りデータ通信に用いられる下りチャネルのための周波数帯域を割り当てる。無線中継局２８０２は、決定された通信パラメータに基づいて、ＰＤＣＣＨ（下りチャネル）により、無線端末２８０４に、図２１に示した第３フォーマットを有する第３制御信号を送信する。第３制御信号は、下りデータ通信をスケジューリングするための制御信号であり、リソースブロック割り当て（ＲＢＡ）等の通信パラメータを含む。【０３７５】
ステップ２８−２において、無線端末２８０４は、下り通信チャネル（ＰＤＣＣＨ）の状態が悪い等の何らかの理由により、無線中継局２８０２から、第３フォーマットを有する第３制御信号を受信することに失敗する。【０３７６】
ステップ２８−３において、無線端末２８０４は、ステップ２８−２において第３フォーマットを有する第３制御信号の受信に失敗したため、第３制御信号に含まれる通信パラメータを取得することができず、下りデータ通信に用いられる下りチャネルに割り当てられた周波数帯域を設定することができない。そのため、無線端末２８０４は無線中継局２８０２から、対応するデータ信号を受信することができず、データが正常に取得されたか否かを示す応答信号（肯定応答（ＡＣＫ）信号、又は、否定応答（ＮＡＣＫ）信号）を、無線中継局２８０２に送信することができない。【０３７７】
ステップ２８−４において、無線中継局２８０２は、無線端末２８０４が対応するデータ信号の応答信号を送信しないため、無線端末２８０４から、送信した第３制御信号に対応するデータ信号に対する応答信号を受信することに失敗する。【０３７８】
無線中継局２８０２は、送信した第３制御信号に対応するデータ信号に対する応答信号を受信することに失敗した場合、送信した第３制御信号が無線端末２８０４において正常に受信されず、リソースブロック割り当て等の各種の通信パラメータが無線端末２８０４に正常に通知されていないと判断する。そして、無線中継局２８０２は、制御信号のフォーマットを第３フォーマットから第４フォーマットに切り替えず、次のデータ通信においても、第３フォーマットを有する第３制御信号を無線端末２８０２に送信することを決定する。【０３７９】
ステップ２８−５において、無線中継局２８０２は、ステップ２８−４において第３制御信号に対応するデータ信号の応答信号を受信することに失敗したことに応答して、再度、無線端末２８０４に対して、リソースブロック割り当て等の各種の通信パラメータを決定し、下りデータ通信に用いられる下りチャネルのための周波数帯域を割り当てる。無線中継局２８０２は再度、決定された通信パラメータに基づいて、ＰＤＣＣＨ（下りチャネル）により、通信対象の無線端末２８０４に、第３フォーマットを有する第３制御信号を送信する。【０３８０】
ステップ２８−６において、無線端末２８０４は、ＰＤＣＣＨにより、無線中継局２８０２から、ステップ２８−５において送信された、第３フォーマットを有する第３制御信号を正常に受信する。【０３８１】
ステップ２８−７において、無線端末２８０４は、受信された第３制御信号に含まれる通信パラメータに基づいて、下りデータ通信に用いられる下りチャネルに割り当てられた周波数帯域を設定する。無線端末２８０４は、制御信号を受信したサブフレームと同一のサブフレームにおいて、設定された周波数帯域を有するＰＤＳＣＨ（下りチャネル）により、無線中継局２８０２からデータ信号を受信する。そして、無線端末２８０４は、データ信号の受信に応答してデータの復調処理を行い、データが正常に取得されたか否かを示す応答信号を生成する。無線端末２８０４は、ＰＵＣＣＨにより、生成された応答信号（肯定応答（ＡＣＫ）信号、又は、否定応答（ＮＡＣＫ）信号）を無線中継局２８０２に送信する。【０３８２】
ステップ２８−８において、無線中継局２８０２は、上り通信チャネル（ＰＵＣＣＨ）の状態が悪い等の何らかの理由により、無線端末２８０４から、送信した第３制御信号に対応するデータ信号の応答信号を受信することに失敗する。【０３８３】
無線中継局２８０２は、送信した第３制御信号に対応するデータ信号の応答信号を受信することに失敗した場合、送信した第３制御信号が無線端末２８０４において正常に受信されず、リソースブロック割り当て等の各種の通信パラメータが無線端末２８０４に正常に通知されていないと判断する。そして、無線中継局２８０２は、制御信号のフォーマットを第３フォーマットから第４フォーマットに切り替えず、次のデータ通信においても、第３フォーマットを有する第３制御信号を無線端末２８０２に送信することを決定する。【０３８４】
ステップ２８−９において、無線中継局２８０２は、送信した第３制御信号に対応するデータ信号の応答信号を受信することに失敗したことに応答して、再度、無線端末２８０４に対して、リソースブロック割り当て等の各種の通信パラメータを決定し、下りデータ通信に用いられる下りチャネルのための周波数帯域を割り当てる。無線中継局２８０２は再度、決定された通信パラメータに基づいて、ＰＤＣＣＨ（下りチャネル）により、通信対象の無線端末２８０４に、第３フォーマットを有する第３制御信号を送信する。【０３８５】
ステップ２８−１０において、無線端末２８０４は、ＰＤＣＣＨにより、無線中継局２８０２から、ステップ２８−９において送信された、第３フォーマットを有する第３制御信号を受信する。【０３８６】
ステップ２８−１１において、無線端末２８０４は、受信された第３制御信号に含まれる通信パラメータに基づいて、下りデータ通信に用いられる下りチャネルに割り当てられた周波数帯域を設定する。無線端末２８０４は、制御信号を受信したサブフレームと同一のサブフレームにおいて、設定された周波数帯域を有するＰＤＳＣＨ（下りチャネル）により、無線中継局２８０２にデータ信号を送信する。そして、無線端末２８０４は、データ信号の受信に応答してデータの復調処理を行い、データが正常に取得されたか否かを示す応答信号を生成する。無線端末２８０４は、ＰＵＣＣＨにより、生成された応答信号（肯定応答（ＡＣＫ）信号、又は、否定応答（ＮＡＣＫ）信号）を無線中継局２８０２に送信する。【０３８７】
ステップ２８−１２において、無線中継局２８０２は、ＰＵＣＣＨにより、無線端末２８０４から、送信した第３制御信号に対応するデータ信号に対する応答信号を正常に受信する。【０３８８】
無線中継局２８０２は、送信した第３制御信号に対応するデータ信号に対する応答信号を正常に受信した場合、送信した第３制御信号が無線端末２８０４において正常に受信され、リソースブロック割り当て等の各種の通信パラメータが無線端末２８０４に正常に通知されたと判断する。そして、無線中継局２８０２は制御信号のフォーマットを第３フォーマットから第４フォーマットに切り替える。【０３８９】
ステップ２８−１３において、無線中継局２８０２は、ステップ２３−２の場合と同様に、リソースブロック割り当てについて変更の必要が無いと判定すると、下りチャネルに割り当てられた周波数帯域を変更せず、無線端末２８０４に、第４フォーマットを有する第４制御信号を送信する。すなわち、無線中継局２８０２は制御信号のフォーマットを第３フォーマットから第４フォーマットに切り替える。【０３９０】
無線端末２８０４は、ＰＤＣＣＨにより、無線中継局２８０２から、第４フォーマットを有する第４制御信号を受信する。無線端末２８０４は、ステップ２３−２の場合と同様に、受信された第４制御信号に含まれる通信パラメータに基づいて、第４制御信号を受信したサブフレームと同一のサブフレームにおいて、すでに設定されている周波数帯域を有するＰＤＳＣＨ（下りチャネル）により、無線中継局２８０２からデータ信号を受信する。そして、無線端末２８０４は、データ信号の受信に応答してデータの復調処理を行い、データが正常に取得されたか否かを示す応答信号を生成する。無線端末２８０４は、ＰＵＣＣＨにより、生成された応答信号（肯定応答（ＡＣＫ）信号、又は、否定応答（ＮＡＣＫ）信号）を無線中継局２８０２に送信する。【０３９１】
ここで、以上の説明から分かるように、図２８において、期間Ａは、無線中継局２８０２が制御信号のフォーマットとして第３フォーマットを採用する期間である。期間Ｂは、無線中継局２８０２が制御信号のフォーマットとして第４フォーマットを採用する期間である。【０３９２】
また、期間Ｃは、無線端末２８０４が制御信号のフォーマットとして第３フォーマットを採用する期間である。期間Ｅは、無線端末２８０４が制御信号のフォーマットとして第４フォーマットを採用する期間である。【０３９３】
これに対し、期間Ｄは、無線端末２８０４が制御信号のフォーマットとして第３フォーマットと第４フォーマットの両方を採用する期間である。【０３９４】
無線端末２８０４は、第３フォーマットを有する第３制御信号を受信し、受信した第３制御信号に対応するデータ信号の応答信号を送信してから、実際に第４フォーマットを有する第４制御信号を受信し、受信した第４制御信号に対応するデータ信号の応答信号を送信するまでの期間は、制御信号のフォーマットとして第３フォーマットと第４フォーマットの両方を採用し、第３制御信号と第４制御信号の両方を受信することを可能とする。【０３９５】
これは、例えばステップ２８−８のように、無線端末２８０４が第３制御信号を正常に受信し、受信した第３制御信号に対応するデータ信号に対する応答信号を正常に送信しても、無線中継局２８０２がその応答信号を正常に受信することができなかった場合、無線中継局２８０２は、リソースブロック割り当て等の各種の通信パラメータが無線端末２８０４に正常に通知されなかったと判断するため、再度、第３制御信号を送信することになるためである。【０３９６】
以上説明したように、第４実施例に係る無線通信システム２８００においては、無線中継局２８０２が無線端末２８０４に、リソースブロック割り当て（ＲＢＡ）を含む、第３フォーマットを有する第３制御信号を送信した後、さらに、無線端末２８０４より、送信された第３制御信号に対応するデータ信号の応答信号を受信したとき、無線中継局２８０２は制御信号のフォーマットを第３フォーマットから第４フォーマットに切り替えるようにしたので、第３フォーマットから第４フォーマットへの制御信号のフォーマットの切り替えに際して、送信した第３制御信号が無線端末２８０４において正常に受信され、リソースブロック割り当て等の各種の通信パラメータが無線端末２８０４に正常に通知されたことを確認することができるので、制御信号のフォーマットの切り替えをより確実に実行することができる。【０３９７】
［４−１−２．第４フォーマットから第３フォーマットへの制御信号フォーマットの切り替え］
また、第４実施例に係るデータ通信制御方法は、図２３に示した、第３実施例に係るステップ２３−３及び２３−４の場合と異なり、無線中継局２８０２が無線端末２８０４に、第１制御信号の第１フォーマット又は第２制御信号の第２フォーマットの中のＣＳＩ報告要求（CSI request）フィールドを、報告信号ＣＳＩの送信要求を示す特定の値に設定した上で、第１フォーマットを有する第１制御信号又は第２フォーマットを有する第２制御信号を送信した後、さらに、無線端末２８０４より、送信された第１制御信号又は第２制御信号に対応する報告信号ＣＳＩを受信したとき、無線中継局２８０２は制御信号のフォーマットを第４フォーマットから第３フォーマットに切り替える点で異なる。【０３９８】
図２９は、第４実施例に係る無線通信システム２８００において、無線中継局２８０２と無線端末２８０４の間で行われるデータ通信の制御方法を説明するための図であり、制御信号のフォーマットを第４フォーマットから第３フォーマットに切り替える場合のデータ通信の制御方法を説明するための図である。【０３９９】
図２９に示したように、ステップ２９−１において、無線中継局２８０２は、ステップ２３−３の場合と同様に、下りチャネルの状態監視を継続し、リソースブロック割り当て、すなわち、第４フォーマットの制御信号で省略した通信パラメータについて変更の必要が有るか否かを判定する。【０４００】
そして、無線中継局２８０２は、リソースブロック割り当て、すなわち、第４フォーマットの制御信号で省略した通信パラメータについて変更の必要が有ると判定すると、第４フォーマットを有する第４制御信号を通信対象の無線端末３０４に送信するとともに、図４に示した第１フォーマット又は図５に示した第２フォーマットの中のＣＳＩ報告要求（CSI request）フィールドを、報告信号ＣＳＩの送信要求を示す特定の値に設定した上で、第１フォーマットを有する第１制御信号又は第２フォーマットを有する第２制御信号を、無線端末２８０４に送信する。【０４０１】
ステップ２９−２において、無線端末２８０４は、下り通信チャネル（ＰＤＣＣＨ）の状態が悪い等の何らかの理由により、無線中継局２８０２から、第１フォーマットを有する第１制御信号又は第２フォーマットを有する第２制御信号を受信することに失敗する。【０４０２】
ステップ２９−３において、無線端末２８０４は、ステップ２９−２において第１フォーマットを有する第１制御信号又は第２フォーマットを有する第２制御信号の受信に失敗したため、第１制御信号又は第２制御信号に含まれるＣＳＩ報告要求（CSI request）のパラメータを取得することができない。そのため、無線端末２８０４は無線中継局２８０２に、対応する報告信号ＣＳＩを送信することができない。【０４０３】
ステップ２９−４において、無線中継局２８０２は、無線端末２８０４が対応する報告信号ＣＳＩを送信しないため、無線端末２８０４から、送信した第１制御信号又は第２制御信号に対応する報告信号ＣＳＩを受信することに失敗する。【０４０４】
無線中継局２８０２は、送信した第１制御信号又は第２制御信号に対応する報告信号ＣＳＩを受信することに失敗した場合、送信した第１制御信号又は第２制御信号が無線端末２８０４において正常に受信されず、リソースブロック割り当てについて変更の必要が有ることが正常に通知されていないと判断する。そして、無線中継局２８０２は、下りデータ通信をスケジューリングする制御信号のフォーマットを第４フォーマットから第３フォーマットに切り替えず、次のデータ通信においても、第１フォーマットを有する第１制御信号又は第２フォーマットを有する第２制御信号を、ＣＳＩ報告要求（CSI request）フィールドを、報告信号ＣＳＩの送信要求を示す特定の値に設定した上で、無線端末２８０２に送信することを決定する。【０４０５】
ステップ２９−５において、無線中継局２８０２は、ステップ２９−４において第１制御信号又は第２制御信号に対応する報告信号ＣＳＩを受信することに失敗したことに応答して、リソースブロック割り当てについて変更の必要が有ると判定すると、第４フォーマットを有する第４制御信号を無線端末３０４に送信するとともに、再度、第１フォーマット又は第２フォーマットの中のＣＳＩ報告要求（CSI request）フィールドを、報告信号ＣＳＩの送信要求を示す特定の値に設定した上で、ＰＤＣＣＨ（下りチャネル）により、無線端末２８０４に、第１フォーマットを有する第１制御信号又は第２フォーマットを有する第２制御信号を送信する。【０４０６】
ステップ２９−６において、無線端末２８０４は、ＰＤＣＣＨにより、無線中継局２８０２から、ステップ２９−５において送信された、第１フォーマットを有する第１制御信号又は第２フォーマットを有する第２制御信号を正常に受信する。【０４０７】
ステップ２９−７において、無線端末２８０４は、受信された第１制御信号又は第２制御信号に含まれる、ＣＳＩ報告要求（CSI request）フィールドの値に基づいて、次のデータ通信から、下りチャネル（ＰＤＳＣＨ）に割り当てられたリソースブロック（周波数帯域）が変更されることを認識する。また、無線端末２８０４は、第４フォーマットを有する第４制御信号を受信することにより、現在のデータ通信では、下りチャネル（ＰＤＳＣＨ）に割り当てられた周波数帯域は、すでに割り当てられた周波数帯域と同一のままであると認識する。【０４０８】
無線端末２８０４は、受信した第１制御信号又は第２制御信号に対応する報告信号ＣＳＩを生成し、制御信号を受信したサブフレームから、予め決められた数のサブフレームの後に、生成された報告信号ＣＳＩを、ＰＵＳＣＨ（上りチャネル）により無線中継局２８０２に送信する。ここで、生成される報告信号ＣＳＩは、システム帯域の全帯域あるいは一部の帯域における下りチャネルの状態の評価を報告するものである。【０４０９】
ステップ２９−８において、無線中継局２８０２は、上り通信チャネル（ＰＵＳＣＨ）の状態が悪い等の何らかの理由により、無線端末２８０４から、送信した第１制御信号又は第２制御信号に対応する報告信号ＣＳＩを受信することに失敗する。【０４１０】
無線中継局２８０２は、送信した第１制御信号又は第２制御信号に対応する報告信号ＣＳＩを受信することに失敗した場合、送信した第１制御信号又は第２制御信号が無線端末２８０４において正常に受信されず、リソースブロック割り当てについて変更の必要が有ることが無線端末２８０４に正常に通知されていないと判断する。そして、無線中継局２８０２は、下りデータ通信をスケジューリングする制御信号のフォーマットを第４フォーマットから第３フォーマットに切り替えず、次のデータ通信においても、第１フォーマットを有する第１制御信号又は第２フォーマットを有する第２制御信号を、ＣＳＩ報告要求（CSI request）フィールドを、報告信号ＣＳＩの送信要求を示す特定の値に設定した上で、無線端末２８０２に送信することを決定する。【０４１１】
ステップ２９−９において、無線中継局２８０２は、ステップ２９−８において第１制御信号又は第２制御信号に対応する報告信号ＣＳＩを受信することに失敗したことに応答して、リソースブロック割り当てについて変更の必要が有ると判定すると、第４フォーマットを有する第４制御信号を無線端末３０４に送信するとともに、再度、第１フォーマット又は第２フォーマットの中のＣＳＩ報告要求（CSI request）フィールドを、報告信号ＣＳＩの送信要求を示す特定の値に設定した上で、ＰＤＣＣＨ（下りチャネル）により、無線端末２８０４に、第１フォーマットを有する第１制御信号又は第２フォーマットを有する第２制御信号を送信する。【０４１２】
ステップ２９−１０において、無線端末２８０４は、ＰＤＣＣＨにより、無線中継局２８０２から、ステップ２９−５において送信された、第１フォーマットを有する第１制御信号又は第２フォーマットを有する第２制御信号を正常に受信する。【０４１３】
ステップ２９−１１において、無線端末２８０４は、受信された第１制御信号又は第２制御信号に含まれる、ＣＳＩ報告要求（CSI request）フィールドの値に基づいて、次のデータ通信から、下りチャネル（ＰＤＳＣＨ）に割り当てられたリソースブロック（周波数帯域）が変更されることを認識する。また、無線端末２８０４は、第４フォーマットを有する第４制御信号を受信することにより、現在のデータ通信では、下りチャネル（ＰＤＳＣＨ）に割り当てられた周波数帯域は、すでに割り当てられた周波数帯域と同一のままであると認識する。【０４１４】
無線端末２８０４は、受信した第１制御信号又は第２制御信号に対応する報告信号ＣＳＩを生成し、制御信号を受信したサブフレームから、予め決められた数のサブフレームの後に、生成された報告信号ＣＳＩを、ＰＵＳＣＨ（上りチャネル）により無線中継局２８０２に送信する。【０４１５】
ステップ２９−１２において、無線中継局２８０２は、ＰＵＳＣＨにより、無線端末２８０４から、送信した第１制御信号又は第２制御信号に対応する報告信号ＣＳＩを正常に受信する。【０４１６】
無線中継局２８０２は、送信した第１制御信号又は第２制御信号に対応する報告信号ＣＳＩを正常に受信した場合、送信した第１制御信号又は第２制御信号が無線端末２８０４において正常に受信され、リソースブロック割り当てについて変更の必要が有ることが無線端末２８０４に正常に通知されたと判断する。そして、無線中継局２８０２は下りデータ通信をスケジューリングする制御信号のフォーマットを第４フォーマットから第３フォーマットに切り替える。【０４１７】
ステップ２９−１３において、無線中継局２８０２は、ステップ２３−４の場合と同様に、通信対象の無線端末２８０４に対して、リソースブロック割り当て等の各種の通信パラメータを新たに決定し、下りデータ通信に用いられる下りチャネルのための周波数帯域を新たに割り当てる。無線中継局２８０２は、決定された通信パラメータに基づいて、ＰＤＣＣＨ（下りチャネル）により、通信対象の無線端末２８０４に、第３フォーマットを有する第３制御信号を送信する。すなわち、無線中継局２８０２は下りデータ通信をスケジューリングする制御信号のフォーマットを第４フォーマットから第３フォーマットに切り替える。【０４１８】
ステップ２９−１４において、無線端末２８０４は、ＰＤＣＣＨにより、無線中継局２８０２から、第３フォーマットを有する第３制御信号を正常に受信する。【０４１９】
無線端末２８０４は、受信された第３制御信号に含まれる通信パラメータに基づいて、下りデータ通信に用いられる下りチャネルに対して新たに割り当てられた周波数帯域を設定する。【０４２０】
無線端末２８０４は、第３制御信号を受信したサブフレームと同一のサブフレームにおいて、新たに設定された周波数帯域を有するＰＤＳＣＨ（下りチャネル）により、無線中継局２８０２からデータ信号を受信する。そして、無線端末２８０４は、データ信号の受信に応答してデータの復調処理を行い、データが正常に取得されたか否かを示す応答信号を生成する。
ステップ２９−１５において、無線端末２８０４は、ＰＵＣＣＨにより、生成された応答信号（肯定応答（ＡＣＫ）信号、又は、否定応答（ＮＡＣＫ）信号）を無線中継局２８０２する。【０４２１】
ステップ２９−１６において、無線中継局２８０２は、ＰＵＣＣＨにより、無線端末２８０４から、送信した第３制御信号に対応するデータ信号に対する応答信号を正常に受信する。【０４２２】
無線中継局２８０２は、送信した第３制御信号に対応するデータ信号に対する応答信号を正常に受信した場合、送信した第３制御信号が無線端末２８０４において正常に受信され、リソースブロック割り当て等の各種の通信パラメータが無線端末２８０４に正常に通知されたと判断する。そして、無線中継局２８０２は下りデータ通信をスケジューリングする制御信号のフォーマットを第３フォーマットから第４フォーマットに切り替える。【０４２３】
ステップ２９−１７において、無線中継局２８０２は、リソースブロック割り当てについて変更の必要が無いと判定すると、下りチャネルに割り当てられた周波数帯域を変更せず、無線端末２８０４に、第４フォーマットを有する第４制御信号を送信する。すなわち、無線中継局２８０２は制御信号のフォーマットを第３フォーマットから第４フォーマットに切り替える。【０４２４】
ここで、以上の説明から分かるように、図２９において、期間Ａ及びＣは、無線中継局２８０２が下りデータ通信をスケジューリングする制御信号のフォーマットとして第４フォーマットを採用する期間である。期間Ｂは、無線中継局２８０２が制御信号のフォーマットとして第３フォーマットを採用する期間である。【０４２５】
また、期間Ｄ及びＧは、無線端末２８０４が下りデータ通信をスケジューリングする制御信号のフォーマットとして第４フォーマットを採用する期間である。【０４２６】
これに対し、期間Ｅ及びＦは無線端末２８０４が制御信号のフォーマットとして第３フォーマットと第４フォーマットの両方を採用する期間である。【０４２７】
無線端末２８０４は、ＣＳＩ報告要求（CSI request）フィールドが、報告信号ＣＳＩの送信要求を示す特定の値に設定された、第１フォーマットを有する第１制御信号又は第２フォーマットを有する第２制御信号を受信し、受信した第１制御信号又は第２制御信号に対応する報告信号ＣＳＩを送信してから、実際に第３フォーマットを有する第３制御信号を受信し、受信した第３制御信号に対応するデータ信号の応答信号を送信するまでの期間は、下りデータ通信をスケジューリングする制御信号のフォーマットとして第３フォーマットと第４フォーマットの両方を採用し、第３制御信号と第４制御信号の両方を受信することを可能とする。【０４２８】
これは、例えばステップ２９−８のように、無線端末２８０４がＣＳＩ報告要求フィールドが上記の特定の値に設定された第１制御信号又は第２制御信号を正常に受信し、受信した第１制御信号又は第２制御信号に対応する報告信号ＣＳＩを正常に送信しても、無線中継局２８０２がその報告信号ＣＳＩを正常に受信することができなかった場合、無線中継局２８０２は、リソースブロック割り当てについて変更の必要があることが無線端末２８０４に正常に通知されなかったと判断するため、再度、第４フォーマットを有する第４制御信号を送信するとともに、ＣＳＩ送信要求フィールドが上記の特定の値に設定された第１制御信号又は第２制御信号を送信することになるためである。【０４２９】
また、無線端末２８０４は、第３フォーマットを有する第３制御信号を受信し、受信した第３制御信号に対応するデータ信号の応答信号を送信してから、実際に第４フォーマットを有する第４制御信号を受信し、受信した第４制御信号に対応するデータ信号の応答信号を送信するまでの期間は、制御信号のフォーマットとして第３フォーマットと第４フォーマットの両方を採用し、第３制御信号と第４制御信号の両方を受信することを可能とする。【０４３０】
これは、図２８の期間Ｄの場合と同様に、無線端末２８０４が第３制御信号を正常に受信し、受信した第３制御信号に対応するデータ信号の応答信号を正常に送信しても、無線中継局２８０２がその応答信号を正常に受信することができなかった場合、無線中継局２８０２は、リソースブロック割り当て等の各種の通信パラメータが無線端末２８０４に正常に通知されなかったと判断するため、再度、第３制御信号を送信することになるためである。【０４３１】
以上説明したように、第４実施例に係る無線通信システム２８００においては、無線中継局２８０２が無線端末２８０４に、第１フォーマット又は第２フォーマットの中のＣＳＩ報告要求（CSI request）フィールドを、報告信号ＣＳＩの送信要求を示す特定の値に設定した上で、第１フォーマット又は第２フォーマットを有する制御信号を送信した後、さらに、無線端末２８０４より、送信された制御信号に対応する報告信号ＣＳＩを受信したとき、無線中継局２８０２は制御信号のフォーマットを第４フォーマットから第３フォーマットに切り替えるようにしたので、第４フォーマットから第３フォーマットへの制御信号のフォーマットの切り替えに際して、送信した制御信号が無線端末２８０４において正常に受信され、リソースブロック割り当てについて変更の必要が有ることが無線端末２８０４に正常に通知されたことを確認することができるので、制御信号のフォーマットの切り替えをより確実に実行することができる。【０４３２】
［４−１−３．無線通信システム２８００における通信制御］
次に、第４実施例に係る無線通信システム２８００において、無線中継局２８０２と無線端末２８０４の間で行われるデータ通信全体の制御方法を説明する。【０４３３】
図３０は、第４実施例に係る無線通信システム２８００において、無線中継局２８０２と無線端末２８０４の間で行われるデータ通信全体の制御方法を説明するための図である。図３０は、図２８及び図２９において説明したデータ通信の制御を、一連のデータ通信全体の中で改めて説明したものである。【０４３４】
図３０に示したように、ステップ３０−１、３０−２において、無線中継局２８０２は、図２８に示したステップ２８−１〜２８−１２の場合と同様に、無線端末２８０４との間で上りデータ通信を開始するに当たり、通信対象の無線端末２８０４に対して、リソースブロック割り当て等の各種の通信パラメータを決定し、下りデータ通信に用いられる下りチャネルのための周波数帯域を割り当てる。無線中継局２８０２は、決定された通信パラメータに基づいて、ＰＤＣＣＨ（下りチャネル）により、無線端末２８０４に、図２１に示した第３フォーマットを有する第３制御信号を送信する。【０４３５】
無線中継局２８０２は、ＰＵＣＣＨにより、送信した第３制御信号に対応するデータ信号に対する応答信号を無線端末２８０４から正常に受信した場合、送信した第３制御信号が無線端末２８０４において正常に受信され、リソースブロック割り当て等の各種の通信パラメータが無線端末２８０４に正常に通知されたと判断する。そして、無線中継局２８０２は、下りデータ通信をスケジューリングする制御信号のフォーマットを第３フォーマットから、図２２に示した第４フォーマットに切り替える。【０４３６】
ステップ３０−３において、無線中継局２８０２は、ステップ２８−１３の場合と同様に、リソースブロック割り当てについて変更の必要が無いと判定すると、下りチャネルに割り当てられた周波数帯域を変更せず、無線端末２８０４に、第４フォーマットを有する第４制御信号を送信する。すなわち、無線中継局２８０２は下りデータ通信をスケジューリングする制御信号のフォーマットを第３フォーマットから第４フォーマットに切り替える。【０４３７】
無線端末２８０４は、ＰＤＣＣＨにより、無線中継局２８０２から、第４フォーマットを有する第４制御信号を受信する。無線端末２８０４は、受信された第４制御信号に含まれる通信パラメータに基づいて、第４制御信号を受信したサブフレームと同一のサブフレームにおいて、すでに設定されている周波数帯域を有するＰＤＳＣＨ（下りチャネル）により、無線中継局２８０２からデータ信号を受信する。【０４３８】
ステップ３０−４において、無線中継局２８０２は、図２９に示したステップ２９−１〜２９−１２の場合と同様に、リソースブロック割り当てについて変更の必要が有ると判定すると、第４フォーマットを有する第４制御信号を通信対象の無線端末２８０４に送信するとともに、図４に示した第１フォーマット又は図５に示した第２フォーマットの中のＣＳＩ報告要求（CSI request）フィールドを、報告信号ＣＳＩの送信要求を示す特定の値に設定した上で、第１フォーマットを有する第１制御信号又は第２フォーマットを有する第２制御信号を、無線端末２８０４に送信する。【０４３９】
無線中継局２８０２は、ＰＵＣＣＨにより、送信した第１制御信号又は第２制御信号に対応する報告信号ＣＳＩを無線端末２８０４から正常に受信した場合、送信した第１制御信号又は第２制御信号が無線端末２８０４において正常に受信され、リソースブロック割り当てについて変更の必要があることが無線端末２８０４に正常に通知されたと判断する。そして、無線中継局２８０２は下りデータ通信をスケジューリングする制御信号のフォーマットを第４フォーマットから第３フォーマットに切り替える。【０４４０】
ステップ３０−５において、無線中継局２８０２は、ステップ２９−１３〜２９−１７の場合と同様に、無線端末２８０４に対して、リソースブロック割り当て等の各種の通信パラメータを新たに決定し、下りデータ通信に用いられる下りチャネルのための周波数帯域を新たに割り当てる。無線中継局２８０２は、決定された通信パラメータに基づいて、ＰＤＣＣＨ（下りチャネル）により、通信対象の無線端末２８０４に、第３フォーマットを有する第３制御信号を送信する。すなわち、無線中継局２８０２は制御信号のフォーマットを第４フォーマットから第３フォーマットに切り替える。【０４４１】
無線中継局２８０２は、ＰＵＣＣＨにより、送信した第３制御信号に対応するデータ信号に対する応答信号を正常に受信した場合、送信した第３制御信号が無線端末２８０４において正常に受信され、リソースブロック割り当て等の各種の通信パラメータが無線端末２８０４に正常に通知されたと判断する。そして、無線中継局２８０２は下りデータ通信をスケジューリングする制御信号のフォーマットを第３フォーマットから第４フォーマットに切り替える。【０４４２】
［４−２．無線中継局２８０２］
次に、無線中継局２８０２の構成、及び、無線中継局２８０２で行われるデータ通信制御方法を説明する。【０４４３】
［４−２−１．無線中継局２８０２の構成］
図３１は、無線中継局２８０２の構成を示す機能ブロック図である。図３１に示したように、無線中継局２８０２は、スケジューラ３１０２、制御信号フォーマット制御部３１０４、制御信号生成部３１０６、ＭＡＣ制御情報生成部３１０８、ＲＲＣ制御情報生成部３１１０、データ生成部３１１２、制御チャネル生成部３１１４、共有チャネル生成部３１１６、多重部３１１８、無線送信部３１２０、無線受信部３１２２、分離部３１２４、上りデータ＆ＣＳＩ処理部３１２６、及び応答信号＆ＣＳＩ処理部３１２８を含む。【０４４４】
第４実施例に係る無線中継局２８０２の機能ブロック構成は、図２４に示した無線中継局２１０２の機能ブロック構成と同様である。図３１に示した無線中継局２８０２の各々の機能ブロックは、図２４に示した無線中継局２１０２の機能ブロックのうちで、参照符号の下二桁の数字が同一の参照符号を有するものと同様の機能を有するものである。よって、詳細な説明は省略する。【０４４５】
また、無線中継局２８０２のハードウェア構成は、図８に示した無線中継局３０２のハードウェア構成と同様である。無線中継局２８０２の各機能ブロックの機能は、図８に示した無線中継局３０２のハードウェア構成と同様のハードウェア構成によって実現することができる。よって、詳細な説明は省略する。【０４４６】
［４−２−２．無線中継局２８０２におけるデータ通信制御方法］
図３２は、無線中継局２８０２で行われるデータ通信制御方法を説明するための図である。以下、図３２を用いて、無線中継局２８０２で行われるデータ通信制御方法を説明する。【０４４７】
ステップＳ３２０２からＳ３２１２までの処理は、図２５に示したステップＳ２５０２からＳ２５１２までの処理と同様である。よって、詳細な説明は省略する。【０４４８】
次に、ステップＳ３２１４において、応答信号＆ＣＳＩ処理部３１２８は、ステップ３１１２において無線送信部３１２０から送信したデータ信号に対する応答信号（肯定応答（ＡＣＫ）又は否定応答（ＮＡＣＫ）を受け取ったとき、応答信号が正常に受信されたか否かを示す情報をスケジューラ３１０２に供給する。スケジューラ３１０２は、供給された情報に基づいて、ステップＳ３１１２において無線端末２８０４に送信した、第３フォーマットを有する第３制御信号に対応するデータ信号の応答信号を、無線端末２８０４から受信した否かを判定する。【０４４９】
その結果、対応する応答信号が受信された場合は、処理はステップＳ３２１８に進む。対応する応答信号が受信されない場合は、処理はステップＳ３２１６に進む。【０４５０】
ステップＳ３２１６において、スケジューラ３１０２は、上りデータ＆ＣＳＩ処理部３１２６から、下りチャネルの状態評価報告を受けとり、受けとったチャネル状態評価報告に基づいて、下りデータ通信をスケジューリングする必要が有るか否かを判定する。その結果、スケジューリングが必要であると判定された場合は、処理はステップＳ３２１０に戻り、スケジューリングが不要であると判定された場合は、処理はステップＳ３２１６に戻る。【０４５１】
ステップＳ３２１８からステップＳ３２３２までの処理は、ステップＳ２５１４からステップＳ２５２８までの処理と同様である。よって、詳細な説明は省略する。【０４５２】
ステップＳ３２３４において、上りデータ＆ＣＳＩ処理部３１２６は、無線受信部３１２２において受信した報告信号ＣＳＩを受けとる。上りデータ＆ＣＳＩ処理部３１２６は、受けとった報告信号ＣＳＩを処理することにより、下りチャネルの状態の評価報告（非周期報告）を示す情報を取得し、取得した情報をスケジューラ３１０２に供給する。【０４５３】
スケジューラ３１０２は、供給された、下りチャネルの状態評価報告（非周期報告）を示す情報に基づいて、ステップＳ３２３２において無線端末２８０４に送信した制御信号に対応する報告信号ＣＳＩを、無線端末２８０４から受信した否かを判定する。ここで、ステップＳ３２３２において無線端末２８０４に送信した制御信号は、第１フォーマット又は第２フォーマットを有し、ＣＳＩ報告要求（CSI request）フィールドが報告信号ＣＳＩの送信要求を示す特定の値に設定されたものである。判定の結果、対応する報告信号ＣＳＩが受信された場合、処理はステップＳ３２３６に進む。対応する報告信号ＣＳＩが受信されない場合、処理はステップＳ３２２８に戻る。【０４５４】
ステップＳ３２３６の処理は、ステップＳ２５３０の処理と同様である。よって、詳細な説明は省略する。【０４５５】
以上説明したように、第４実施例に係る無線中継局２８０２は無線端末２８０４に、リソースブロック割り当て（ＲＢＡ）を含む、第３フォーマットを有する第３制御信号を送信した後、さらに、無線端末２８０４より、送信された第３制御信号に対応するデータ信号の応答信号を受信したとき、無線中継局２８０２は制御信号のフォーマットを第３フォーマットから第４フォーマットに切り替えるようにしたので、第３フォーマットから第４フォーマットへの制御信号のフォーマットの切り替えに際して、送信した第３制御信号が無線端末２８０４において正常に受信され、リソースブロック割り当て等の各種の通信パラメータが無線端末２８０４に正常に通知されたことを確認することができ、制御信号のフォーマットの切り替えをより確実に実行することができる。【０４５６】
また、無線中継局２８０２は無線端末２８０４に、第１フォーマット又は第２フォーマットの中のＣＳＩ報告要求（CSI request）フィールドを、報告信号ＣＳＩの送信要求を示す特定の値に設定した上で、第１フォーマット又は第２フォーマットを有する制御信号を送信した後、さらに、無線端末２８０４より、送信された制御信号に対応する報告信号ＣＳＩを受信したとき、制御信号のフォーマットを第４フォーマットから第３フォーマットに切り替えるようにしたので、第４フォーマットから第３フォーマットへの制御信号のフォーマットの切り替えに際して、送信した制御信号が無線端末２８０４において正常に受信され、リソースブロック割り当てについて変更の必要が有ることが無線端末２８０４に正常に通知されたことを確認することができ、制御信号のフォーマットの切り替えをより確実に実行することができる。【０４５７】
［４−３．無線端末２８０４］
次に、無線端末２８０４の構成、及び、無線端末２８０４で行われるデータ通信制御方法を説明する。【０４５８】
［４−３−１．無線端末２８０４の構成］
図３３は、無線端末２８０４の構成を示す機能ブロック図である。図３３に示したように、無線端末２８０４は、無線受信部３３０２、分離部３３０４、制御チャネル処理部３３０６、制御信号フォーマット制御部３３０８、共有チャネル処理部３３１０、応答信号生成部３３１２、チャネル状態監視部３３１４、データ生成部３３１６、共有チャネル生成部３３１８、制御チャネル生成部３３２０、多重部３３２２、及び無線送信部３３２４を含む。【０４５９】
第４実施例に係る無線端末２８０４の機能ブロック構成は、図２６に示した無線端末２１０４の機能ブロック構成と同様である。図３３に示した無線端末２８０４の各々の機能ブロックは、図２６に示した無線端末２１０４の機能ブロックのうちで、参照符号の下二桁の数字が同一の参照符号を有するものと同様の機能を有するものである。よって、詳細な説明は省略する。【０４６０】
また、無線端末２８０４のハードウェア構成は、図１１に示した無線端末３０４のハードウェア構成と同様である。無線端末２１０４の各機能ブロックの機能は、図１１に示した無線端末３０４のハードウェア構成と同様のハードウェア構成によって実現することができる。よって、詳細な説明は省略する。【０４６１】
［４−３−２．無線端末２８０４におけるデータ通信制御方法］
図３４及び図３５は、無線端末２８０４で行われるデータ通信制御方法を説明するための図である。以下、図３４及び図３５を用いて、無線端末２８０４で行われるデータ通信制御方法を説明する。【０４６２】
ステップＳ３４０２からＳ３４１４までの処理は、図２７に示したステップＳ２７０２からＳ２７１４までの処理と同様である。よって、詳細な説明は省略する。【０４６３】
ステップＳ３４１６において、制御信号フォーマット制御部３３０８は、制御チャネル処理部３３０６が下りデータ通信をスケジューリングする制御信号を処理する際に用いるべき制御信号のフォーマットとして、リソースブロック割り当て（ＲＢＡ）フィールドを含む、図２１に示した第３フォーマットと、リソースブロック割り当て（ＲＢＡ）フィールドを含まない、図２２に示した第４フォーマットの両方を選択する。制御信号フォーマット制御部３３０８は、制御チャネル処理部３３０６に対して、下りデータ通信をスケジューリングする制御信号のフォーマットとして第３フォーマットと第４フォーマットの両方を指定する。【０４６４】
次に、ステップＳ３４１８において、無線受信部３３０２は、無線中継局２８０２から、ＰＤＣＣＨにより、下りデータ通信をスケジューリングする制御信号を受信した否かを監視する。【０４６５】
次に、ステップＳ３４２０において、制御チャネル処理部３３０６は、無線受信部３３０２が下りデータ通信をスケジューリングする制御信号を受信したとき、分離部３３０４を介して、無線受信部３３０２から、受信された制御信号を受けとる。制御チャネル処理部３３０６は、受信された制御信号が、制御信号フォーマット制御部３３０８によって指定された第４フォーマットを有する制御信号であるか否かを判定する。その結果、第４フォーマットを有する制御信号が検出された場合、処理はステップＳ３４２２に進む。一方、第４フォーマットを有する制御信号が検出されなかった場合、処理はステップＳ３４１８に戻る。【０４６６】
尚、ステップＳ３４１６からＳ３４２０までの処理は、図２８の期間Ｄにおける無線端末２８０４の処理に対応する。【０４６７】
ステップＳ３４２２からＳ３４２８までの処理は、ステップＳ２７１６からＳ２７２２までの処理と同様である。よって、詳細な説明は省略する。尚、ステップＳ３４２２において、制御フォーマット制御部３３０８は、制御チャネル処理部３３０６が第４フォーマットを有する制御信号を検出したことにより、無線中継局２８０２が、ステップＳ３４１４において無線送信部３３２４から送信された応答信号を正常に受信したことを認識する。【０４６８】
ステップＳ３４３０において、制御信号フォーマット制御部３３０８は、制御チャネル処理部３３０６が下りデータ通信をスケジューリングする制御信号を処理する際に用いるべき制御信号のフォーマットとして、リソースブロック割り当て（ＲＢＡ）フィールドを含む第３フォーマットと、リソースブロック割り当て（ＲＢＡ）フィールドを含まない第４フォーマットの両方を選択する。制御信号フォーマット制御部３３０８は、制御チャネル処理部３３０６に対して、下りデータ通信をスケジューリングする制御信号のフォーマットとして第３フォーマットと第４フォーマットの両方を指定する。【０４６９】
次に、ステップＳ３４３２において、無線受信部３３０２は、無線中継局２８０２から、ＰＤＣＣＨにより、下りデータ通信をスケジューリングする制御信号を受信した否かを監視する。【０４７０】
次に、ステップＳ３４３４において、制御チャネル処理部３３０６は、無線受信部３３０２が下りデータ通信をスケジューリングする制御信号を受信したとき、分離部３３０４を介して、無線受信部３３０２から、受信された制御信号を受けとる。制御チャネル処理部３３０６は、受信された制御信号が、制御信号フォーマット制御部３３０８によって指定された第３フォーマットを有する制御信号であるか否かを判定する。その結果、第３フォーマットを有する制御信号が検出された場合、処理はステップＳ３４３６に進む。一方、第３フォーマットを有する制御信号が検出されなかった場合、処理はステップＳ３４４０に進む。【０４７１】
ステップＳ３４３６において、制御チャネル処理部３３０６は、制御信号フォーマット制御部３３０８によって指定された第３フォーマットにより、受信された制御信号を処理し、制御信号に含まれる各種の通信パラメータを取得する。制御チャネル処理部３３０６は、取得されたリソースブロック割り当て（ＲＢＡ）のフィールドの値から、無線端末２８０４に割り当てられた周波数帯域（リソースブロック）の情報を取得する。【０４７２】
一方、無線受信部３３０２は、無線中継局２８０２から、ＰＤＳＣＨにより、ステップＳ３４３４において受信された制御信号に対応するデータ信号を受信する。共有チャネル処理部３３１０は、分離部３３０４を介して、受信されたデータ信号を受けとり、受けとったデータ信号に対して復調処理を行うことにより、データを取得する。共有チャネル処理部３３１０は、データが正常に取得できたか否かを示す情報を応答信号生成部３３１４に供給する。【０４７３】
次に、ステップＳ３４３８において、応答信号生成部３３１２は、共有チャネル処理部３３１０から供給される情報に基づいて、データが正常に取得されたか否かを判定し、データが正常に取得されたか否かを示す応答信号を生成する。応答信号生成部３３１２は、データが正常に取得されたとき、肯定応答（ＡＣＫ、Acknowledgement）信号を生成する一方、データが正常に取得されなかったとき、否定応答（ＮＡＣＫ、Negative Acknowledgement）信号を生成する。【０４７４】
制御チャネル生成部３３２０は、応答信号生成部３３１２から、応答信号（肯定応答信号又は否定応答信号）を受けとる。制御チャネル生成部３３２０は、受けとった応答信号をＰＵＣＣＨのデータフォーマットに適合した形式の信号に変換し、ＰＵＣＣＨにより送信可能な状態にする。無線送信部３３２４は、多重部３３２２を介して受けとった、制御チャネル生成部３３２０の出力信号を、ＰＵＣＣＨに対応する周波数帯域の無線信号に変換して、アンテナを介して無線中継局２８０２に送信する。【０４７５】
一方、ステップＳ３４４０において、無線受信部３３０２は、無線中継局２８０２から、ＰＤＣＣＨにより、上りデータ通信をスケジューリングする制御信号（第１フォーマット又は第２フォーマットを有する制御信号）を受信した否かを監視する。【０４７６】
次に、ステップＳ３４４２において、制御チャネル処理部３３０６は、無線受信部３３０２が上りデータ通信をスケジューリングする制御信号を受信したとき、分離部３３０４を介して、無線受信部３３０２から、受信された制御信号を受けとる。制御チャネル処理部３３０６は、受信された制御信号のフォーマット（第１フォーマット又は第２フォーマット）において、ＣＳＩ報告要求（CSI request）のフィールドが、報告信号ＣＳＩの送信要求を示す特定の値であるか否かを判定する。その結果、ＣＳＩ送信要求フィールドが特定の値に設定された制御信号が検出された場合、処理はステップＳ３４４４に進む。一方、ＣＳＩ送信要求フィールドが特定の値に設定された制御信号が検出されなかった場合、処理はステップＳ３４３２に戻る。【０４７７】
次に、ステップＳ３４４４において、チャネル状態監視部３３１４は、ステップＳ３４４２においてＣＳＩ送信要求フィールドが上述の特定の値に設定されていることに応答して、下りチャネルの状態を評価するための参照信号に基づいて、下りチャネルの状態の評価を実施し、下りチャネルの状態評価の報告（非周期報告）を作成する。【０４７８】
共有チャネル生成部３３１８は、チャネル状態監視部３３１４から供給された、下りチャネルの状態評価報告（非周期報告）を示す信号をＰＵＳＣＨのデータフォーマットに適合した形式の信号に変換し、ＰＵＳＣＨにより送信可能な状態にする。無線送信部３３２４は、多重部３３２２を介して受けとった、共有チャネル生成部３３１８の出力信号を、ＰＵＳＣＨに対応する周波数帯域の無線信号に変換して、アンテナを介して無線中継局２８０２に送信する。その後、処理はステップＳ３４３２に戻る。【０４７９】
尚、ステップＳ３４３０からＳ３４４４までの処理は、図２９の期間Ｅにおける無線端末２８０４の処理に対応する。また、Ｓ３４１８（但し、ステップＳ３４３８からのルート）、Ｓ３４２０までの処理は、図２９の期間Ｆにおける無線端末２８０４の処理に対応する。【０４８０】
以上説明したように、第４実施例に係る無線端末２８０４は、無線中継局２８０２から、リソースブロック割り当て（ＲＢＡ）を含む、第３フォーマットを有する第１制御信号を受信した後、制御信号のフォーマットを第４フォーマットに切り替えず、制御信号のフォーマットとして第３フォーマットと第４フォーマットの両方を選択するようにしたので、第３フォーマットから第４フォーマットへの制御信号のフォーマットの切り替えに際して、第３制御信号に対応して受信したデータ信号の応答信号が無線中継局２８０２において正常に受信されず、無線中継局２８０２が再度、第３フォーマットを有する第３制御信号を送信した場合であっても、その第３制御信号を適切に受信することができ、制御信号のフォーマットの切り替えをより確実に実行することができる。【０４８１】
また、無線端末２８０４は無線中継局２８０２から、第１フォーマット又は第２フォーマットの中のＣＳＩ送信要求（CSI request）フィールドを、報告信号ＣＳＩの送信要求を示す特定の値に設定した上で、第１フォーマット又は第２フォーマットを有する制御信号を受信した後、制御信号のフォーマットを第３フォーマットに切り替えず、制御信号のフォーマットとして第３フォーマットと第４フォーマットの両方を選択するようにしたので、第４フォーマットから第３フォーマットへの制御信号のフォーマットの切り替えに際して、受信した制御信号に対応して送信した報告信号ＣＳＩが無線中継局２８０２において正常に受信されず、無線中継局２８０２が再度、第４フォーマットを有する第４制御信号を送信した場合であっても、その第４制御信号を適切に受信することができ、制御信号のフォーマットの切り替えをより確実に実行することができる。【０４８２】
［５．その他の実施例及び変形例］
（１）第１及び第２実施例において、第１フォーマットから第２フォーマットへの制御信号のフォーマットの切り替え、及び、第２フォーマットから第１フォーマットへの制御信号のフォーマットの切り替えはそれぞれ、上位レイヤのシグナリング、例えば、ＭＡＣシグナリングやＲＲＣシグナリング等のデータリンク層（レイヤ２）の制御信号を用いて、明示的に指示するようにしてもよい。また、制御信号のフォーマットの切り替えは定期的に実行するようにしてもよい。【０４８３】
（２）第３及び第４実施例において、第３フォーマットから第４フォーマットへの制御信号のフォーマットの切り替え、及び、第４フォーマットから第３フォーマットへの制御信号のフォーマットの切り替えはそれぞれ、上位レイヤのシグナリング、例えば、ＭＡＣシグナリングやＲＲＣシグナリング等のデータリンク層（レイヤ２）の制御信号を用いて、明示的に指示するようにしてもよい。また、制御信号のフォーマットの切り替えは定期的に実行するようにしてもよい。【０４８４】
（３）無線中継局は、第１ないし第４実施例によるデータ通信の制御方法（例えば制御信号のフォーマットの切り替え）を実行するか否かを、予め上位レイヤシグナリング（例えば、ＲＲＣシグナリング）により、無線端末に通知しておくようにしてもよい。【０４８５】
無線中継局は例えば、第１ないし第４実施例による制御信号のフォーマットの切り替えを実行するか否かを、予め上位レイヤシグナリング（例えば、ＲＲＣシグナリング）により、無線端末に通知しておくようにしてもよい。【０４８６】
（４）第１ないし第４実施例の各々において、無線中継局が通信チャネルの状態の変動速度や無線端末の移動速度を検出し、検出された変動速度や移動速度の値が予め定められた閾値より小さい場合に、第１ないし第４実施例によるデータ通信の制御方法（例えば制御信号のフォーマットの切り替え）を実行するようにしてもよい。【０４８７】
通信チャネルの変動速度が大きい場合や無線端末の移動速度が速い場合には、周波数帯域割り当ての実行が要請される回数が大きくなったり、周波数帯域割り当てを変更しなかった場合に通信特性の変動が大きくなる可能性があるため、リソースブロック割り当て（ＲＢＡ）を含まない、第２フォーマットや第４フォーマットを有する制御信号を用いるのはむしろ好ましくない。【０４８８】
一方、通信チャネルの変動速度が小さい場合や無線端末の移動速度が遅い場合には、周波数帯域割り当てを変更する必要がないと判定されることが多くなるので、そのような場合に選択的に、第１ないし第４実施例によるデータ通信の制御方法（例えば制御信号のフォーマットの切り替え）を実行するようにすることが可能である。【０４８９】
（５）第１及び第２実施例において、制御信号のフォーマットとして第２フォーマットを選択している期間（例えば、図１３の期間Ｅや図１４の期間Ｄ）においては、リソースブロック（周波数帯域割り当て）は変更されないことから、無線端末は定期的に送信する参照信号ＳＲＳを、システム帯域の全帯域における上りチャネルの状態を評価することが可能なものとせず、第１フォーマットを有する第１制御信号によりすでに割り当てられている周波数帯域を含む一部の帯域のみにおけるチャネル状態を評価することが可能なものとすることができる。【０４９０】
これにより、無線端末はその一部の帯域のみに参照信号ＳＲＳの送信電力を集中することができるので、無線中継局における参照信号ＳＲＳの受信電力を増大させることができる。また、無線中継局は、システム帯域の中の広い帯域をスキャンしなくても済むことから、通信チャネル状態の時間変動への追従性を向上させることができる。【０４９１】
（６）第３及び第４実施例において、制御信号のフォーマットとして第４フォーマットを選択している期間（例えば、図２８の期間Ｅや図２９の期間Ｄ）においては、リソースブロック（周波数帯域割り当て）は変更されないことから、無線端末は定期的に送信する報告信号ＣＳＩを、システム帯域の全帯域における下りチャネルの状態の評価を報告するものとせず、第３フォーマットを有する第３制御信号によりすでに割り当てられている周波数帯域を含む一部の帯域のみにおけるチャネル状態の評価を報告するものとすることができる。【０４９２】
これにより、報告信号ＣＳＩのオーバーヘッド（データサイズ）を低減することができるとともに、無線端末が一部の帯域におけるチャネル状態の評価を繰り返し報告するようにすることにより、通信チャネルの状態の時間変動への追従性を向上させることができる。【０４９３】
（７）第１ないし第４実施例の各々において、周波数帯域割り当て（リソースブロック割り当て）は、ディストリビューテッド型としてもよい。【０４９４】
これにより、通信チャネルの周波数選択性が激しい場合に、リソースブロック割り当て（ＲＢＡ）を含まない制御信号のフォーマット（第２フォーマット又は第４フォーマット）を利用し、周波数帯域割り当てを変更しない場合であっても、通信特性の変動の比較的少ないデータ通信が可能になる。【０４９５】
以上、本発明の例示的な実施形態の無線通信システム、無線中継局、無線端末及びデータ通信制御方法について説明したが、本発明は、具体的に開示された実施形態に限定されるものではなく、特許請求の範囲から逸脱することなく、種々の変形や変更が可能である。各実施例に開示された技術は、相互に矛盾することがない限り、適宜組合せることが可能であるものである。
【符号の説明】
【０４９６】
３００  無線通信システム、
３０２  無線中継局（第１無線局）、
３０４  無線端末（第２無線局）、
７０２  スケジューラ、
７０４  制御信号フォーマット制御部、
７０６  制御信号生成部、
７０８  ＭＡＣ制御情報生成部、
７１０  ＲＲＣ制御情報生成部、
７１２  データ生成部、
７１４  制御チャネル生成部、
７１６  共有チャネル生成部、
７１８  多重部、
７２０  無線送信部、
７２２  無線受信部、
７２４  分離部、
７２６  上りデータ処理部、
７２８  チャネル状態監視部、
８０２  プロセッサ、
８０４  メモリ、
８０６  記憶装置、
８０８  無線通信インターフェース、
８１０  バス、
１００２  無線受信部、
１００４  分離部、
１００６  制御チャネル処理部、
１００８  制御信号フォーマット制御部、
１０１０  共有チャネル処理部、
１０１２  データ生成部、
１０１４  ＳＲＳ生成部、
１０１６  共有チャネル生成部、
１０２０  多重部、
１０２２  無線送信部、
１１０２  プロセッサ、
１１０４  メモリ、
１１０６  記憶装置、
１１０８  無線通信インターフェース、
１１１０  バス、
１６０２  スケジューラ、
１６０４  制御信号フォーマット制御部、
１６０６  制御信号生成部、
１６０８  ＭＡＣ制御情報生成部、
１６１０  ＲＲＣ制御情報生成部、
１６１２  ユーザデータ生成部、
１６１４  制御チャネル生成部、
１６１６  共有チャネル生成部、
１６１８  多重部、
１６２０  無線送信部、
１６２２  無線受信部、
１６２４  分離部、
１６２６  上りデータ処理部、
１６２８  チャネル状態監視部、
１８０２  無線受信部、
１８０４  分離部、
１８０６  制御チャネル処理部、
１８０８  制御信号フォーマット制御部、
１８１０  共有チャネル処理部、
１８１２  データ生成部、
１８１４  ＳＲＳ生成部、
１８１６  共有チャネル生成部、
１８２０  多重部、
１８２２  無線送信部、
２１０２  無線中継局（第１無線局）、
２１０４  無線端末（第２無線局）、
２４０２  スケジューラ、
２４０４  制御信号フォーマット制御部、
２４０６  制御信号生成部、
２４０８  ＭＡＣ制御情報生成部、
２４１０  ＲＲＣ制御情報生成部、
２４１２  データ生成部、
２４１４  制御チャネル生成部、
２４１６  共有チャネル生成部、
２４１８  多重部、
２４２０  無線送信部、
２４２２  無線受信部、
２４２４  分離部、
２４２６  上りデータ＆ＣＳＩ処理部、
２４２８  応答信号＆ＣＳＩ処理部、
２６０２  無線受信部、
２６０４  分離部、
２６０６  制御チャネル処理部、
２６０８  制御信号フォーマット制御部、
２６１０  共有チャネル処理部、
２６１２  応答信号生成部、
２６１４  チャネル状態監視部、
２６１６  データ生成部、
２６１８  共有チャネル生成部、
２６２０  制御チャネル生成部、
２６２２  多重部、
２６２４  無線送信部、
３１０２  スケジューラ、
３１０４  制御信号フォーマット制御部、
３１０６  制御信号生成部、
３１０８  ＭＡＣ制御情報生成部、
３１１０  ＲＲＣ制御情報生成部、
３１１２  データ生成部、
３１１４  制御チャネル生成部、
３１１６  共有チャネル生成部、
３１１８  多重部、
３１２０  無線送信部、
３１２２  無線受信部、
３１２４  分離部、
３１２６  上りデータ＆ＣＳＩ処理部、
３１２８  応答信号＆ＣＳＩ処理部、
３３０２  無線受信部、
３３０４  分離部、
３３０６  制御チャネル処理部、
３３０８  制御信号フォーマット制御部、
３３１０  共有チャネル処理部、
３３１２  応答信号生成部、
３３１４  チャネル状態監視部、
３３１６  データ生成部、
３３１８  共有チャネル生成部、
３３２０  制御チャネル生成部、
３３２２  多重部、
３３２４  無線送信部
【図１】
0006011606.tif 000002
【図２】
0006011606.tif 000003
【図３】
0006011606.tif 000004
【図４】
0006011606.tif 000005
【図５】
0006011606.tif 000006
【図６】
0006011606.tif 000007
【図７】
0006011606.tif 000008
【図８】
0006011606.tif 000009
【図９】
0006011606.tif 000010
【図１０】
0006011606.tif 000011
【図１１】
0006011606.tif 000012
【図１２】
0006011606.tif 000013
【図１３】
0006011606.tif 000014
【図１４】
0006011606.tif 000015
【図１５】
0006011606.tif 000016
【図１６】
0006011606.tif 000017
【図１７】
0006011606.tif 000018
【図１８】
0006011606.tif 000019
【図１９】
0006011606.tif 000020
【図２０】
0006011606.tif 000021
【図２１】
0006011606.tif 000022
【図２２】
0006011606.tif 000023
【図２３】
0006011606.tif 000024
【図２４】
0006011606.tif 000025
【図２５】
0006011606.tif 000026
【図２６】
0006011606.tif 000027
【図２７】
0006011606.tif 000028
【図２８】
0006011606.tif 000029
【図２９】
0006011606.tif 000030
【図３０】
0006011606.tif 000031
【図３１】
0006011606.tif 000032
【図３２】
0006011606.tif 000033
【図３３】
0006011606.tif 000034
【図３４】
0006011606.tif 000035
【図３５】
0006011606.tif 000036